(57)【要約】【課題】ディスク等のメディアに光が照射されたときに生じる光の複屈折を低減化させ、ディスク等のメディアに照射形成されるスポットの収差補正に悪影響が及ぼされることを回避させ易くする。【解決手段】メディアＭ１０，Ｍ２０に光を照射させてメディアＭ１０，Ｍ２０のデータの読取り又はメディアＭ１０，Ｍ２０に光を照射させてメディアＭ１０，Ｍ２０へのデータの書込みが実行可能とされたピックアップ装置２に関する。また、ピックアップ装置２を備えるディスク装置に関する。メディアＭ１０，Ｍ２０に起因する光の垂直複屈折または面内複屈折のうち何れか一方または両方を補正させる補正素子５０を備えるピックアップ装置２が構成されることにより、メディアＭ１０，Ｍ２０に光が照射されたときに生じる光の複屈折が抑えられる。【選択図】図２
2008210501.tif 000002
【特許請求の範囲】
【請求項１】
メディアに光を照射させて該メディアのデータの読取り又は該メディアに光を照射させて該メディアへのデータの書込みが実行可能とされたピックアップ装置であって、
前記メディアに起因する光の垂直複屈折または面内複屈折のうち何れか一方または両方を補正させる補正素子を備えることを特徴とするピックアップ装置。
【請求項２】
前記補正素子の補正パターンを略リング状とさせたことを特徴とする請求項１記載のピックアップ装置。
【請求項３】
前記メディアの複屈折量に対応して、前記補正素子に印加される電圧を調整させて、前記垂直複屈折または前記面内複屈折のうち何れか一方または両方を補正させることを特徴とする請求項１又は２記載のピックアップ装置。
【請求項４】
請求項１〜３の何れか１項に記載のピックアップ装置を備えることを特徴とするディスク装置。
【発明の詳細な説明】
【技術分野】
【０００１】
本発明は、「ＨＤ  ＤＶＤ」（High Definition DVD）（登録商標）や「Blu-ray Disc」（登録商標）などのメディアに記録されたデータを再生させることや、メディアにデータを記録させることが可能なピックアップ装置およびそれを備えるディスク装置に関するものである。
【背景技術】
【０００２】
「Blu-ray Disc」に対応した対物レンズなどの開口数（Numerical Aperture：ＮＡ）の高い対物レンズが装備された光ピックアップ装置において、ディスクにレーザ光が照射されたときに、ディスクの成型時に発生する複屈折により、再生特性や記録特性が劣化することがある。ディスクにレーザ光が照射されたときの複屈折量や複屈折の方向は、ディスクの成形が行われる金型の温度や樹脂によって異なる。また、ディスクにレーザ光が照射されたときに生じる複屈折は、ディスクの回転数によっても異なる。また、ディスクにレーザ光が照射されたときに生じる複屈折は、樹脂材料によっても異なるが、「Blu-ray Disc」用のディスクや、「ＨＤ  ＤＶＤ」用のディスクにおいては、耐光性などの観点からディスクの基材に用いられる樹脂材料は、特定の樹脂材料に限られる。
【０００３】
ディスクにレーザ光が照射されたときに生じる複屈折に対応したものとして、光記録媒体の保護層の垂直複屈折による入射光または反射光への影響を高精度に補正することにより、良好な記録再生特性が得られる光ヘッド装置及び光学式情報記録再生装置というものが公開された（例えば、特許文献１参照。）。
【０００４】
図７は、従来の光ピックアップ装置いわゆる光ヘッド装置に装備される複屈折補正素子の一形態を示す平面図である。
【０００５】
光ヘッド装置の光学系における対物レンズの手前に、一軸の屈折率異方性を有する材料を含む複屈折補正素子５０５ａが設けられる。光ヘッド装置に装備された複屈折補正素子５０５ａは、ディスクに起因する面内複屈折を補正するために、リング状に位相がずらされている。複屈折補正素子５０５ａは、光軸を通る９０°間隔の２つの直線で、周方向に四つの領域に分割されており、光軸を中心とする３つの同心円で、各領域がさらに半径方向に四つの領域に分割されている。領域５１１ａ〜５１４ａ及び領域５１１ｃ〜５１４ｃにおける光学軸の方向は図中のＸ軸方向であり、領域５１１ｂ〜５１４ｂ及び領域５１１ｄ〜５１４ｄにおける光学軸の方向は図中のＹ軸方向である。光学軸に平行な方向の偏光成分と光学軸に垂直な方向の偏光成分との位相差は、領域５１１ａ〜５１１ｄ、領域５１２ａ〜５１２ｄ、領域５１３ａ〜５１３ｄ、領域５１４ａ〜５１４ｄの順に大きくなるように構成されている。
【０００６】
また、従来の光ヘッド装置において、ディスクにレーザ光が照射されるときに、ディスクの厚さや、レンズ等の主として光学部品により、ディスクの信号面部に照射形成されるレーザ光のスポットに球面収差が発生する。ディスクの信号面部に照射形成されるレーザ光のスポットの球面収差に対応するために、液晶補正素子（liquid crystal device／liquid crystal display：ＬＣＤ）により、球面収差補正が行われる。
【０００７】
図８（Ａ）は、光のスポットの球面収差補正が行われる前の波形を示す説明図、図８（Ｂ）は、光のスポットの球面収差補正が行われた後の波形を示す説明図、図８（Ｃ）は、球面収差補正が行われた光のスポットを示す平面図である。
【０００８】
光のスポットにおける円周状の最も球面収差が大きくなる部分ＳＡｍ（図８（Ａ））の位相をシフトさせて、収差補正が行われる。光のスポットの球面収差補正が行われる前の波面の最大−最小値ＰＶａ（図８（Ａ））よりも、光のスポットの球面収差補正が行われた後の波面の最大−最小値ＰＶｂ（図８（Ｂ））のほうが小さく補正されている。また、光のスポットの球面収差補正が行われる前の有効径Ｅａ（図８（Ａ））と、光のスポットの球面収差補正が行われた後の有効径Ｅｂ（図８（Ｂ））とは、略等しくされているが、光のスポットの球面収差補正が行われる前の有効径Ｅａ（図８（Ａ））よりも、光のスポットの球面収差補正が行われた後の有効径Ｅｂ（図８（Ｂ））のほうが、やや小さい径とされる。また、例えばＬＣＤ等の分割数が増やされ、補正量が細分化されることによって、さらに収差を少なくさせることも可能とされる。
【特許文献１】特開２００５−３３２４３５号公報（第１，４頁、第２図）
【発明の開示】
【発明が解決しようとする課題】
【０００９】
しかしながら、図７に示す複屈折補正素子５０５ａが装備された上記光ヘッド装置にあっては、ディスクにレーザ光が照射されたときに生じる複屈折が少ないディスクに対しては、逆効果になることが懸念される。
【００１０】
本発明は、上記した点に鑑み、ディスク等のメディアに光が照射されたときに生じる光の複屈折を低減化させ、ディスク等のメディアに照射形成されるスポットの収差補正に悪影響が及ぼされることを回避させ易くしたピックアップ装置およびそれを備えるディスク装置を提供することを目的とする。
【課題を解決するための手段】
【００１１】
上記目的を達成するために、本発明の請求項１に係るピックアップ装置は、メディアに光を照射させて該メディアのデータの読取り又は該メディアに光を照射させて該メディアへのデータの書込みが実行可能とされたピックアップ装置であって、前記メディアに起因する光の垂直複屈折または面内複屈折のうち何れか一方または両方を補正させる補正素子を備えることを特徴とする。
【００１２】
上記構成により、メディアに光が照射されたときに生じる光の複屈折は、抑えられる。例えば、「Blu-ray Disc」（登録商標）や、「ＨＤ  ＤＶＤ」（High Definition DVD）（登録商標）などに対応するピックアップ装置においては、開口数（Numerical Aperture：ＮＡ）の大きい対物レンズが用いられている。ＮＡの大きい対物レンズにより光が収束されてメディアに光が照射されたときに、メディアに照射形成されるスポットの収差は、メディアによる複屈折により特殊な収差となることがある。メディアに照射形成されるスポットの収差は、メディアの複屈折により、メディアに照射形成される光のスポットの中心部付近と、光のスポットの周縁部付近とでは、収差度合いが異なる。メディアに起因して生じる垂直複屈折または面内複屈折のうち何れか一方または両方を補正させる補正素子がピックアップ装置に備えられていれば、メディアに光を照射させてメディアのデータを読み取るときや、メディアに光を照射させてメディアへデータを書き込むときに、メディアに生じる光の複屈折により、メディアに照射形成された光のスポットの収差補正に悪影響が及ぼされるということは回避され易くなる。
【００１３】
請求項２に係るピックアップ装置は、請求項１記載のピックアップ装置において、前記補正素子の補正パターンを略リング状とさせたことを特徴とする。
【００１４】
上記構成により、メディアに光が照射されてメディアに照射形成されるスポットの収差補正は、略リング状の補正パターンを備えた補正素子により良好に行われる。
【００１５】
請求項３に係るピックアップ装置は、請求項１又は２記載のピックアップ装置において、前記メディアの複屈折量に対応して、前記補正素子に印加される電圧を調整させて、前記垂直複屈折または前記面内複屈折のうち何れか一方または両方を補正させることを特徴とする。
【００１６】
上記構成により、メディアに光が照射されてメディアに照射形成されるスポットの収差補正は、良好に行われる。メディアの光の複屈折量に対応して、補正素子に印加される電圧が調整されることにより、メディアに起因する光の垂直複屈折または面内複屈折のうち何れか一方または両方の補正が行われる。
【００１７】
請求項４に係るディスク装置は、請求項１〜３の何れか１項に記載のピックアップ装置を備えることを特徴とする。
【００１８】
上記構成により、メディアに光を照射させてメディアのデータを読み取るときや、メディアに光を照射させてメディアへデータを書き込むときに、メディアに生じる光の複屈折により、メディアに照射形成された光のスポットの収差補正に悪影響が及ぼされるということは回避され易くなる。
【発明の効果】
【００１９】
以上の如く、請求項１記載の発明によれば、メディアに光が照射されたときに生じる光の複屈折を抑えることができる。例えば、「Blu-ray Disc」や、「ＨＤ  ＤＶＤ」などに対応するピックアップ装置においては、開口数（ＮＡ）の大きい対物レンズが用いられている。ＮＡの大きい対物レンズにより光が収束されてメディアに光が照射されたときに、メディアに照射形成されるスポットの収差は、メディアによる複屈折により特殊な収差となることがある。メディアに照射形成されるスポットの収差は、メディアの複屈折により、メディアに照射形成される光のスポットの中心部付近と、光のスポットの周縁部付近とでは、収差度合いが異なる。メディアに起因して生じる垂直複屈折または面内複屈折のうち何れか一方または両方を補正させる補正素子がピックアップ装置に備えられていれば、メディアに光を照射させてメディアのデータを読み取るときや、メディアに光を照射させてメディアへデータを書き込むときに、メディアに生じる光の複屈折により、メディアに照射形成された光のスポットの収差補正に悪影響が及ぼされるということを回避させ易くすることができる。
【００２０】
請求項２記載の発明によれば、メディアに光が照射されてメディアに照射形成されるスポットの収差補正は、略リング状の補正パターンを備えた補正素子により良好に行われる。
【００２１】
請求項３記載の発明によれば、メディアに光が照射されてメディアに照射形成されるスポットの収差補正を良好に行うことができる。メディアの光の複屈折量に対応して、補正素子に印加される電圧が調整されることにより、メディアに起因する光の垂直複屈折または面内複屈折のうち何れか一方または両方の補正が行われる。
【００２２】
請求項４記載の発明によれば、メディアに光を照射させてメディアのデータを読み取るときや、メディアに光を照射させてメディアへデータを書き込むときに、メディアに生じる光の複屈折により、メディアに照射形成された光のスポットの収差補正に悪影響が及ぼされるということを回避させ易くすることができる。
【発明を実施するための最良の形態】
【００２３】
以下に本発明に係るピックアップ装置およびそれを備えるディスク装置の一実施の形態を図面に基づいて詳細に説明する。
【００２４】
図１は、本発明に係るディスク装置の一実施の形態を示す構成図、図２は、本発明に係るピックアップ装置の一実施の形態を示す概略図、図３（Ａ）は、第一メディアに第一波長光が照射される状態を示す説明図、図３（Ｂ）は、第二メディアに第二波長光が照射される状態を示す説明図、図４（Ａ）は、補正素子における光学軸に平行な方向の偏光成分と光学軸に垂直な方向の偏光成分との位相差の計算例を示す説明図、図４（Ｂ）は、補正素子を示す平面図、図５（Ａ）は、同じく補正素子を示す平面図、図５（Ｂ）は、補正素子により光のスポットの補正が行われた後の波形を示す説明図、図６は、回転楕円体における１軸結晶の屈折率楕円体、常光線、異常光線の振動方向を示す説明図である。
【００２５】
図１は、ディスク装置の要部を示す便宜上の概略図とされている。例えば図１に示すディスク装置１のピックアップ装置２は、便宜上、簡略化された概念図として示されている。
【００２６】
この光ディスク装置１（図１）は、第一発光素子１０（図２，図３（Ａ））から出射された第一波長レーザ光が、新規格の光ディスクＭ１０等とされる新規格のメディアＭ１０に当てられて、光ディスクＭ１０の信号部Ｍ１５に集光スポットＳ１が照射形成されたときに、例えば、光ディスクＭ１０等のメディアＭ１０から得られる信号のジッタ値等を利用して、光ディスクＭ１０の信号部Ｍ１５に照射形成される集光スポットＳ１にコマ収差や球面収差などの収差が発生されることを抑制させると共に、光ディスクＭ１０に照射されるレーザ光Ｌの垂直複屈折または面内複屈折のうち何れか一方または両方を併せて補正させる液晶補正素子５０を備えて構成されている。
【００２７】
また、同じくこの光ディスク装置１（図１）は、第一発光素子１０（図２，図３（Ｂ））から出射された第一波長レーザ光が、別の新規格の光ディスクＭ２０等とされる別の新規格のメディアＭ２０に当てられて、光ディスクＭ２０の信号部Ｍ２５に集光スポットＳ２が照射形成されたときに、例えば、光ディスクＭ２０等のメディアＭ２０から得られる信号のジッタ値等を利用して、光ディスクＭ２０の信号部Ｍ２５に照射形成される集光スポットＳ２にコマ収差や球面収差などの収差が発生されることを抑制させると共に、光ディスクＭ２０に照射されるレーザ光Ｌの垂直複屈折または面内複屈折のうち何れか一方または両方を併せて補正させる液晶補正素子５０を備えて構成されている。
【００２８】
また、同じくこの光ディスク装置１（図１）は、第二発光素子２０（図２，図３（Ｂ））から出射された第二波長レーザ光が、従来規格の光ディスク（Ｍ２０）等とされる従来規格のメディア（Ｍ２０）に当てられて、光ディスク（Ｍ２０）の信号部（Ｍ２５）に集光スポット（Ｓ２）が照射形成されたときに、例えば、光ディスク（Ｍ２０）等のメディア（Ｍ２０）から得られる信号のジッタ値等を利用して、光ディスク（Ｍ２０）の信号部（Ｍ２５）に照射形成される集光スポット（Ｓ２）にコマ収差や球面収差などの収差が発生されることを抑制させると共に、光ディスク（Ｍ２０）に照射されるレーザ光Ｌの垂直複屈折または面内複屈折のうち何れか一方または両方を併せて補正させる液晶補正素子５０を備えて構成されている。なお、この明細書において、符号に付けられた括弧（  ）は、括弧（  ）が付けられていないものと異なるものを説明するために、便宜上、用いた。
【００２９】
また、図１に示す光ディスク装置１は、例えば光ディスクＭ１０，Ｍ２０等のメディアＭ１０，Ｍ２０から得られる信号のジッタ値等を利用して、フォーカシングサーボ動作を行うために適したデフォーカス値等を設定可能なものとして構成されている。また、光ディスク装置１は、例えば光ディスクＭ１０，Ｍ２０等のメディアＭ１０，Ｍ２０から得られる信号のジッタ値等を利用して、トラッキングサーボ動作を行うために適したデトラック値等を設定可能なものとして構成されている。また、光ディスク装置１は、例えば光ディスクＭ１０，Ｍ２０等のメディアＭ１０，Ｍ２０から得られる信号のジッタ値等を利用
して、チルト動作を行うために適したチルト値等を設定可能なものとして構成されている。
【００３０】
ジッタ（jitter）とは、例えば信号の微妙な揺れや歪を意味する。また、フォーカス（focus）とは、例えば焦点やピントを意味する。また、フォーカシング（focusing）とは、例えば焦点を合わせることや、焦点が合わせられることを意味する。また、トラッキング（tracking）とは、例えば、光を用いて、光ディスクＭ１０（図２，図３（Ａ））の信号面部Ｍ１５や光ディスクＭ２０（図２，図３（Ｂ））の信号面部Ｍ２５等に設けられた微小なピット（穴、凹み）や、グルーブ（溝）、ウォブル（蛇行）などを追跡観測し、略螺旋状に描かれた軌道の位置を定めることを意味する。ピット（pit）とは、例えば穴やへこみ状のものを意味する。また、グルーブ（groove）とは、例えば細長いへこみ状のものを意味する。また、ウォブル（wobble）とは、例えば情報などのデータ信号が記録されるトラックの蛇行を意味する。また、サーボ（servo）とは、例えば制御の対象の状態を測定し、予め定められた基準値と比較して、自動的に修正制御する機構のもの等を意味する。
【００３１】
また、この明細書におけるデフォーカス調整とは、例えば焦点が合わせられていないものに対し、焦点合せを行う調整作業を意味する。また、この明細書におけるデトラック調整とは、例えば焦点が光ディスクのトラックに位置合せされていないものに対し、トラック位置合せを行う調整作業を意味する。また、光ディスク装置１（図１）または光ピックアップ装置２におけるチルト（tilt）とは、例えば、光ディスクＭ１０の信号部Ｍ１５（図２，図３（Ａ））と、光ピックアップ装置２（図２）の発光素子１０から出射され対物レンズ６０を透過したレーザ光Ｌの光軸Ｌａ１（図２，図３（Ａ））との角度ずれや、光ディスクＭ２０の信号部Ｍ２５（図２，図３（Ｂ））と、光ピックアップ装置２（図２）の発光素子２０から出射され対物レンズ７０を透過したレーザ光Ｌの光軸Ｌａ２（図２，図３（Ｂ））との角度ずれを意味する。
【００３２】
また、メディア（media）とは、例えば、データ、情報、信号などが保存されるディスク等を意味する。光ディスク装置１に内装された光ピックアップ装置２が用いられて、光ディスクＭ１０，Ｍ２０等における情報などのデータの再生または記録が行われる。光ディスクＭ１０，Ｍ２０等として、たとえば、「ＣＤ」系列の光ディスクや、「ＤＶＤ」（登録商標）系列の光ディスクや、「ＨＤ  ＤＶＤ」（登録商標）系列の光ディスクや、「Blu-ray Disc」（登録商標）系列の光ディスクなどが挙げられる。
【００３３】
光ディスク装置１内に各種光ディスクなどの各種メディアが挿入される。光ディスク装置１内に入れられる各種光ディスクＭ１０（図１，図２，図３（Ａ）），Ｍ２０（図１，図２，図３（Ｂ））は、円板状に形成されている。ディスクとして、例えば、「ＣＤ−ＲＯＭ」，「ＤＶＤ−ＲＯＭ」，「ＨＤ  ＤＶＤ−ＲＯＭ」，「ＢＤ−ＲＯＭ」などのデータ読出し専用の光ディスクや、「ＣＤ−Ｒ」，「ＤＶＤ−Ｒ」，「ＤＶＤ＋Ｒ」，「ＨＤ
ＤＶＤ−Ｒ」，「ＢＤ−Ｒ」などのデータ追記型の光ディスクや、「ＣＤ−ＲＷ」，「ＤＶＤ−ＲＷ」，「ＤＶＤ＋ＲＷ」（登録商標），「ＤＶＤ−ＲＡＭ」，「ＨＤ  ＤＶＤ−ＲＷ」，「ＨＤ  ＤＶＤ−ＲＡＭ」，「ＢＤ−ＲＥ」などのデータ書込み／消去やデータ書換え可能なタイプの光ディスクなどが挙げられる。
【００３４】
また、ディスクとして、例えばディスク両面に信号面が設けられ、データ書込み／消去やデータ書換えが可能とされた光ディスク（図示せず）等も挙げられる。また、ディスクとして、例えば二層の信号面が設けられ、データ書込み／消去やデータ書換えが可能とされた光ディスク（図示せず）等も挙げられる。また、例えば三層の信号面が設けられ、データ書込み／消去やデータ書換えが可能とされた「ＨＤ  ＤＶＤ」用光ディスク（図示せず）等も挙げられる。また、例えば四層の信号面が設けられ、データ書込み／消去やデー
タ書換えが可能とされた「Blu-ray Disc」用光ディスク（図示せず）等も挙げられる。また、例えばディスクのレーベル面側にもレーザ光Ｌを照射させてレーベル等の各種書込みを行うことが可能とされた光ディスク（図示せず）等も挙げられる。「Blu-ray Disc」系光ディスクＭ１０の信号部Ｍ１５や、ＤＶＤ系光ディスクＭ２０の信号部Ｍ２５等は、例えば金属薄膜などの金属層等により形成されている。金属薄膜などから形成される信号部Ｍ１５またはＭ２５に、情報やデータなどが記録される。
【００３５】
スピンドルモータ（図示せず）によって回転駆動されるターンテーブル（図示せず）上に、光ディスクＭ１０またはＭ２０等が装備される。
【００３６】
第一光ディスクＭ１０（図２，図３（Ａ））の信号部Ｍ１５は、例えば金属薄膜などの金属層等により形成されている。金属薄膜などから形成される層の信号面部Ｍ１５に、情報やデータなどが記録される。また、第二光ディスクＭ２０（図２，図３（Ｂ））の信号部Ｍ２５も、例えば金属薄膜などの金属層等により形成されている。金属薄膜などから形成される層の信号面部Ｍ２５に、情報やデータなどが記録される。また、第三光ディスクの信号部（何れも図示せず）も、例えば金属薄膜などの金属層等により形成されている。金属薄膜などから形成される層の信号面に、情報やデータなどが記録される。
【００３７】
光ディスク装置１は、前記各種ディスクに対応可能とされている。光ディスク装置１が用いられて、各種光ディスクＭ１０，Ｍ２０に記録された情報などのデータ再生が行われる。また、光ディスク装置１が用いられて、各種光ディスクＭ１０，Ｍ２０に情報などのデータ記録が行われる。
【００３８】
光ディスク装置１内にてデータなどの情報の記録が可能な光ディスクＭ１０，Ｍ２０においては、光ディスクＭ１０，Ｍ２０の信号部Ｍ１５，Ｍ２５に、データ／情報が保存されるためのグルーブ（図示せず）が設けられている。グルーブ（groove）とは、細長いへこみを意味する。円板状光ディスクＭ１０，Ｍ２０が平面視されたときに、グルーブは、略螺旋状に形成されている。光ディスクＭ１０，Ｍ２０の信号面側から、光ディスクＭ１０，Ｍ２０を眺めたときに、グルーブは、渦巻状のものとされている。グルーブは、非常に小さいものとされているので、グルーブは、目視不能とされる。図２，図３（Ａ）（Ｂ）において、便宜上、破線を用いて、光ディスクＭ１０，Ｍ２０の信号部Ｍ１５，Ｍ２５を示した。
【００３９】
光ディスクについて説明する。「ＣＤ」は、「Compact Disc」（商標）の略称とされている。また、「ＤＶＤ」（登録商標）は、「Digital Versatile Disc」の略称とされている。また、「ＣＤ−ＲＯＭ」、「ＤＶＤ−ＲＯＭ」及び「ＨＤ  ＤＶＤ−ＲＯＭ」の「ＲＯＭ」は、「Read Only Memory」の略称とされている。また、「ＢＤ−ＲＯＭ」は、「Blu-ray Disc-ROM」の略称とされている。「ＣＤ−ＲＯＭ」、「ＤＶＤ−ＲＯＭ」、「ＨＤ
ＤＶＤ−ＲＯＭ」及び「ＢＤ−ＲＯＭ」は、データ／情報読出し専用のものとされている。また、「ＣＤ−Ｒ」、「ＤＶＤ−Ｒ」、「ＤＶＤ＋Ｒ」及び「ＨＤ  ＤＶＤ−Ｒ」の「Ｒ」は、「Recordable」の略称とされている。また、「ＢＤ−Ｒ」は、「Blu-ray Disc-R」の略称とされている。「ＣＤ−Ｒ」、「ＤＶＤ−Ｒ」、「ＤＶＤ＋Ｒ」、「ＨＤ  ＤＶＤ−Ｒ」及び「ＢＤ−Ｒ」は、データ／情報の書込みが可能なものとされている。また、「ＣＤ−ＲＷ」、「ＤＶＤ−ＲＷ」、「ＤＶＤ＋ＲＷ」及び「ＨＤ  ＤＶＤ−ＲＷ」の「ＲＷ」は、「Re-Writable」の略称とされている。また「ＢＤ−ＲＥ」は、「Blu-ray Disc-RE」の略称とされている。「ＣＤ−ＲＷ」、「ＤＶＤ−ＲＷ」、「ＤＶＤ＋ＲＷ」、「ＨＤ  ＤＶＤ−ＲＷ」及び「ＢＤ−ＲＥ」は、データ／情報の書換えが可能なものとされている。また、「ＤＶＤ−ＲＡＭ」及び「ＨＤ  ＤＶＤ−ＲＡＭ」の「ＲＡＭ」は、「Random Access Memory」の略称とされている。「ＤＶＤ−ＲＡＭ」及び「ＨＤ  ＤＶＤ−ＲＡＭ」は、データ／情報の読書き／消去が可能なものとされている。
【００４０】
また「ＨＤ  ＤＶＤ」は、「High Definition DVD」の略称である。「ＨＤ  ＤＶＤ」は、従来のＤＶＤ系列のものと互換性をもたせ、且つ、従来のＤＶＤ系列のディスクよりも記憶容量の大きいものである。従来のＣＤには、赤外レーザが用いられていた。また、従来のＤＶＤには、赤色レーザが用いられていた。しかしながら、「ＨＤ  ＤＶＤ」の光ディスクＭ２０（図２，図３（Ｂ））に記録されたデータ／情報が読み出されるときや、「ＨＤ  ＤＶＤ」の光ディスクＭ２０にデータ／情報が書き込まれるときには、青紫色レーザが用いられる。また「Blu-ray」とは、従来の信号の読書きに用いられていた赤色のレーザに対し、高密度記録が実現されるために採用された青紫色のレーザを意味する。
【００４１】
「ＤＶＤ」規格の光ディスク（Ｍ２０）と、「ＨＤ  ＤＶＤ」規格の光ディスクＭ２０とは、共通部分の多い互換性のあるものとされていることから、この明細書においては、「ＤＶＤ」規格の光ディスク（Ｍ２０）および／または「ＨＤ  ＤＶＤ」規格の光ディスクＭ２０に関する説明については、便宜上、同じ符号を用いて行う。
【００４２】
この明細書においては、「Blu-ray Disc」規格の光ディスクＭ１０（図２，図３（Ａ））を、便宜上、第一メディアＭ１０と定める。また、「ＨＤ  ＤＶＤ」規格もしくは「ＤＶＤ」規格の光ディスクＭ２０（図２，図３（Ｂ））を、便宜上、第二メディアＭ２０と定める。また、便宜上、第二メディアＭ２０は、他のメディアＭ２０とされる。また、「ＣＤ」規格の光ディスク（図示せず）を、便宜上、第三メディアと定める（何れも図示せず）。また、便宜上、第三メディアは、別のメディアとされる。
【００４３】
光ピックアップ装置２は、前記各種光ディスクに記録されたデータを再生させたり、前記書込み可能もしくは書換え可能な各種光ディスクにデータを記録させたりするものとされている。光ピックアップ（optical pickup）または光ピックアップ装置（optical pickup unit）は、例えば「ＯＰＵ」と略称される。ＯＰＵ２は、ＣＤ系のメディアと、ＤＶＤ系のメディアと、Blu-ray Disc系のメディアとに対応したものとされている。このように、ＯＰＵ２は、複数のメディアに対応したものとされている。
【００４４】
このＯＰＵ２における集光スポットＳ１（図２，図３（Ａ）），Ｓ２（図２，図３（Ｂ））のフォーカシング検出法は、差動非点収差法に基づいた検出法とされている。差動非点収差法とは、例えば、非点収差をもった光学系で結像した点像ひずみを検出することにより、集光スポットＳ１，Ｓ２の変位を検出する方法とされる。このＯＰＵ２は、差動非点収差法による光学系を備えたＯＰＵ２とされている。
【００４５】
また、このＯＰＵ２における集光スポットＳ１（図２，図３（Ａ）），Ｓ２（図２，図３（Ｂ））のトラッキング検出法は、差動プッシュプル法や、位相差法に基づいた検出法とされる。差動プッシュプル法とは、例えば、データ読書き用のメインビームと、位置ずれの補正信号を検出する二つのサブビームとにより、集光スポットＳ１，Ｓ２の変位を検出する方法とされる。位相差法とは、例えば、四分割型光検出器９１，９２（図２）によって検出される位相差信号に基づいた検出法とされる。
【００４６】
第一光検出器９１は、例えば第一センサレンズ８１を透過したメインビーム（０次光）に対応する平面視略矩形のメイン受光部（図示せず）と、第一センサレンズ８１を透過することで分岐された一対のサブビーム（±１次回折光束）に対応する一対の平面視略矩形のサブ受光部（図示せず）との三つの受光部を少なくとも備えて構成される。また、第二光検出器９２は、例えば第二センサレンズ８２を透過したメインビーム（０次光）に対応する平面視略矩形のメイン受光部（図示せず）と、第二センサレンズ８２を透過することで分岐された一対のサブビーム（±１次回折光束）に対応する一対の平面視略矩形のサブ受光部（図示せず）との三つの受光部を少なくとも備えて構成される。
【００４７】
また、光検出器９１，９２（図２）の不図示の平面視略矩形をしたメイン受光部は、略均等に少なくとも四分割されて平面視略矩形の少なくとも四つのセグメントを備える。例えば光検出器９１，９２のメイン受光部（５０）（図４（Ｂ），図５（Ａ））が平面視されたときに、光検出器９１，９２は、例えば略矩形状に複数分割され、且つ、直径が異なる略正円状に複数分割され、各円状輪郭線の中心部が略一致して、少なくとも十二に分割されているとよい。
【００４８】
例えば、光検出器９１，９２（図２）のメイン受光部（５０）（図４（Ｂ），図５（Ａ））全体が平面視されたときに略矩形状に複数分割され、且つ、直径が異なる略正円状に複数分割され、各円状輪郭線の中心部が略一致して、少なくとも十六、具体的には二十の領域（５０ｉａ，５０iiａ，５０iiiａ，５０ivａ，５０ｉｂ，５０iiｂ，５０iiiｂ，５０ivｂ，５０ｉｃ，５０iiｃ，５０iiiｃ，５０ivｃ，５０ｉｄ，５０iiｄ，５０iiiｄ，５０ivｄ，５０ｉｅ，５０iiｅ，５０iiiｅ，５０ivｅ）に区画割りされて、少なくとも十六、具体的には二十の領域（５０ｉａ，５０iiａ，５０iiiａ，５０ivａ，５０ｉｂ，５０iiｂ，５０iiiｂ，５０ivｂ，５０ｉｃ，５０iiｃ，５０iiiｃ，５０ivｃ，５０ｉｄ，５０iiｄ，５０iiiｄ，５０ivｄ，５０ｉｅ，５０iiｅ，５０iiiｅ，５０ivｅ）が各々分離された状態で仕切られて分割されているとよい。
【００４９】
また、光検出器９１，９２（図２）の不図示の平面視略矩形をしたサブ受光部は、略均等に少なくとも四分割されて平面視略矩形の少なくとも四つのセグメントを備える。光ディスク装置１やＯＰＵ２の設計／仕様等により、例えば、略均等に二分割されて平面視略矩形の二つのセグメントを備えた平面視略矩形の受光部（図示せず）を光検出器９１，９２に構成させてもよい。このように、複数の平面視略矩形のセグメントを備えた複数分割タイプの各受光部を有する光検出器９１，９２が、ＯＰＵ２に装備される。
【００５０】
フォーカスとは、焦点やピントを意味する。また、フォーカシングとは、焦点を合わせることや、焦点が合わせられることを意味する。また、トラッキングとは、光を用いて、光ディスクＭ１０，Ｍ２０（図２，図３（Ａ）（Ｂ））の信号部Ｍ１５，Ｍ２５に設けられた微小なピット（穴、凹み）Ｍ１０ｔ，Ｍ２０ｔや、グルーブ（溝）、ウォブル（蛇行）などを追跡観測し、略螺旋状に描かれた軌道の位置を定めることを意味する。また、この明細書におけるフォーカシング方向Ｄｆ、トラッキング方向Ｄｒいわゆるディスク半径方向Ｄｒ、並びにフォーカシング方向Ｄｆおよびトラッキング方向Ｄｒに略直交するタンジェンシャル方向Ｄｔの定義は、ＯＰＵ２や、光ディスク装置１等を説明するための便宜上の定義とされる（図１〜図３）。
【００５１】
先ず、第一発光素子１０（図２）から出射されるレーザの光路について説明する。レーザドライバ（図示せず）から第一発光素子１０へ電流が流されて、第一発光素子１０から第一波長のレーザ光が出力される。詳しく説明すると、レーザドライバから「Blu-ray Disc」用もしくは「ＨＤ  ＤＶＤ」用の発光素子１０へ電流が流されて、「Blu-ray Disc」用もしくは「ＨＤ  ＤＶＤ」用発光素子１０から「ＨＤ  ＤＶＤ」用もしくは「Blu-ray Disc」系ディスクに対応した波長のレーザ光が出力される。第一発光素子１０は、例えば波長が約３５０〜４５０ｎｍ（ナノメータ）、基準とされる波長が略４０５ｎｍの青紫色レーザ光を出射可能な「ＨＤ  ＤＶＤ」用および／または「Blu-ray Disc」用レーザダイオードである。レーザダイオード（laser diode）は、「ＬＤ」と略称される。例えば、第一発光素子１０が第一ＬＤ１０とされ、第二発光素子２０が第二ＬＤ２０とされる。
【００５２】
ＬＤ１０，２０から例えば０．２〜５００ｍＷ（ミリワット）、具体的には２〜４００ｍＷの出力値のレーザ光Ｌが出射される。例えば０．２ｍＷ未満の出力値のレーザ光Ｌとされた場合、光ディスクＭ１０またはＭ２０に照射されたのちに反射され光検出器９１，
９２に届くレーザ光Ｌの光量が不足する。光ディスクＭ１０，Ｍ２０の各データ等を再生させるときには、例えば２〜２０ｍＷ程度という数〜数十ｍＷの出力値のレーザ光Ｌで十分とされる。光ディスクＭ１０，Ｍ２０に各データ等を書き込むときには、数十〜数百ｍＷの出力値のレーザ光Ｌが必要とされる。例えば光ディスクＭ１０，Ｍ２０に高速で各データ等を書き込むときには、４００ｍＷや５００ｍＷ等という高い出力値のパルスレーザ光Ｌが必要とされることがある。
【００５３】
また、レーザドライバは「ＬＤＤ」等と呼ばれている。「ＬＤＤ」は「ＬＤ driver」の略称である。ＬＤＤは、第一ＬＤ１０を駆動させて第一ＬＤ１０から第一波長のレーザ光を出射させるレーザ駆動回路を備えるものとされている。また、ＬＤＤは、第二ＬＤ２０を駆動させて第二ＬＤ２０から第二波長のレーザ光を出射させるレーザ駆動回路を備えるものとされている。また、ＬＤＤは、第二ＬＤ２０を駆動させて第二ＬＤ２０から第三波長のレーザ光を出射させるレーザ駆動回路を備えるものとされている。
【００５４】
第一ＬＤ１０から出射されたレーザ光が、「Blu-ray Disc」規格の光ディスクＭ１０に照射されるまでの光路について説明する。ＬＤＤから第一ＬＤ１０に電流が供給され、第一ＬＤ１０から出射された波長３５０〜４５０ｎｍの青紫色レーザ光により、「Blu-ray Disc」規格の光ディスクＭ１０に情報の記録が行われたり、「Blu-ray Disc」規格の光ディスクＭ１０に記録された情報が再生されたりする。例えば第一ＬＤ１０は、光の回折を利用して、半導体レーザチップ（図示せず）から出射されたレーザ光を、一つのメインビームと、二つのサブビームとに少なくとも分ける回折格子（図示せず）を内部に備えている。第一ＬＤ１０は、特殊なＬＤとして構成されている。
【００５５】
ＬＤ１０，２０が発光するとＬＤ１０，２０から熱が生じる。発光するＬＤ１０，２０から生じた熱により、ＬＤ１０，２０自体の温度が変化する。また、ＬＤ１０，２０における発振波長は、温度に依存する。そのため、ＬＤ１０，２０自体の温度が変化すると、ＬＤ１０，２０から出射されるレーザ光の波長が変動する。レーザ光の波長は、なるべく変動されることなく略一定の波長に保たれることが好ましい。
【００５６】
一般に、ＬＤ１０，２０から出射されるレーザ光は、例えばＰ波とされるが、これに限られるものではない。Ｐ波の「Ｐ」は、ドイツ語の「parallel」の略称とされ、「平行」を意味する。また、Ｐ波に対するＳ波の「Ｓ」は、ドイツ語の「senkrecht」の略称とされ、「垂直」を意味する。例えばＯＰＵ２の設計／仕様などにより、Ｐ波およびＳ波は、使い分けられる。
【００５７】
第一ＬＤ１０から拡大光の第一波長レーザ光が出射される。拡散光／拡大光とは、例えばさまざまな方向に光を拡散／拡大させて照射させる光源の光を意味する。第一ＬＤ１０から出力された拡大光の第一波長レーザ光は、光路Ｌ１ａを通り、「Blu-ray Disc」用もしくは「ＨＤ  ＤＶＤ」用の第一偏光部材３０を通り抜ける。
【００５８】
第一ＬＤ１０から出射された直線偏光Ｐ波の第一波長レーザ光は、光路Ｌ１ａを通り第一偏光部材３０に入射される。偏光部材３０は、偏光部材３０内において、Ｐ波を略直進させて透過させ、Ｓ波を略直角に反射させるものとして構成されている。偏光部材３０内に、直線偏光Ｐ波を略直進させて透過させ直線偏光Ｓ波を略直角に反射させる特殊皮膜３０ｃが設けられている。偏光部材３０は、ダイクロイックフィルタを形成する特殊皮膜３０ｃを備えて構成されている。ダイクロイック（dichroic）とは、二つの色相をもつことを意味する。また、ダイクロイックフィルタは、ダイクロフィルタ等と略称される。また、使用部位や使用方法などにより、偏光部材３０，４０は、例えば、ダイクロイックプリズムや、偏光ビームスプリッタとも呼ばれる。
【００５９】
偏光ビームスプリッタは、ＬＤから出射されたレーザ光が偏光ビームスプリッタ内を透過するときに、光ディスクに照射されるレーザ光に非点が出されないものとされるために、レーザ光の光路上に設けられる。非点とは、例えばピントの位置ずれを意味する。偏光ビームスプリッタは、ＰＢＳと略称して用いられる。「ＰＢＳ」は、「polarized beam splitter」もしくは「polarizing beam splitter」の略称である。例えば、第一偏光部材３０が第一ＰＢＳ３０とされ、第二偏光部材４０が第二ＰＢＳ４０とされる。また、例えば、第三偏光部材３５がハーフミラー３５とされ、第四偏光部材５５がリフレクトミラー５５とされる。
【００６０】
ＰＢＳ３０は、略三角柱状の第一部材３０ａと、この第一部材３０ａに合わせられる略三角柱状の第二部材３０ｂとを備えて構成されている。略三角柱状の第一部材３０ａと、略三角柱状の第二部材３０ｂとが合わせられることにより、特殊な膜３０ｃを備える略立方体形状のＰＢＳ３０が構成される。ＰＢＳ３０を構成する第一部材３０ａと、ＰＢＳ３０を構成する第二部材３０ｂとの間に、特殊な膜３０ｃが設けられている。ＰＢＳ３０内に、特殊な膜３０ｃが形成されている。ＰＢＳ３０内に、直線偏光Ｐ波を略直進させて透過させ、直線偏光Ｓ波を略直角に反射させる特殊皮膜３０ｃが設けられている。
【００６１】
これにより、ＰＢＳ３０に入射された直線偏光Ｐ波のレーザ光は、略直進してＰＢＳ３０内を通り抜けＰＢＳ３０から出射する。また、ＰＢＳ３０に入射された直線偏光Ｓ波のレーザ光は、ＰＢＳ３０内において略直角に反射されてＰＢＳ３０内を通り抜けＰＢＳ３０から出射する。内部に特殊な膜３０ｃを備えたＰＢＳ３０として、例えば、タムロン社製：ＰＢＳプリズムなどが挙げられる。特殊な皮膜は、ダイクロイック皮膜とも呼ばれている。また、ダイクロイック皮膜は、ダイクロ膜などと略称される。第一ＬＤ１０から出射された直線偏光Ｐ波の第一波長レーザ光は、第一ＰＢＳ３０内を略直進して通り抜け、光路Ｌ１ｄを通り、第二ＰＢＳ４０に入射される。
【００６２】
ＰＢＳ４０は、略三角柱状の第一部材４０ａと、この第一部材４０ａに合わせられる略三角柱状の第二部材４０ｂとを備えて構成されている。略三角柱状の第一部材４０ａと、略三角柱状の第二部材４０ｂとが合わせられることにより、特殊な膜４０ｃを備える略立方体形状のＰＢＳ４０が構成される。ＰＢＳ４０を構成する第一部材４０ａと、ＰＢＳ４０を構成する第二部材４０ｂとの間に、特殊な膜４０ｃが設けられている。ＰＢＳ４０内に、特殊な膜４０ｃが形成されている。
【００６３】
ＰＢＳ４０内に、Ｐ波またはＳ波に関わりなく、波長約３５０〜４５０ｎｍの青紫色をした「Blu-ray Disc」用の第一波長レーザ光もしくは波長約３５０〜４５０ｎｍの青紫色をした「ＨＤ  ＤＶＤ」用の第一波長レーザ光を略直進させて透過させ、波長約６３０〜６８５ｎｍの赤色をしたＤＶＤ用の第二波長レーザ光を略直角に反射させ、波長約７６５〜８３０ｎｍの赤外レーザ光とされるＣＤ用の第三波長レーザ光を略直角に反射させる特殊偏光性皮膜４０ｃが設けられている。
【００６４】
これにより、ＰＢＳ４０に入射された第一波長レーザ光は、略直進してＰＢＳ４０内を通り抜けＰＢＳ４０から出射する。また、ＰＢＳ４０に入射された第二波長レーザ光またはＰＢＳ４０に入射された第三波長レーザ光は、ＰＢＳ４０内において略直角に反射されてＰＢＳ４０内を通り抜けＰＢＳ４０から出射する。ＰＢＳ４０は、「Blu-ray Disc」用または「ＨＤ  ＤＶＤ」用の第一波長レーザ光と、ＤＶＤ用の第二波長のレーザ光と、ＣＤ用の第三波長のレーザ光との三波長に対応可能なＰＢＳ４０とされている。
【００６５】
例えば、光路Ｌ１ｄを通って第二ＰＢＳ４０内の特殊皮膜４０ｃに照射された第一波長レーザ光の略９２〜９８％の光は、略立方体状の第二ＰＢＳ４０内の特殊皮膜４０ｃを透過し、コリメータレンズ４５に向けて光路Ｌ３ａを進む。また、例えば、光路Ｌ１ｄを通
って第二ＰＢＳ４０内の特殊皮膜４０ｃに照射された第一波長レーザ光の略２〜８％の光は、略立方体状の第二ＰＢＳ４０内の特殊皮膜４０ｃを略直角に反射し、受光素子４３に向けて光路Ｌ３ｆを進む。
【００６６】
具体的に説明すると、光路Ｌ１ｄを通って第二ＰＢＳ４０内の特殊皮膜４０ｃに照射された第一波長レーザ光の略９３〜９７％の光は、略立方体状の第二ＰＢＳ４０内の特殊皮膜４０ｃを透過し、コリメータレンズ４５に向けて光路Ｌ３ａを進む。また、光路Ｌ１ｄを通って第二ＰＢＳ４０内の特殊皮膜４０ｃに照射された第一波長レーザ光の略３〜７％の光は、略立方体状の第二ＰＢＳ４０内の特殊皮膜４０ｃを略直角に反射し、受光素子４３に向けて光路Ｌ３ｆを進む。
【００６７】
ＰＢＳ４０は、ダイクロイックフィルタを形成する特殊皮膜４０ｃを備えて構成されている。第二ＰＢＳ４０内の特殊皮膜４０ｃは、例えばダイクロイック皮膜４０ｃとして形成されている。
【００６８】
第二ＰＢＳ４０内の特殊皮膜４０ｃに第一波長レーザ光が当てられたときに、第一波長レーザ光の透過量が例えば９２％よりも少ない場合、即ち、第一波長レーザ光の反射量が例えば８％よりも多い場合、光ディスクＭ１０又はＭ２０に第一波長レーザ光を照射させるための必要な光量が不足する。
【００６９】
具体的に説明すると、第二ＰＢＳ４０内の特殊皮膜４０ｃに第一波長レーザ光が当てられたときに、第一波長レーザ光の透過量が例えば９３％よりも少ない場合、即ち、第一波長レーザ光の反射量が例えば７％よりも多い場合、光ディスクＭ１０又はＭ２０に第一波長レーザ光を照射させるための必要な光量が不足する。
【００７０】
第二ＰＢＳ４０内の特殊皮膜４０ｃに第一波長レーザ光が当てられたときに、第一波長レーザ光の透過量が例えば９８％よりも多い場合、即ち、第一波長レーザ光の反射量が例えば２％よりも少ない場合、受光素子４３に必要とされる第一波長レーザ光の受光量が不足する。
【００７１】
具体的に説明すると、第二ＰＢＳ４０内の特殊皮膜４０ｃに第一波長レーザ光が当てられたときに、第一波長レーザ光の透過量が例えば９７％よりも多い場合、即ち、第一波長レーザ光の反射量が例えば３％よりも少ない場合、受光素子４３に必要とされる第一波長レーザ光の受光量が不足する。
【００７２】
第二ＰＢＳ４０内の特殊皮膜４０ｃに第一波長レーザ光が当てられたときに、第一波長レーザ光の透過量が例えば９５％とされた場合、即ち、第一波長レーザ光の反射量が例えば５％とされた場合、光ディスクＭ１０に十分なレーザ光が照射されると共に、受光素子４３に必要とされる適度なレーザ光が照射される。従って、このような特性をもつ第二ＰＢＳ４０がＯＰＵ２に装備されることが好ましい。
【００７３】
ＰＢＳ４０のダイクロ膜４０ｃは、波長約３５０〜４５０ｎｍの「Blu-ray Disc」用レーザ光（第一波長レーザ光）もしくは「ＨＤ  ＤＶＤ」用レーザ光（第一波長レーザ光）に対し、その殆どを透過させる。波長３５０〜４５０ｎｍの第一波長レーザ光が第二ＰＢＳ４０に当てられたときに、第二ＰＢＳ４０は、大部分の波長３５０〜４５０ｎｍの第一波長レーザ光を透過させ、一部の波長３５０〜４５０ｎｍの第一波長レーザ光を反射させるものとして形成されている。特殊な膜４０ｃが設けられたＰＢＳ４０として、例えば、タムロン社製：ＰＢＳプリズム、ダイクロイック・プリズムなどが挙げられる。
【００７４】
略立方体状の第二ＰＢＳ４０内の特殊皮膜４０ｃによって略直角に反射された一部の第
一波長レーザ光は、光路Ｌ３ｆを通り受光素子４３に達する。受光素子４３は、レーザ光の一部が照射されるフロントモニタダイオードとして構成されている。フロントモニタダイオード（front monitor diode）は、「ＦＭＤ」と略称される。ＦＭＤ４３は、ＬＤ１０又はＬＤ２０から出力されるレーザ光をモニタして、ＬＤ１０又はＬＤ２０の制御のためにフィードバックをかけるものとされている。
【００７５】
ＰＢＳ４０内を略直進して透過した大部分の拡大光の第一波長レーザ光は、光路Ｌ３ａを通り、コリメータレンズ４５を透過する。コリメータレンズは、ＬＤ１０，２０側からレンズに入射された光を平行光もしくは略平行光とさせて出射させる。平行光とは、光線が広がらずにどこまでも平行に進む光を意味する。コリメータレンズは、例えばコリメートレンズなどとも呼ばれる。また、コリメータレンズ（collimator lens）は、「ＣＬ」または「ＣＯＬ」と略称される。
【００７６】
ＣＬ４５を透過して略平行光となった第一波長のレーザ光は、光路Ｌ３ｂを通り液晶補正素子５０を通り抜ける。液晶補正素子５０は、電圧のＯＮ／ＯＦＦにより偏光状態を切替え可能なアクティブ波長板として構成されている。液晶とは、固体と液体との中間的な状態の物質を意味する。液晶材料は、全体が液体のような流動性を示すものとされながら、結晶に似た構造の規則性をもつものとされ、光学的に異方性をもつものとされている。液晶素子は、例えばＬＣＤとも呼ばれる。「ＬＣＤ」は、例えば「liquid crystal device」または「liquid crystal display」の略称である。例えば、量産性、価格低減化等に優れるＴＮ（Twisted Nematic）モードのＬＣＤ５０が用いられる。また、例えば電気光学特性の急峻性に優れるＳＴＮ（Super-twisted Nematic）モードのＬＣＤ５０が用いられる。また、例えば白黒表示ＳＴＮモードのＬＣＤ５０が用いられる。ＬＣＤ５０を透過する光軸方向に沿ってＬＣＤ５０が動かされることなく、ＬＣＤ５０は、各種部品が収容されるハウジング（図示せず）に固定されている。ハウジング（housing）とは、例えば、装置、部品などの物が収容される箱形のものや、箱に類似したものを意味する。
【００７７】
「Blu-ray Disc」規格の光ディスクＭ１０のデータが再生されるとき、又は、「Blu-ray Disc」規格の光ディスクＭ１０にデータが記録されるときに、ＬＣＤ５０におけるＬＤ１０側の光路Ｌ３ｂからＬＣＤ５０に入射された直線偏光Ｐ波の第一波長レーザ光は、偏光状態が変えられて、直線偏光Ｓ波の第一波長レーザ光として、ＬＣＤ５０における対物レンズ６０側の光路Ｌ３ｃに出射される。ＬＣＤ５０を透過した直線偏光Ｓ波の第一波長レーザ光は、光路Ｌ３ｃを通りエキスパンダレンズ５２，５３に達する。
【００７８】
ＬＣＤ５０を透過した直線偏光Ｓ波の第一波長レーザ光は、例えば凹レンズ型ビームエキスパンダレンズ５２および凸レンズ型ビームエキスパンダレンズ５３を透過する。一対のビームエキスパンダレンズ５２，５３を備えるビームエキスパンダユニット５１は、レーザ光を必要な大きさに変える可動のものとされている。この明細書におけるエキスパンダユニット（expander unit）とは、レーザ光を必要な大きさに変える可動のものとされる。例えば、固定側の凹レンズ型ビームエキスパンダレンズ５２に対し、可動モータ（図示せず）が用いられて、光路Ｌ３ｄ，Ｌ３ｅ上において可動側の凸レンズ型ビームエキスパンダレンズ５３がビームエキスパンダレンズ５２，５３の光軸方向に沿って移動することで、レーザ光が必要な大きさに可変される。
【００７９】
不図示の可動モータを構成する例えば小型電動機として、電気が流されることにより正転駆動または逆転駆動が可能な小型ステッピングモータが用いられている。ステッピングモータとは、例えばパルス信号が入力されることにより回動するモータを意味する。ステッピングモータは、例えば位置決め制御が行われ易いモータとされ、微細な送り動作等が行われるときに適したモータとされている。
【００８０】
Blu-ray Disc規格の光ディスクＭ１０にデータの記録が行われたり、Blu-ray Disc規格の光ディスクＭ１０に記録されたデータが再生されたりするときに、一対のビームエキスパンダレンズ５２，５３を備えるビームエキスパンダユニット５１が必要となる。
【００８１】
例えば、「Blu-ray Disc」用の光ディスクＭ１０（図３（Ａ））の各基板Ｍ１１，Ｍ１２における厚さＭ１１ｔ，Ｍ１２ｔと、「ＨＤ  ＤＶＤ」系列の光ディスクＭ２０（図３（Ｂ））の各基板Ｍ２１，Ｍ２２における厚さＭ２１ｔ，Ｍ２２ｔとは異なる。また、「Blu-ray Disc」用の光ディスクＭ１０と、「ＨＤ  ＤＶＤ」系列の光ディスクＭ２０とでは、フォーカシング方向Ｄｆに沿った光軸上において、各光ディスクＭ１０，Ｍ２０の信号部Ｍ１５，Ｍ２５に照射形成されるレーザ光のスポットＳ１，Ｓ２の焦点位置が異なる。また、光ディスクＭ１０に対する第一対物レンズ６０の作動距離ＷＤｂいわゆるワーキングディスタンスＷＤｂと、光ディスクＭ２０に対する第二対物レンズ７０の作動距離ＷＤｄいわゆるワーキングディスタンスＷＤｄとが異なる。
【００８２】
こうしたことに対応して、高精度な集光スポットＳ１，Ｓ２が各種光ディスクＭ１０，Ｍ２０等に照射形成されるために、一対のビームエキスパンダレンズ５２，５３（図２）を備えるビームエキスパンダユニット５１がＯＰＵ２に必要となる。このように、このＯＰＵ２は、レーザ光を所定の大きさに変化させるビームエキスパンダユニット５１を備えて構成される。
【００８３】
例えば、固定側の凹レンズ型ビームエキスパンダレンズ５２に対し、凸レンズ型ビームエキスパンダレンズ５３がビームエキスパンダレンズ５２，５３の光軸方向に沿って動かされることにより、四層の信号面（図示せず）を備える不図示の「Blu-ray Disc」用光ディスクに生じた球面収差を最小に補正させることが可能となる。
【００８４】
ビームエキスパンダレンズ５２，５３を備えるビームエキスパンダユニット５１は、凹レンズ型ビームエキスパンダレンズ５２もしくは凸レンズ型ビームエキスパンダレンズ５３の何れか一方または両方が、ビームエキスパンダレンズ５２，５３の光軸方向に沿って可動されるものとして構成される。ビームエキスパンダユニット５１の一対のビームエキスパンダレンズ５２，５３を透過したＳ波の第一波長レーザ光は、光路Ｌ３ｅを通り、偏光性ミラー５５に達する。
【００８５】
偏光性ミラー５５におけるビームエキスパンダユニット５１側もしくは開口制限付広帯域１／４波長板５７側を偏光性ミラー５５の表面側とする。また、偏光性ミラー５５におけるBlu-ray disc用反射性ミラー５６側を、偏光性ミラー５５の裏面側とする。この明細書における偏光性ミラー５５の「表」、「裏」の定義は、偏光性ミラー５５が備えられたＯＰＵ２を説明するための便宜上の定義とされる。また、便宜上、偏光性ミラー５５を第一偏光性ミラー５５と定義し、偏光性ミラー３５を第二偏光性ミラー３５と定義する。
【００８６】
偏光性ミラー５５の表側面５５ａに、波長約３５０〜４５０ｎｍの青紫色をした「Blu-ray Disc」用の第一波長レーザ光のＳ波を略直進させて透過させ、波長約３５０〜４５０ｎｍの青紫色をした「ＨＤ  ＤＶＤ」用の第一波長レーザ光のＰ波を略直角に反射させる特殊偏光性皮膜５５ｃが設けられている。
【００８７】
従って、Ｓ波の第一波長レーザ光は、偏光性ミラー５５を透過する。ビームエキスパンダユニット５１側（ＬＤ１０側）から偏光性ミラー５５の表側面５５ａにＳ波の第一波長レーザ光が照射されたときに、Ｓ波の第一波長レーザ光は、偏光性ミラー５５の表側面５５ａから偏光性ミラー５５の内部５５ｎを透過し偏光性ミラー５５の裏側面５５ｂから反射性ミラー５６に向けて出射する。ビームエキスパンダユニット５１側（ＬＤ１０側）から偏光性ミラー５５の表側面５５ａにＰ波の第一波長レーザ光が照射されたときに、Ｐ波
の第一波長レーザ光は、偏光性ミラー５５の表側面５５ａにおいて略直角に反射され、開口制限付広帯域１／４波長板５７に向けて進む。
【００８８】
特殊な偏光性皮膜５５ｃが設けられた偏光性ミラー５５の表側面５５ａは、略平滑な面として形成されている。また、偏光性ミラー５５の裏側面５５ｂも、略平滑な面として形成されている。
【００８９】
なお、偏光性ミラー５５の表側面５５ａに設けられた特殊偏光性皮膜５５ｃに、波長約６３０〜６８５ｎｍのＤＶＤ用レーザ光（第二波長レーザ光）、又は、波長約７６５〜８３０ｎｍのＣＤ用レーザ光（第三波長レーザ光）が照射されたときには、ＤＶＤ用レーザ光（第二波長レーザ光）またはＣＤ用レーザ光（第三波長レーザ光）は反射される。偏光性ミラー５５の表側面５５ａに設けられた特殊偏光性皮膜５５ｃは、波長約６３０〜６８５ｎｍのＤＶＤ用レーザ光（第二波長レーザ光）と、波長約７６５〜８３０ｎｍのＣＤ用レーザ光（第三波長レーザ光）とについては、Ｐ波もしくはＳ波に関わりなくレーザ光を反射させる。表面５５ａに特殊な膜５５ｃが設けられた偏光性ミラー５５として、例えば、タムロン社製：膜付ミラーなどが挙げられる。
【００９０】
偏光性ミラー５５を透過したＳ波の第一波長レーザ光は、光路Ｌ４ａを通り、Blu-ray Disc用反射性ミラー５６を略直角に反射し、光路Ｌ４ｂを通り、第一対物レンズ６０を通り抜ける。Blu-ray Disc用反射性ミラー５６に、レーザ光を略全反射させる皮膜５６ｃが設けられている。従って、Blu-ray Disc用反射性ミラー５６に当てられたレーザ光は、略全反射される。ミラー（mirror）は、例えば「ＭＲ」と略称される。光を略全反射させる皮膜が形成された反射性ミラーとして、例えば、日東光器社製：全反射ミラーなどが挙げられる。
【００９１】
略平行光となっているＳ波の第一波長レーザ光は、開口数略０．８５の第一対物レンズ６０によって収束光となり、光路Ｌ４ｃを通って「Blu-ray Disc」規格の光ディスクＭ１０の信号部Ｍ１５に照射される。対物レンズは、ＬＤから出射されたレーザ光を光ディスク上に集光させる役割を果す。対物レンズ（objective lens）は、「ＯＢＬ」と略称されている。また、開口数とは、例えば光学器械で対物レンズの有効半径（入射ひとみの半径）を物点から見る角の正弦と、入射側の媒質の屈折率との積をいう。開口数（Numerical Aperture）は、「ＮＡ」と省略される。開口数は、対物レンズの性能を表すときに用いられる。また、収束光とは、例えば拡散光／拡大光の逆のようなものとされ、例えば光線が互いに近付けられるような光を意味する。
【００９２】
「Blu-ray Disc」用光ディスクＭ１０に対し、レンズホルダ（図示せず）に装備された第一ＯＢＬ６０のフォーカシングサーボが行われるときに、第一ＯＢＬ６０を備えるレンズホルダは、フォーカシングコイル１７１（図１）を備えるアクチュエータ（図示せず）によりフォーカシング方向Ｄｆ（図２，図３）に沿って動かされる。また、「Blu-ray Disc」用光ディスクＭ１０に対し、不図示のレンズホルダに装備された第一ＯＢＬ６０のトラッキングサーボが行われるときに、第一ＯＢＬ６０を備えるレンズホルダは、トラッキングコイル１７２（図１）を備えるアクチュエータ（図示せず）によりトラッキング方向Ｄｒ（図２，図３）に沿って動かされる。また、「Blu-ray Disc」用光ディスクＭ１０に対し、レンズホルダに装備された第一ＯＢＬ６０のチルト制御が行われるときに、第一ＯＢＬ６０を備えるレンズホルダは、例えばチルトコイル１７３（図１）を備えるアクチュエータ（図示せず）により傾けられつつ揺動される。第一ＯＢＬ６０（図２，図３）が装備されたレンズホルダは、複数本のワイヤ（図示せず）が用いられて駆動される。また、第一ＯＢＬ６０に隣接して、第二ＯＢＬ７０が不図示のレンズホルダに装備される。また、第一ＯＢＬ６０と、第二ＯＢＬ７０と、フォーカシングコイル１７１と、トラッキングコイル１７２と、チルトコイル１７３とは、不図示のレンズホルダに装着される。「アク
チュエータ」とは、例えばエネルギーを並進運動または回転運動等に変換させる駆動装置を意味する。
【００９３】
第一ＬＤ１０から出射された拡大光の直線偏光Ｐ波の第一波長レーザ光は、光路Ｌ１ａと光路Ｌ１ｄと光路Ｌ１ｃとの境界に位置する第一ＰＢＳ３０を略直進して通り抜け、光路Ｌ１ｄと光路Ｌ３ａと光路Ｌ２ｅとの境界に位置する第二ＰＢＳ４０を略直進して通り抜け、光路Ｌ３ａと光路Ｌ３ｂとの間に位置するＣＬ４５により拡大光から略平行光に変えられ、光路Ｌ３ｂと光路Ｌ３ｃとの間に位置するＬＣＤ５０により直線偏光Ｓ波とされる。直線偏光Ｓ波となった第一波長レーザ光は、光路Ｌ３ｃ，Ｌ３ｄ，Ｌ３ｅ内に位置する一対のビームエキスパンダレンズ５２，５３により光の調整が行われ、光路Ｌ３ｅと光路Ｌ４ａと光路Ｌ５ａとの境界に位置する偏光性ミラー５５を通り抜け、光路Ｌ４ａと光路Ｌ４ｂとが交わる部分に位置する反射性ミラー５６により略直角に反射され、光路Ｌ４ｂと光路Ｌ４ｃとの間に位置する第一ＯＢＬ６０により収束光とされ、「Blu-ray Disc」規格の光ディスクＭ１０の信号部Ｍ１５に集光される。第一波長のレーザ光は、このように往路をたどり、第一メディアＭ１０とされる「Blu-ray Disc」規格の光ディスクＭ１０に集光される。
【００９４】
次に、「Blu-ray Disc」規格の光ディスクＭ１０に対し反射したＳ波の第一波長レーザ光の復路について説明する。「Blu-ray Disc」規格の光ディスクＭ１０の信号部Ｍ１５を反射したＳ波の第一波長レーザ光は、光路Ｌ４ｃを通り、第一ＯＢＬ６０を透過して拡大光から略平行光となり、光路Ｌ４ｂを通り、反射性ミラー５６において略直角に反射する。反射性ミラー５６において略直角に反射したＳ波の第一波長レーザ光は、光路Ｌ４ａを通り、偏光性ミラー５５内を略直進して通り抜ける。偏光性ミラー５５の表側面５５ａに、波長約３５０〜４５０ｎｍの青紫色をした「Blu-ray Disc」用の第一波長レーザ光のＳ波を略直進させて透過させ、波長約３５０〜４５０ｎｍの青紫色をした「ＨＤ  ＤＶＤ」用の第一波長レーザ光のＰ波を略直角に反射させる特殊偏光性皮膜５５ｃが設けられているので、Ｓ波の第一波長レーザ光は、偏光性ミラー５５を透過する。偏光性ミラー５５を透過したＳ波の第一波長レーザ光は、光路Ｌ３ｅを通り、凸レンズ型ビームエキスパンダレンズ５３を透過し、光路Ｌ３ｄを通り、凹レンズ型ビームエキスパンダレンズ５２を透過し、光路Ｌ３ｃを通ってＬＣＤ５０に達する。
【００９５】
「Blu-ray Disc」規格の光ディスクＭ１０のデータが再生されるとき、又は、「Blu-ray Disc」規格の光ディスクＭ１０にデータが記録されるときに、ＬＣＤ５０におけるＯＢＬ６０側の光路Ｌ３ｃからＬＣＤ５０に入射された直線偏光Ｓ波の第一波長レーザ光は、偏光状態が変えられることなく、直線偏光Ｓ波の第一波長レーザ光として、ＬＣＤ５０におけるＬＤ１０側の光路Ｌ３ｂに出射される。ＬＣＤ５０を透過した直線偏光Ｓ波の第一波長レーザ光は、光路Ｌ３ｂを通りＣＬ４５に達する。
【００９６】
略平行光の直線偏光Ｓ波の第一波長レーザ光がＣＬ４５を透過するときに、第一波長レーザ光は、収束光の直線偏光Ｓ波の第一波長レーザ光となる。ＣＬ４５を透過して収束光となった第一波長レーザ光は、光路Ｌ３ａを通り第二ＰＢＳ４０に達する。
【００９７】
ＰＢＳ４０内に、Ｐ波またはＳ波に関わりなく、波長約３５０〜４５０ｎｍの青紫色をした大部分の第一波長レーザ光を略直進させて透過させる特殊偏光性皮膜４０ｃが設けられているので、ＰＢＳ４０に入射された大部分の直線偏光Ｓ波の第一波長レーザ光は、ＰＢＳ４０内を略直進透過してＰＢＳ４０から出射され、光路Ｌ１ｄを通り第一ＰＢＳ３０に達する。
【００９８】
第一ＰＢＳ３０内に、直線偏光Ｐ波を略直進させて透過させ、直線偏光Ｓ波を略直角に反射させる特殊皮膜３０ｃが設けられているので、ＰＢＳ３０に入射された直線偏光Ｓ波
の第一波長レーザ光は、ＰＢＳ３０内の特殊皮膜３０ｃにて略直角に反射され光路Ｌ１ｃを通り第一センサレンズ８１に達する。
【００９９】
直線偏光Ｓ波の第一波長レーザ光がセンサレンズ８１を透過するときに、第一波長レーザ光に非点収差が生じる。センサレンズ８１，８２は、レーザ光の非点収差を発生させるものとされている。収差とは、例えばレンズなどを通る光線が正しく一点に集められず、不完全な像ができることを意味する。また、非点収差とは、ピント位置の差を意味する。センサレンズ８１，８２は、例えば、パワーレンズや、アナモフィックレンズ（アナモレンズ）と呼ばれることもある。
【０１００】
センサレンズ８１を透過した第一波長レーザ光は、光路Ｌ１ｂを通って光検出器９１に達する。光検出器９１は、光ディスクＭ１０，Ｍ２０から反射されたレーザ光を受けて、その信号を電気信号に変え、光ディスクＭ１０，Ｍ２０に記録された情報を検出するためのものとされている。また、光検出器９１は、光ディスクＭ１０，Ｍ２０から反射されたレーザ光を受けて、その信号を電気信号に変えて、光ピックアップ装置ＯＰＵ２を構成するＯＢＬ付レンズホルダ（図示せず）のサーボ機構（図示せず）を動作させるためのものとされている。光検出器（photo detector／photo diode IC）は、例えば「ＰＤ」または「ＰＤＩＣ」と略称される。
【０１０１】
「Blu-ray Disc」規格の光ディスクＭ１０の信号部Ｍ１５にて反射された拡大光の直線偏光Ｓ波の第一波長レーザ光は、光路Ｌ４ｃと光路Ｌ４ｂとの間に位置する第一ＯＢＬ６０により略平行光とされ、光路Ｌ４ｂと光路Ｌ４ａとが交わる部分に位置する反射性ミラー５６により略直角に反射され、光路Ｌ４ａと光路Ｌ３ｅと光路Ｌ５ａとの境界に位置する偏光性ミラー５５を通り抜け、光路Ｌ３ｅ，Ｌ３ｄ，Ｌ３ｃ内に位置する一対のビームエキスパンダレンズ５３，５２により光の調整が行われ、偏光状態が変化されることなく光路Ｌ３ｃと光路Ｌ３ｂとの間に位置するＬＣＤ５０を通り抜け、光路Ｌ３ｂと光路Ｌ３ａとの間に位置するＣＬ４５により略平行光から収束光に変えられ、光路Ｌ３ａと光路Ｌ１ｄと光路Ｌ２ｅとの境界に位置する第二ＰＢＳ４０を略直進して通り抜け、光路Ｌ１ｄと光路Ｌ１ａと光路Ｌ１ｃとの境界に位置する第一ＰＢＳ３０内を略直角に反射して通り抜け、光路Ｌ１ｃと光路Ｌ１ｂとの間に位置するセンサレンズ８１を透過することにより非点収差が生じた光とされて、光路Ｌ１ｂの終端に位置するＰＤＩＣ９１に照射される。「Blu-ray Disc」規格の光ディスクＭ１０を反射した第一波長のレーザ光は、このように復路をたどり、第一ＰＤＩＣ９１に照射される。
【０１０２】
次に、第一ＬＤ１０から出射されたレーザ光が、「ＨＤ  ＤＶＤ」規格の光ディスクＭ２０に照射されるまでの光路について説明する。ＬＤＤから第一ＬＤ１０に電流が供給され、第一ＬＤ１０から出射された波長３５０〜４５０ｎｍの青紫色レーザ光により、「ＨＤ  ＤＶＤ」規格の光ディスクＭ２０に情報の記録が行われたり、「ＨＤ  ＤＶＤ」規格の光ディスクＭ２０に記録された情報が再生されたりする。
【０１０３】
第一ＬＤ１０から出力された拡大光の第一波長レーザ光は、光路Ｌ１ａを通り、「Blu-ray Disc」用もしくは「ＨＤ  ＤＶＤ」用の第一ＰＢＳ３０を通り抜ける。第一ＬＤ１０から出射された直線偏光Ｐ波の第一波長レーザ光は、光路Ｌ１ａを通り第一ＰＢＳ３０に入射される。第一ＬＤ１０から出射された直線偏光Ｐ波の第一波長レーザ光は、第一ＰＢＳ３０内を略直進して通り抜け、光路Ｌ１ｄを通り、第二ＰＢＳ４０に入射される。ＰＢＳ４０に入射された第一波長レーザ光は、略直進してＰＢＳ４０内を通り抜けＰＢＳ４０から出射する。略立方体状の第二ＰＢＳ４０内の特殊皮膜４０ｃによって略直角に反射された一部の第一波長レーザ光は、光路Ｌ３ｆを通りＦＭＤ４３に達する。また、ＰＢＳ４０内を略直進して透過した大部分の拡大光の第一波長レーザ光は、光路Ｌ３ａを通り、ＣＬ４５を透過する。
【０１０４】
ＣＬ４５を透過して略平行光となった第一波長のレーザ光は、光路Ｌ３ｂを通りＬＣＤ５０を通り抜ける。「ＨＤ  ＤＶＤ」規格の光ディスクＭ２０のデータが再生されるとき、又は、「ＨＤ  ＤＶＤ」規格の光ディスクＭ２０にデータが記録されるときに、ＬＣＤ５０におけるＬＤ１０側の光路Ｌ３ｂからＬＣＤ５０に入射された直線偏光Ｐ波の第一波長レーザ光は、偏光状態が変えられることなく、直線偏光Ｐ波の第一波長レーザ光として、ＬＣＤ５０におけるＯＢＬ７０側の光路Ｌ３ｃに出射される。ＬＣＤ５０を透過した直線偏光Ｐ波の第一波長レーザ光は、光路Ｌ３ｃを通りエキスパンダレンズ５２，５３に達する。
【０１０５】
ＬＣＤ５０を透過した直線偏光Ｐ波の第一波長レーザ光は、例えば凹レンズ型ビームエキスパンダレンズ５２および凸レンズ型ビームエキスパンダレンズ５３を透過する。例えば、固定側の凹レンズ型ビームエキスパンダレンズ５２に対し、可動モータ（図示せず）が用いられて、光路Ｌ３ｄ，Ｌ３ｅ上において可動側の凸レンズ型ビームエキスパンダレンズ５３がビームエキスパンダレンズ５２，５３の光軸方向に沿って移動することで、レーザ光が必要な大きさに可変される。
【０１０６】
ＨＤ  ＤＶＤ規格の光ディスクＭ２０にデータの記録が行われたり、ＨＤ  ＤＶＤ規格の光ディスクＭ２０に記録されたデータが再生されたりするときに、一対のビームエキスパンダレンズ５２，５３を備えるビームエキスパンダユニット５１が必要となることがある。例えば、固定側の凹レンズ型ビームエキスパンダレンズ５２に対し、可動側の凸レンズ型ビームエキスパンダレンズ５３は、予め定められた位置に固定される。
【０１０７】
また、例えば、固定側の凹レンズ型ビームエキスパンダレンズ５２に対し、凸レンズ型ビームエキスパンダレンズ５３がビームエキスパンダレンズ５２，５３の光軸方向に沿って動かされることにより、三層の信号面（図示せず）を備える不図示の「ＨＤ  ＤＶＤ」用光ディスクに生じた球面収差を最小に補正させることが可能となる。ビームエキスパンダユニット５１の一対のビームエキスパンダレンズ５２，５３を透過したＰ波の第一波長レーザ光は、光路Ｌ３ｅを通り、偏光性ミラー５５に達する。
【０１０８】
偏光性ミラー５５の表側面５５ａに、波長約３５０〜４５０ｎｍの青紫色をした「ＨＤ
ＤＶＤ」用の第一波長レーザ光のＳ波を略直進させて透過させ、波長約３５０〜４５０ｎｍの青紫色をした「ＨＤ  ＤＶＤ」用の第一波長レーザ光のＰ波を略直角に反射させる特殊偏光性皮膜５５ｃが設けられているので、Ｐ波の第一波長レーザ光は、偏光性ミラー５５を略直角に反射する。
【０１０９】
偏光性ミラー５５を略直角に反射したＰ波の第一波長レーザ光は、光路Ｌ５ａを通り、開口制限付広帯域１／４波長板５７を通り抜ける。開口制限付広帯域１／４波長板５７は、波長約７６５〜８３０ｎｍのＣＤ用の赤外レーザ光（第三波長レーザ光）の透過を一部制限させ、一部透過制限された第三波長レーザ光がＮＡ略０．６〜０．６６のＯＢＬ７０を透過したときに、第三波長レーザ光に対応した第三メディア（図示せず）の信号面部（何れも図示せず）に第三波長レーザ光を正確に集光させる役割の一端を果す。しかしながら、開口制限付広帯域１／４波長板５７は、波長約３５０〜４５０ｎｍの「ＨＤ  ＤＶＤ」用の青紫色レーザ光（第一波長レーザ光）の透過を特に制限させない。また、開口制限付広帯域１／４波長板５７は、波長約６３０〜６８５ｎｍのＤＶＤ用の赤色レーザ光（第二波長レーザ光）の透過を特に制限させない。従って、波長約３５０〜４５０ｎｍの青紫色をした第一波長レーザ光が開口制限付広帯域１／４波長板５７を通過しても、第一波長レーザ光に大きな変化は生じない。このように、このＯＰＵ２は、第一波長レーザ光および／または第二波長レーザ光の透過を特に制限させることなく、第三波長レーザ光の透過を制限させる開口制限付広帯域１／４波長板５７を備えている。１／４波長板は、１／４
λ板とも呼ばれる。また、１／４波長板（quarter-wave plate）は、「ＱＷＰ」と略称される。
【０１１０】
開口制限付広帯域ＱＷＰ５７を透過したＰ波の第一波長レーザ光は、光路Ｌ５ｂを通り、第二のＯＢＬ７０を通り抜ける。略平行光となっているＰ波の第一波長レーザ光は、ＮＡ略０．６〜０．６６の第二ＯＢＬ７０によって収束光となり、光路Ｌ５ｃを通って「ＨＤ  ＤＶＤ」規格の光ディスクＭ２０の信号部Ｍ２５に照射される。
【０１１１】
「ＨＤ  ＤＶＤ」用光ディスクＭ２０に対し、レンズホルダ（図示せず）に装備された第二ＯＢＬ７０のフォーカシングサーボが行われるときに、第二ＯＢＬ７０を備えるレンズホルダは、フォーカシングコイル１７１（図１）を備える不図示のアクチュエータによりフォーカシング方向Ｄｆ（図２，図３）に沿って動かされる。また、「ＨＤ  ＤＶＤ」用光ディスクＭ２０に対し、不図示のレンズホルダに装備された第二ＯＢＬ７０のトラッキングサーボが行われるときに、第二ＯＢＬ７０を備えるレンズホルダは、トラッキングコイル１７２（図１）を備える不図示のアクチュエータによりトラッキング方向Ｄｒ（図２，図３）に沿って動かされる。また、「ＨＤ  ＤＶＤ」用光ディスクＭ２０に対し、レンズホルダに装備された第二ＯＢＬ７０のチルト制御が行われるときに、第二ＯＢＬ７０を備えるレンズホルダは、例えばチルトコイル１７３（図１）を備える不図示のアクチュエータにより傾けられつつ揺動される。第二ＯＢＬ７０（図２，図３）が装備されたレンズホルダは、不図示の複数本のワイヤが用いられて駆動される。また、第二ＯＢＬ７０に隣接して、第一ＯＢＬ６０が不図示のレンズホルダに装備される。
【０１１２】
第一ＬＤ１０から出射された拡大光の直線偏光Ｐ波の第一波長レーザ光は、光路Ｌ１ａと光路Ｌ１ｄと光路Ｌ１ｃとの境界に位置する第一ＰＢＳ３０を略直進して通り抜け、光路Ｌ１ｄと光路Ｌ３ａと光路Ｌ２ｅとの境界に位置する第二ＰＢＳ４０を略直進して通り抜け、光路Ｌ３ａと光路Ｌ３ｂとの間に位置するＣＬ４５により拡大光から略平行光に変えられ、偏光状態が変化されることなく光路Ｌ３ｂと光路Ｌ３ｃとの間に位置するＬＣＤ５０を通り抜け、光路Ｌ３ｃ，Ｌ３ｄ，Ｌ３ｅ内に位置決め固定された一対のビームエキスパンダレンズ５２，５３を通り抜け、光路Ｌ３ｅと光路Ｌ５ａと光路Ｌ４ａとの境界に位置する偏光性ミラー５５により略直角に反射され、偏光状態が変化されることなく光路Ｌ５ａと光路Ｌ５ｂとの間に位置する開口制限付広帯域ＱＷＰ５７を通り抜け、光路Ｌ５ｂと光路Ｌ５ｃとの間に位置する第二ＯＢＬ７０により収束光とされ、「ＨＤ  ＤＶＤ」規格の光ディスクＭ２０の信号部Ｍ２５に集光される。第一波長のレーザ光は、このように往路をたどり、第二メディアＭ２０とされる「ＨＤ  ＤＶＤ」規格の光ディスクＭ２０に集光される。
【０１１３】
次に、「ＨＤ  ＤＶＤ」規格の光ディスクＭ２０に対し反射したＰ波の第一波長レーザ光の復路について説明する。「ＨＤ  ＤＶＤ」規格の光ディスクＭ２０の信号部Ｍ２５を反射したＰ波の第一波長レーザ光は、光路Ｌ５ｃを通り、第二ＯＢＬ７０を透過して拡大光から略平行光となり、光路Ｌ５ｂを通り、偏光状態が変化されることなく開口制限付広帯域ＱＷＰ５７を通り抜け、光路Ｌ５ａを通り、偏光性ミラー５５において略直角に反射する。偏光性ミラー５５の表側面５５ａに、波長約３５０〜４５０ｎｍの青紫色をした「ＨＤ  ＤＶＤ」用の第一波長レーザ光のＰ波を略直角に反射させ、波長約３５０〜４５０ｎｍの青紫色をした「Blu-ray Disc」用の第一波長レーザ光のＳ波を略直進させて透過させる特殊偏光性皮膜５５ｃが設けられているので、Ｐ波の第一波長レーザ光は、偏光性ミラー５５を略直角に反射する。偏光性ミラー５５において略直角に反射したＰ波の第一波長レーザ光は、光路Ｌ３ｅを通り、凸レンズ型ビームエキスパンダレンズ５３を透過し、光路Ｌ３ｄを通り、凹レンズ型ビームエキスパンダレンズ５２を透過し、光路Ｌ３ｃを通ってＬＣＤ５０に達する。
【０１１４】
「ＨＤ  ＤＶＤ」規格の光ディスクＭ２０のデータが再生されるとき、又は、「ＨＤ  ＤＶＤ」規格の光ディスクＭ２０にデータが記録されるときに、ＬＣＤ５０におけるＯＢＬ７０側の光路Ｌ３ｃからＬＣＤ５０に入射された直線偏光Ｐ波の第一波長レーザ光は、偏光状態が変えられ、直線偏光Ｓ波の第一波長レーザ光として、ＬＣＤ５０におけるＬＤ１０側の光路Ｌ３ｂに出射される。ＬＣＤ５０を透過した直線偏光Ｓ波の第一波長レーザ光は、光路Ｌ３ｂを通りＣＬ４５に達する。
【０１１５】
略平行光の直線偏光Ｓ波の第一波長レーザ光がＣＬ４５を透過するときに、第一波長レーザ光は、収束光の直線偏光Ｓ波の第一波長レーザ光となる。ＣＬ４５を透過して収束光となった第一波長レーザ光は、光路Ｌ３ａを通り第二ＰＢＳ４０に達する。
【０１１６】
ＰＢＳ４０内に、Ｐ波またはＳ波に関わりなく、波長約３５０〜４５０ｎｍの青紫色をした大部分の第一波長レーザ光を略直進させて透過させる特殊偏光性皮膜４０ｃが設けられているので、ＰＢＳ４０に入射された大部分の直線偏光Ｓ波の第一波長レーザ光は、ＰＢＳ４０内を略直進透過してＰＢＳ４０から出射され、光路Ｌ１ｄを通り第一ＰＢＳ３０に達する。
【０１１７】
第一ＰＢＳ３０内に、直線偏光Ｐ波を略直進させて透過させ、直線偏光Ｓ波を略直角に反射させる特殊皮膜３０ｃが設けられているので、ＰＢＳ３０に入射された直線偏光Ｓ波の第一波長レーザ光は、ＰＢＳ３０内の特殊皮膜３０ｃにて略直角に反射され光路Ｌ１ｃを通り第一センサレンズ８１に達する。
【０１１８】
直線偏光Ｓ波の第一波長レーザ光がセンサレンズ８１を透過するときに、第一波長レーザ光に非点収差が生じる。センサレンズ８１を透過した第一波長レーザ光は、光路Ｌ１ｂを通ってＰＤＩＣ９１に達する。
【０１１９】
「ＨＤ  ＤＶＤ」規格の光ディスクＭ２０の信号部Ｍ２５にて反射された拡大光の直線偏光Ｐ波の第一波長レーザ光は、光路Ｌ５ｃと光路Ｌ５ｂとの間に位置する第二ＯＢＬ７０により略平行光とされ、偏光状態が変化されることなく光路Ｌ５ｂと光路Ｌ５ａとの間に位置する開口制限付広帯域ＱＷＰ５７を通り抜け、光路Ｌ５ａと光路Ｌ３ｅと光路Ｌ４ａとの境界に位置する偏光性ミラー５５により略直角に反射され、光路Ｌ３ｅ，Ｌ３ｄ，Ｌ３ｃ内に位置決め固定された一対のビームエキスパンダレンズ５３，５２を通り抜け、光路Ｌ３ｃと光路Ｌ３ｂとの間に位置するＬＣＤ５０により直線偏光Ｓ波とされる。直線偏光Ｓ波となった第一波長レーザ光は、光路Ｌ３ｂと光路Ｌ３ａとの間に位置するＣＬ４５により略平行光から収束光に変えられ、光路Ｌ３ａと光路Ｌ１ｄと光路Ｌ２ｅとの境界に位置する第二ＰＢＳ４０を略直進して通り抜け、光路Ｌ１ｄと光路Ｌ１ａと光路Ｌ１ｃとの境界に位置する第一ＰＢＳ３０内を略直角に反射して通り抜け、光路Ｌ１ｃと光路Ｌ１ｂとの間に位置するセンサレンズ８１を透過することにより非点収差が生じた光とされて、光路Ｌ１ｂの終端に位置するＰＤＩＣ９１に照射される。「ＨＤ  ＤＶＤ」規格の光ディスクＭ２０を反射した第一波長のレーザ光は、このように復路をたどり、第一ＰＤＩＣ９１に照射される。
【０１２０】
次に、第二ＬＤ２０から出射されたレーザ光が、ＤＶＤ規格の光ディスク（Ｍ２０）に照射されるまでの光路について説明する。ＬＤＤから第二ＬＤ２０に電流が供給され、第二ＬＤ２０から出射された波長６３０〜６８５ｎｍの赤色レーザ光により、ＤＶＤ規格の光ディスク（Ｍ２０）に情報の記録が行われたり、ＤＶＤ規格の光ディスク（Ｍ２０）に記録された情報が再生されたりする。上述した如く、この明細書において、符号に付けられた括弧（  ）は、括弧（  ）が付けられていないものと若干異なるものを説明するために、便宜上、用いられている。第二ＬＤ２０は、例えば波長が約６３０〜６８５ｎｍ、基準とされる波長が略６３５ｎｍまたは６５０ｎｍの赤色レーザ光を出射できると共に、例
えば波長が約７６５〜８３０ｎｍ、基準とされる波長が略７８０ｎｍの赤外レーザ光を出射できる二波長レーザダイオードである。第二ＬＤ２０は、特殊なＬＤとして構成されている。
【０１２１】
第二ＬＤ２０から拡大光の第二波長レーザ光が出射される。第二ＬＤ２０から出力された拡大光の第二波長レーザ光は、光路Ｌ２ａを通り、ＤＶＤおよびＣＤ用のＤＯＥ２５を通り抜ける。第二ＬＤ２０から出射された直線偏光Ｐ波の第二波長レーザ光は、光路Ｌ２ａを通りＤＯＥ２５に入射される。
【０１２２】
ＤＯＥ（Diffractive Optical Element）とは、光の回折現象を利用して光の進行方向を変える回折光学素子を意味する。ＤＯＥは、特殊グレーティングと、１／２波長板とが一つのものとして構成された回折光学素子である。グレーティング（grating）とは、回折格子を意味する。回折格子は、光の回折を利用して、ＬＤから出射されたレーザ光を幾つかに分けるものとされている。詳しく説明すると、回折格子は、光の回折を利用して、ＬＤから出射されたレーザ光を、一つのメインビームと、二つのサブビームとに少なくとも分ける役割を果すものとされている。グレーティング（grating）は、ＧＲＴとも呼ばれる。また、１／２波長板は、直線偏光の偏光方向を変える役割を果すものとされている。１／２波長板（Half Wave Plate）は、ＨＷＰとも呼ばれる。また１／２波長板は、１／２λ（ラムダ）板とも呼ばれている。回折光学素子２５は、ＤＯＥ２５として構成されている。
【０１２３】
このＤＯＥ２５は、ＬＤ２０から出射された１本のレーザ光Ｌを少なくとも三本の各光束（図示せず）に分岐させる平面視略矩形の回折格子を備えるＤＯＥ２５とされている。回折格子を備えるＤＯＥ２５により回折分岐されたレーザ光は、例えばメインビーム（０次光）と、メインビームを中心軸としてメインビームの周囲に略対称に分岐される一対のサブビーム（±１次回折光束）との少なくとも３ビームに分けられる。回折格子と１／２波長板とが一つのものとして構成されたＤＯＥ２５は、例えばＬＤ２０のレーザ光出射側の直後に位置する。例えば、四つの異なる位相の周期構造部が形成され四つの略矩形回折領域部を備えた四分割タイプのＤＯＥ２５がＯＰＵ２に装備される。光ディスク装置１やＯＰＵ２の設計／仕様等により、例えば、三つの異なる位相の周期構造部が形成され三つの略矩形回折領域部を備えた三分割タイプの回折格子を備えるＤＯＥが用いられてもよい（何れも図示せず）。また、例えば、二つの異なる位相の周期構造部が形成され二つの略矩形回折領域部を備えた二分割タイプの回折格子を備えるＤＯＥが用いられてもよい（何れも図示せず）。このように、複数の略矩形回折領域部を備えた複数分割タイプの回折格子を備えるＤＯＥ２５いわゆるインライン・グレーティングが、ＯＰＵ２に装備される。また、光ディスク装置１やＯＰＵ２の設計／仕様等により、例えば、一つの周期構造部が形成され一つの略矩形回折領域部を備えた回折格子を備えるＤＯＥ（何れも図示せず）が、ＯＰＵ２に装備されてもよい。直線偏光Ｐ波の第二波長レーザ光がＤＯＥ２５を透過したときに、直線偏光Ｐ波の第二波長レーザ光は、直線偏光Ｓ波となる。
【０１２４】
ＤＯＥ２５を透過したＳ波の第二波長レーザ光は、光路Ｌ２ｂを通り、偏光性ミラー３５に達する。偏光性ミラー３５におけるＤＯＥ２５側もしくはＰＢＳ４０側を偏光性ミラー３５の表面側とする。また、偏光性ミラー３５におけるセンサレンズ８２側を、偏光性ミラー３５の裏面側とする。この明細書における偏光性ミラー３５の「表」、「裏」の定義は、偏光性ミラー３５が備えられたＯＰＵ２を説明するための便宜上の定義とされる。偏光性ミラー３５の表側面３５ａに、直線偏光Ｓ波を略直角に反射させ、直線偏光Ｐ波を略直進させて透過させる特殊偏光性皮膜３５ｃが設けられている。従って、Ｓ波の第二波長レーザ光は、偏光性ミラー３５を略直角に反射する。
【０１２５】
上記特殊な膜３０ｃ，３５ｃ，４０ｃ，５５ｃは、例えば、真空蒸着法、スパッタリン
グ法などに基づいて、所望の面に形成される。また、上記特殊な膜３０ｃ，３５ｃ，４０ｃ，５５ｃは、例えば、ＳｉＯ２，ＺｎＯ２，Ｔａ２Ｏ５，ＴｉＯ２およびＴｉ２Ｏ５からなる群から選択される少なくとも一種以上の物質を含有する薄層として構成されている。
【０１２６】
ＤＯＥ２５側（ＬＤ２０側）から偏光性ミラー３５の表側面３５ａにＳ波のレーザ光が照射されたときに、Ｓ波のレーザ光は、偏光性ミラー３５の表側面３５ａにおいて略直角に反射され、ＰＢＳ４０に向けて進む。ＰＢＳ４０側（ＯＢＬ７０側）から偏光性ミラー３５の表側面３５ａにＰ波のレーザ光が照射されたときに、Ｐ波のレーザ光は、偏光性ミラー３５の表側面３５ａから偏光性ミラー３５の内部３５ｎを透過し偏光性ミラー３５の裏側面３５ｂからセンサレンズ８２に向けて出射する。偏光性ミラー３５の表側面３５ａに設けられた特殊偏光性皮膜３５ｃは、波長約６３０〜６８５ｎｍのＤＶＤ用レーザ光（第二波長レーザ光）、又は、波長約７６５〜８３０ｎｍのＣＤ用レーザ光（第三波長レーザ光）に関わりなく、直線偏光Ｓ波を略直角に反射させ、直線偏光Ｐ波を略直進させて透過させる。
【０１２７】
特殊な偏光性皮膜３５ｃが設けられた偏光性ミラー３５の表側面３５ａは、略平滑な面として形成されている。また、偏光性ミラー３５の裏側面３５ｂも、略平滑な面として形成されている。表面３５ａに特殊な膜３５ｃが設けられた偏光性ミラー３５として、例えば、タムロン社製：膜付ミラーなどが挙げられる。偏光性ミラー３５を略直角に反射したＳ波の第二波長レーザ光は、光路Ｌ２ｅを通り、ＰＢＳ４０内を略直角に反射して通り抜ける。
【０１２８】
ＰＢＳ４０内に、Ｐ波またはＳ波に関わりなく、波長約３５０〜４５０ｎｍの青紫色をした「Blu-ray Disc」用の第一波長レーザ光もしくは波長約３５０〜４５０ｎｍの青紫色をした「ＨＤ  ＤＶＤ」用の第一波長レーザ光を略直進させて透過させ、波長約６３０〜６８５ｎｍの赤色をしたＤＶＤ用の第二波長レーザ光を略直角に反射させ、波長約７６５〜８３０ｎｍの赤外レーザ光とされるＣＤ用の第三波長レーザ光を略直角に反射させる特殊偏光性皮膜４０ｃが設けられているので、ＰＢＳ４０に入射された第二波長レーザ光は、ＰＢＳ４０内を略直角に反射して通り抜ける。
【０１２９】
例えば、光路Ｌ２ｅを通って第二ＰＢＳ４０内の特殊皮膜４０ｃに照射された第二波長レーザ光の略９２〜９８％の光は、略立方体状の第二ＰＢＳ４０内の特殊皮膜４０ｃを略直角に反射し、コリメータレンズ４５に向けて光路Ｌ３ａを進む。また、例えば、光路Ｌ２ｅを通って第二ＰＢＳ４０内の特殊皮膜４０ｃに照射された第二波長レーザ光の略２〜８％の光は、略立方体状の第二ＰＢＳ４０内の特殊皮膜４０ｃを透過し、受光素子４３に向けて光路Ｌ３ｆを進む。
【０１３０】
具体的に説明すると、光路Ｌ２ｅを通って第二ＰＢＳ４０内の特殊皮膜４０ｃに照射された第二波長レーザ光の略９３〜９７％の光は、略立方体状の第二ＰＢＳ４０内の特殊皮膜４０ｃを略直角に反射し、コリメータレンズ４５に向けて光路Ｌ３ａを進む。また、光路Ｌ２ｅを通って第二ＰＢＳ４０内の特殊皮膜４０ｃに照射された第二波長レーザ光の略３〜７％の光は、略立方体状の第二ＰＢＳ４０内の特殊皮膜４０ｃを透過し、受光素子４３に向けて光路Ｌ３ｆを進む。
【０１３１】
第二ＰＢＳ４０内の特殊皮膜４０ｃに第二波長レーザ光が当てられたときに、第二波長レーザ光の反射量が例えば９２％よりも少ない場合、即ち、第二波長レーザ光の透過量が例えば８％よりも多い場合、光ディスク（Ｍ２０）に第二波長レーザ光を照射させるための必要な光量が不足する。
【０１３２】
具体的に説明すると、第二ＰＢＳ４０内の特殊皮膜４０ｃに第二波長レーザ光が当てられたときに、第二波長レーザ光の反射量が例えば９３％よりも少ない場合、即ち、第二波長レーザ光の透過量が例えば７％よりも多い場合、光ディスク（Ｍ２０）に第二波長レーザ光を照射させるための必要な光量が不足する。
【０１３３】
第二ＰＢＳ４０内の特殊皮膜４０ｃに第二波長レーザ光が当てられたときに、第二波長レーザ光の反射量が例えば９８％よりも多い場合、即ち、第二波長レーザ光の透過量が例えば２％よりも少ない場合、受光素子４３に必要とされる第二波長レーザ光の受光量が不足する。
【０１３４】
具体的に説明すると、第二ＰＢＳ４０内の特殊皮膜４０ｃに第二波長レーザ光が当てられたときに、第二波長レーザ光の反射量が例えば９７％よりも多い場合、即ち、第二波長レーザ光の透過量が例えば３％よりも少ない場合、受光素子４３に必要とされる第二波長レーザ光の受光量が不足する。
【０１３５】
第二ＰＢＳ４０内の特殊皮膜４０ｃに第二波長レーザ光が当てられたときに、第二波長レーザ光の反射量が例えば９５％とされた場合、即ち、第二波長レーザ光の透過量が例えば５％とされた場合、光ディスク（Ｍ２０）に十分なレーザ光が照射されると共に、受光素子４３に必要とされる適度なレーザ光が照射される。従って、このような特性をもつ第二ＰＢＳ４０がＯＰＵ２に装備されることが好ましい。
【０１３６】
ＰＢＳ４０のダイクロ膜４０ｃは、波長約６３０〜６８５ｎｍのＤＶＤ用レーザ光（第二波長レーザ光）または波長約７６５〜８３０ｎｍのＣＤ用レーザ光（第三波長レーザ光）に対し、その殆どを反射させる。波長６３０〜６８５ｎｍの第二波長レーザ光が第二ＰＢＳ４０に当てられたときに、第二ＰＢＳ４０は、大部分の波長６３０〜６８５ｎｍの第二波長レーザ光を反射させ、一部の波長６３０〜６８５ｎｍの第二波長レーザ光を透過させるものとして形成されている。略立方体状の第二ＰＢＳ４０内の特殊皮膜４０ｃを略直進して透過した一部の第二波長レーザ光は、光路Ｌ３ｆを通りＦＭＤ４３に達する。また、ＰＢＳ４０内を略直角に反射して透過した大部分の拡大光の第二波長レーザ光は、光路Ｌ３ａを通り、ＣＬ４５を透過する。
【０１３７】
ＣＬ４５を透過して略平行光となった第二波長のレーザ光は、光路Ｌ３ｂを通りＬＣＤ５０を通り抜ける。ＤＶＤ規格の光ディスク（Ｍ２０）のデータが再生されるとき、又は、ＤＶＤ規格の光ディスク（Ｍ２０）にデータが記録されるときに、ＬＣＤ５０におけるＬＤ２０側の光路Ｌ３ｂからＬＣＤ５０に入射された直線偏光Ｓ波の第二波長レーザ光は、例えば偏光状態が変えられることなく、直線偏光Ｓ波の第二波長レーザ光として、ＬＣＤ５０におけるＯＢＬ７０側の光路Ｌ３ｃに出射される。ＬＣＤ５０を透過した直線偏光Ｓ波の第二波長レーザ光は、光路Ｌ３ｃを通りエキスパンダレンズ５２，５３に達する。
【０１３８】
ＬＣＤ５０を透過した直線偏光Ｓ波の第二波長レーザ光は、例えば凹レンズ型ビームエキスパンダレンズ５２および凸レンズ型ビームエキスパンダレンズ５３を透過する。ＤＶＤ規格の光ディスク（Ｍ２０）にデータの記録が行われたり、ＤＶＤ規格の光ディスク（Ｍ２０）に記録されたデータが再生されたりするときに、例えば、固定側の凹レンズ型ビームエキスパンダレンズ５２に対し、可動側の凸レンズ型ビームエキスパンダレンズ５３は、予め定められた位置に固定される。
【０１３９】
ビームエキスパンダユニット５１の一対のビームエキスパンダレンズ５２，５３を透過したＳ波の第二波長レーザ光は、光路Ｌ３ｅを通り、偏光性ミラー５５に達する。偏光性ミラー５５の表側面５５ａに、Ｓ波またはＰ波に関わりなく波長約６３０〜６８５ｎｍの赤色をしたＤＶＤ用の第二波長レーザ光を略直角に反射させる特殊偏光性皮膜５５ｃが設
けられているので、Ｓ波の第二波長レーザ光は、偏光性ミラー５５を略直角に反射する。
【０１４０】
偏光性ミラー５５を略直角に反射したＳ波の第二波長レーザ光は、光路Ｌ５ａを通り、開口制限付広帯域ＱＷＰ５７を通り抜ける。開口制限付広帯域ＱＷＰ５７は、波長約６３０〜６８５ｎｍとされるＤＶＤ用の第二波長レーザ光の透過を特に制限させないが、直線偏光のＤＶＤ用の第二波長レーザ光を円偏光のＤＶＤ用の第二波長レーザ光に変えたり、円偏光のＤＶＤ用の第二波長レーザ光を直線偏光のＤＶＤ用の第二波長レーザ光に変えたりする。波長約６３０〜６８５ｎｍのＤＶＤ用レーザ光（第二波長レーザ光）、又は、波長約７６５〜８３０ｎｍのＣＤ用レーザ光（第三波長レーザ光）が開口制限付広帯域ＱＷＰ５７を通り抜けるときに、開口制限付広帯域ＱＷＰ５７は、直線偏光を円偏光に変えたり、円偏光を直線偏光に変えたりする。直線偏光が円偏光にされ、ＱＷＰ５７と、ＤＶＤ用光ディスク（Ｍ２０）との間のレーザ光が円偏光とされることにより、例えばＤＶＤ用光ディスク（Ｍ２０）が粗悪なものとされていても、ＤＶＤ用光ディスク（Ｍ２０）に対するデータの記録／再生動作は正常に行われる。また、直線偏光が円偏光にされ、ＱＷＰ５７と、ＤＶＤ用光ディスク（Ｍ２０）との間のレーザ光が円偏光とされることにより、ＤＶＤ用光ディスク（Ｍ２０）に対し、データの書込み／再生が行われるときの特性が向上する。
【０１４１】
第二波長レーザ光が光路Ｌ５ａを通って開口制限付広帯域ＱＷＰ５７を透過する時に、直線偏光Ｓ波の第二波長レーザ光は、円偏光となる。直線偏光Ｓ波の第二波長レーザ光は、開口制限付広帯域ＱＷＰ５７において、例えば右旋回または左旋回の円偏光になる。ここでは、直線偏光Ｓ波のレーザ光が開口制限付広帯域ＱＷＰ５７によって円偏光とされた状態の光を、例えば正転状態の円偏光と呼ぶ。
【０１４２】
光路Ｌ５ａを通り、開口制限付広帯域ＱＷＰ５７を透過して正転状態の円偏光となった第二波長レーザ光は、光路Ｌ５ｂを通り、第二のＯＢＬ７０を通り抜ける。略平行光となっている円偏光の第二波長レーザ光は、ＮＡ略０．６〜０．６６の第二ＯＢＬ７０によって収束光となり、光路Ｌ５ｃを通ってＤＶＤ規格の光ディスク（Ｍ２０）の信号部（Ｍ２５）に照射される。
【０１４３】
ＤＶＤ用光ディスク（Ｍ２０）に対し、レンズホルダ（図示せず）に装備された第二ＯＢＬ７０のフォーカシングサーボが行われるときに、第二ＯＢＬ７０を備えるレンズホルダは、フォーカシングコイル１７１（図１）を備える不図示のアクチュエータによりフォーカシング方向Ｄｆ（図２，図３）に沿って動かされる。また、ＤＶＤ用光ディスク（Ｍ２０）に対し、不図示のレンズホルダに装備された第二ＯＢＬ７０のトラッキングサーボが行われるときに、第二ＯＢＬ７０を備えるレンズホルダは、トラッキングコイル１７２（図１）を備える不図示のアクチュエータによりトラッキング方向Ｄｒ（図２，図３）に沿って動かされる。また、ＤＶＤ用光ディスク（Ｍ２０）に対し、レンズホルダに装備された第二ＯＢＬ７０のチルト制御が行われるときに、第二ＯＢＬ７０を備えるレンズホルダは、例えばチルトコイル１７３（図１）を備える不図示のアクチュエータにより傾けられつつ揺動される。
【０１４４】
第二ＬＤ２０（図２）から出射された拡大光の直線偏光Ｐ波の第二波長レーザ光は、光路Ｌ２ａと光路Ｌ２ｂとの間に位置するＤＯＥ２５により直線偏光Ｓ波とされる。直線偏光Ｓ波となった第二波長レーザ光は、光路Ｌ２ｂと光路Ｌ２ｅと光路Ｌ２ｄとの境界に位置する偏光性ミラー３５により略直角に反射され、光路Ｌ２ｅと光路Ｌ３ａと光路Ｌ１ｄとの境界に位置する第二ＰＢＳ４０内を略直角に反射して通り抜け、光路Ｌ３ａと光路Ｌ３ｂとの間に位置するＣＬ４５により拡大光から略平行光に変えられ、偏光状態が変化されることなく光路Ｌ３ｂと光路Ｌ３ｃとの間に位置するＬＣＤ５０を通り抜け、光路Ｌ３ｃ，Ｌ３ｄ，Ｌ３ｅ内に位置決め固定された一対のビームエキスパンダレンズ５２，５３
を通り抜け、光路Ｌ３ｅと光路Ｌ５ａと光路Ｌ４ａとの境界に位置する偏光性ミラー５５により略直角に反射され、光路Ｌ５ａと光路Ｌ５ｂとの間に位置する開口制限付広帯域ＱＷＰ５７により、直線偏光Ｓ波から例えば正転状態の円偏光に変えられる。正転状態の円偏光となった第二波長レーザ光は、光路Ｌ５ｂと光路Ｌ５ｃとの間に位置する第二ＯＢＬ７０により収束光とされ、ＤＶＤ規格の光ディスク（Ｍ２０）の信号部（Ｍ２５）に集光される。第二波長のレーザ光は、このように往路をたどり、第二メディア（Ｍ２０）とされるＤＶＤ規格の光ディスク（Ｍ２０）に集光される。
【０１４５】
次に、ＤＶＤ規格の光ディスク（Ｍ２０）に対し反射した第二波長レーザ光の復路について説明する。第二波長レーザ光がＤＶＤ規格の光ディスク（Ｍ２０）の信号部（Ｍ２５）にて反射されるときに、正転状態の円偏光の第二波長レーザ光は、反転状態の円偏光となる。ここでは、正転状態の円偏光が反転された状態の光を、例えば反転状態の円偏光と呼ぶ。ＤＶＤ規格の光ディスク（Ｍ２０）の信号部（Ｍ２５）を反射した反転状態の円偏光の第二波長レーザ光は、拡大光となって光路Ｌ５ｃを通り、第二ＯＢＬ７０を透過して拡大光から略平行光となり、光路Ｌ５ｂを通り、開口制限付広帯域ＱＷＰ５７に達する。
【０１４６】
反転状態の円偏光の第二波長レーザ光が光路Ｌ５ｂを通って開口制限付広帯域ＱＷＰ５７を透過したときに、反転状態の円偏光の第二波長レーザ光は、直線偏光Ｐ波となる。直線偏光Ｐ波となった第二波長レーザ光は、光路Ｌ５ａを通り、偏光性ミラー５５において略直角に反射する。偏光性ミラー５５の表側面５５ａに、Ｐ波またはＳ波に関わりなく、波長約６３０〜６８５ｎｍのＤＶＤ用レーザ光（第二波長レーザ光）と、波長約７６５〜８３０ｎｍのＣＤ用レーザ光（第三波長レーザ光）とを反射させる特殊偏光性皮膜５５ｃが設けられているので、Ｐ波の第一波長レーザ光は、偏光性ミラー５５を略直角に反射する。偏光性ミラー５５において略直角に反射したＰ波の第二波長レーザ光は、光路Ｌ３ｅを通り、凸レンズ型ビームエキスパンダレンズ５３を透過し、光路Ｌ３ｄを通り、凹レンズ型ビームエキスパンダレンズ５２を透過し、光路Ｌ３ｃを通ってＬＣＤ５０に達する。
【０１４７】
ＤＶＤ規格の光ディスク（Ｍ２０）のデータが再生されるとき、又は、ＤＶＤ規格の光ディスク（Ｍ２０）にデータが記録されるときに、ＬＣＤ５０におけるＯＢＬ７０側の光路Ｌ３ｃからＬＣＤ５０に入射された直線偏光Ｐ波の第二波長レーザ光は、例えば偏光状態が変えられることなく、直線偏光Ｐ波の第二波長レーザ光として、ＬＣＤ５０におけるＬＤ２０側の光路Ｌ３ｂに出射される。ＬＣＤ５０を透過した直線偏光Ｐ波の第二波長レーザ光は、光路Ｌ３ｂを通りＣＬ４５に達する。
【０１４８】
略平行光の直線偏光Ｐ波の第二波長レーザ光がＣＬ４５を透過するときに、第二波長レーザ光は、収束光の直線偏光Ｐ波の第二波長レーザ光となる。ＣＬ４５を透過して収束光となった第二波長レーザ光は、光路Ｌ３ａを通り第二ＰＢＳ４０に達する。
【０１４９】
ＰＢＳ４０内に、Ｐ波またはＳ波に関わりなく、波長約６３０〜６８５ｎｍの赤色をしたＤＶＤ用の第二波長レーザ光を略直角に反射させ、波長約７６５〜８３０ｎｍの赤外レーザ光とされるＣＤ用の第三波長レーザ光を略直角に反射させる特殊偏光性皮膜４０ｃが設けられているので、ＰＢＳ４０に入射された大部分の直線偏光Ｐ波の第二波長レーザ光は、ＰＢＳ４０内を略直角に反射してＰＢＳ４０から出射され、光路Ｌ２ｅを通り偏光性ミラー３５に達する。
【０１５０】
偏光性ミラー３５の表側面３５ａに、直線偏光Ｐ波を略直進させて透過させ、直線偏光Ｓ波を略直角に反射させる特殊皮膜３５ｃが設けられているので、偏光性ミラー３５の表側面３５ａに直線偏光Ｐ波の第二波長レーザ光が照射されたときに、直線偏光Ｐ波の第二波長レーザ光は、偏光性ミラー３５の表側面３５ａから偏光性ミラー３５の内部３５ｎを透過し偏光性ミラー３５の裏側面３５ｂからセンサレンズ８２に向けて出射する。偏光性
ミラー３５に入射された直線偏光Ｐ波の第二波長レーザ光は、偏光性ミラー３５を通り抜け、光路Ｌ２ｄを通り第二センサレンズ８２に達する。
【０１５１】
直線偏光Ｐ波の第二波長レーザ光がセンサレンズ８２を透過するときに、第二波長レーザ光に非点収差が生じる。センサレンズ８２を透過した第二波長レーザ光は、光路Ｌ２ｃを通ってＰＤＩＣ９２に達する。光検出器９２は、光ディスク（Ｍ２０）等から反射されたレーザ光を受けて、その信号を電気信号に変え、光ディスク（Ｍ２０）等に記録された情報を検出するためのものとされている。また、ＰＤＩＣ９２は、光ディスク（Ｍ２０）等から反射されたレーザ光を受けて、その信号を電気信号に変えて、光ピックアップ装置ＯＰＵ２を構成するＯＢＬ付レンズホルダ（図示せず）のサーボ機構（図示せず）を動作させるためのものとされている。
【０１５２】
ＤＶＤ規格の光ディスク（Ｍ２０）の信号部（Ｍ２５）にて反射されて反転状態の円偏光となった拡大光の第二波長レーザ光は、光路Ｌ５ｃと光路Ｌ５ｂとの間に位置する第二ＯＢＬ７０により略平行光とされ、光路Ｌ５ｂと光路Ｌ５ａとの間に位置する開口制限付広帯域ＱＷＰ５７を通り抜けるときに直線偏光Ｐ波とされる。直線偏光Ｐ波となった第二波長レーザ光は、光路Ｌ５ａと光路Ｌ３ｅと光路Ｌ４ａとの境界に位置する偏光性ミラー５５により略直角に反射され、光路Ｌ３ｅ，Ｌ３ｄ，Ｌ３ｃ内に位置決め固定された一対のビームエキスパンダレンズ５３，５２を通り抜け、偏光状態が変化されることなく光路Ｌ３ｃと光路Ｌ３ｂとの間に位置するＬＣＤ５０を通り抜け、光路Ｌ３ｂと光路Ｌ３ａとの間に位置するＣＬ４５により略平行光から収束光に変えられ、光路Ｌ３ａと光路Ｌ２ｅと光路Ｌ１ｄとの境界に位置する第二ＰＢＳ４０内を略直角に反射して通り抜け、光路Ｌ２ｅと光路Ｌ２ｄと光路Ｌ２ｂとの境界に位置する偏光性ミラー３５を通り抜け、光路Ｌ２ｄと光路Ｌ２ｃとの間に位置するセンサレンズ８２を透過することにより非点収差が生じた光とされて、光路Ｌ２ｃの終端に位置するＰＤＩＣ９２に照射される。ＤＶＤ規格の光ディスク（Ｍ２０）を反射した第二波長のレーザ光は、このように復路をたどり、第二ＰＤＩＣ９２に照射される。
【０１５３】
次に、第二ＬＤ２０から出射されたレーザ光が、ＣＤ規格の光ディスク（図示せず）に照射されるまでの光路について説明する。ＬＤＤから第二ＬＤ２０に電流が供給され、第二ＬＤ２０から出射された波長７６５〜８３０ｎｍの赤外レーザ光により、不図示のＣＤ規格の光ディスクに情報の記録が行われたり、不図示のＣＤ規格の光ディスクに記録された情報が再生されたりする。
【０１５４】
第二ＬＤ２０から拡大光の第三波長レーザ光が出射される。第二ＬＤ２０から出力された拡大光の第三波長レーザ光は、光路Ｌ２ａを通り、ＣＤおよびＤＶＤ用のＤＯＥ２５を通り抜ける。第二ＬＤ２０から出射された直線偏光Ｐ波の第三波長レーザ光は、光路Ｌ２ａを通りＤＯＥ２５に入射される。直線偏光Ｐ波の第三波長レーザ光がＤＯＥ２５を透過したときに、直線偏光Ｐ波の第三波長レーザ光は、直線偏光Ｓ波となる。
【０１５５】
ＤＯＥ２５を透過したＳ波の第三波長レーザ光は、光路Ｌ２ｂを通り、偏光性ミラー３５に達する。偏光性ミラー３５の表側面３５ａに、直線偏光Ｓ波を略直角に反射させ、直線偏光Ｐ波を略直進させて透過させる特殊偏光性皮膜３５ｃが設けられているので、Ｓ波の第三波長レーザ光は、偏光性ミラー３５を略直角に反射する。偏光性ミラー３５を略直角に反射したＳ波の第三波長レーザ光は、光路Ｌ２ｅを通り、ＰＢＳ４０内を略直角に反射して通り抜ける。
【０１５６】
ＰＢＳ４０内に、Ｐ波またはＳ波に関わりなく、波長約３５０〜４５０ｎｍの青紫色をした「Blu-ray Disc」用の第一波長レーザ光もしくは波長約３５０〜４５０ｎｍの青紫色をした「ＨＤ  ＤＶＤ」用の第一波長レーザ光を略直進させて透過させ、波長約６３０〜
６８５ｎｍの赤色をしたＤＶＤ用の第二波長レーザ光を略直角に反射させ、波長約７６５〜８３０ｎｍの赤外レーザ光とされるＣＤ用の第三波長レーザ光を略直角に反射させる特殊偏光性皮膜４０ｃが設けられているので、ＰＢＳ４０に入射された第三波長レーザ光は、ＰＢＳ４０内を略直角に反射して通り抜ける。
【０１５７】
例えば、光路Ｌ２ｅを通って第二ＰＢＳ４０内の特殊皮膜４０ｃに照射された第三波長レーザ光の略９２〜９８％の光は、略立方体状の第二ＰＢＳ４０内の特殊皮膜４０ｃを略直角に反射し、コリメータレンズ４５に向けて光路Ｌ３ａを進む。また、例えば、光路Ｌ２ｅを通って第二ＰＢＳ４０内の特殊皮膜４０ｃに照射された第三波長レーザ光の略２〜８％の光は、略立方体状の第二ＰＢＳ４０内の特殊皮膜４０ｃを透過し、受光素子４３に向けて光路Ｌ３ｆを進む。
【０１５８】
具体的に説明すると、光路Ｌ２ｅを通って第二ＰＢＳ４０内の特殊皮膜４０ｃに照射された第三波長レーザ光の略９３〜９７％の光は、略立方体状の第二ＰＢＳ４０内の特殊皮膜４０ｃを略直角に反射し、コリメータレンズ４５に向けて光路Ｌ３ａを進む。また、光路Ｌ２ｅを通って第二ＰＢＳ４０内の特殊皮膜４０ｃに照射された第三波長レーザ光の略３〜７％の光は、略立方体状の第二ＰＢＳ４０内の特殊皮膜４０ｃを透過し、受光素子４３に向けて光路Ｌ３ｆを進む。
【０１５９】
第二ＰＢＳ４０内の特殊皮膜４０ｃに第三波長レーザ光が当てられたときに、第三波長レーザ光の反射量が例えば９２％よりも少ない場合、即ち、第三波長レーザ光の透過量が例えば８％よりも多い場合、光ディスクに第三波長レーザ光を照射させるための必要な光量が不足する。
【０１６０】
具体的に説明すると、第二ＰＢＳ４０内の特殊皮膜４０ｃに第三波長レーザ光が当てられたときに、第三波長レーザ光の反射量が例えば９３％よりも少ない場合、即ち、第三波長レーザ光の透過量が例えば７％よりも多い場合、光ディスクに第三波長レーザ光を照射させるための必要な光量が不足する。
【０１６１】
第二ＰＢＳ４０内の特殊皮膜４０ｃに第三波長レーザ光が当てられたときに、第三波長レーザ光の反射量が例えば９８％よりも多い場合、即ち、第三波長レーザ光の透過量が例えば２％よりも少ない場合、受光素子４３に必要とされる第三波長レーザ光の受光量が不足する。
【０１６２】
具体的に説明すると、第二ＰＢＳ４０内の特殊皮膜４０ｃに第三波長レーザ光が当てられたときに、第三波長レーザ光の反射量が例えば９７％よりも多い場合、即ち、第三波長レーザ光の透過量が例えば３％よりも少ない場合、受光素子４３に必要とされる第三波長レーザ光の受光量が不足する。
【０１６３】
第二ＰＢＳ４０内の特殊皮膜４０ｃに第三波長レーザ光が当てられたときに、第三波長レーザ光の反射量が例えば９５％とされた場合、即ち、第三波長レーザ光の透過量が例えば５％とされた場合、光ディスクに十分なレーザ光が照射されると共に、受光素子４３に必要とされる適度なレーザ光が照射される。従って、このような特性をもつ第二ＰＢＳ４０がＯＰＵ２に装備されることが好ましい。
【０１６４】
ＰＢＳ４０のダイクロ膜４０ｃは、波長約７６５〜８３０ｎｍのＣＤ用レーザ光（第三波長レーザ光）または波長約６３０〜６８５ｎｍのＤＶＤ用レーザ光（第二波長レーザ光）に対し、その殆どを反射させる。波長７６５〜８３０ｎｍの第三波長レーザ光が第二ＰＢＳ４０に当てられたときに、第二ＰＢＳ４０は、大部分の波長７６５〜８３０ｎｍの第三波長レーザ光を反射させ、一部の波長７６５〜８３０ｎｍの第三波長レーザ光を透過さ
せるものとして形成されている。略立方体状の第二ＰＢＳ４０内の特殊皮膜４０ｃを略直進して透過した一部の第三波長レーザ光は、光路Ｌ３ｆを通りＦＭＤ４３に達する。また、ＰＢＳ４０内を略直角に反射して透過した大部分の拡大光の第三波長レーザ光は、光路Ｌ３ａを通り、ＣＬ４５を透過する。
【０１６５】
ＣＬ４５を透過して略平行光となった第二波長のレーザ光は、光路Ｌ３ｂを通りＬＣＤ５０を通り抜ける。ＣＤ規格の光ディスクのデータが再生されるとき、又は、ＣＤ規格の光ディスクにデータが記録されるときに、ＬＣＤ５０におけるＬＤ２０側の光路Ｌ３ｂからＬＣＤ５０に入射された直線偏光Ｓ波の第三波長レーザ光は、例えば偏光状態が変えられることなく、直線偏光Ｓ波の第三波長レーザ光として、ＬＣＤ５０におけるＯＢＬ７０側の光路Ｌ３ｃに出射される。ＬＣＤ５０を透過した直線偏光Ｓ波の第三波長レーザ光は、光路Ｌ３ｃを通りエキスパンダレンズ５２，５３に達する。
【０１６６】
ＬＣＤ５０を透過した直線偏光Ｓ波の第三波長レーザ光は、例えば凹レンズ型ビームエキスパンダレンズ５２および凸レンズ型ビームエキスパンダレンズ５３を透過する。ＣＤ規格の光ディスクにデータの記録が行われたり、ＣＤ規格の光ディスクに記録されたデータが再生されたりするときに、例えば、固定側の凹レンズ型ビームエキスパンダレンズ５２に対し、可動側の凸レンズ型ビームエキスパンダレンズ５３は、予め定められた位置に固定される。
【０１６７】
ビームエキスパンダユニット５１の一対のビームエキスパンダレンズ５２，５３を透過したＳ波の第三波長レーザ光は、光路Ｌ３ｅを通り、偏光性ミラー５５に達する。偏光性ミラー５５の表側面５５ａに、Ｓ波またはＰ波に関わりなく波長約７６５〜８３０ｎｍの赤外光とされるＣＤ用の第三波長レーザ光を略直角に反射させる特殊偏光性皮膜５５ｃが設けられているので、Ｓ波の第三波長レーザ光は、偏光性ミラー５５を略直角に反射する。
【０１６８】
偏光性ミラー５５を略直角に反射したＳ波の第三波長レーザ光は、光路Ｌ５ａを通り、開口制限付広帯域ＱＷＰ５７を通り抜ける。開口制限付広帯域ＱＷＰ５７は、波長約７６５〜８３０ｎｍとされるＣＤ用の第三波長レーザ光の透過を制限させ、且つ、直線偏光のＣＤ用の第三波長レーザ光を円偏光のＣＤ用の第三波長レーザ光に変えたり、円偏光のＣＤ用の第三波長レーザ光を直線偏光のＣＤ用の第三波長レーザ光に変えたりする。波長約７６５〜８３０ｎｍのＣＤ用レーザ光（第三波長レーザ光）又は、波長約６３０〜６８５ｎｍのＤＶＤ用レーザ光（第二波長レーザ光）が開口制限付広帯域ＱＷＰ５７を通り抜けるときに、開口制限付広帯域ＱＷＰ５７は、直線偏光を円偏光に変えたり、円偏光を直線偏光に変えたりする。直線偏光が円偏光にされ、ＱＷＰ５７と、ＣＤ用光ディスクとの間のレーザ光が円偏光とされることにより、例えばＣＤ用光ディスクが粗悪なものとされていても、ＣＤ用光ディスクに対するデータの記録／再生動作は正常に行われる。また、直線偏光が円偏光にされ、ＱＷＰ５７と、ＣＤ用光ディスクとの間のレーザ光が円偏光とされることにより、ＣＤ用光ディスクに対し、データの書込み／再生が行われるときの特性が向上する。
【０１６９】
第三波長レーザ光が光路Ｌ５ａを通って開口制限付広帯域ＱＷＰ５７を透過する時に、直線偏光Ｓ波の第三波長レーザ光は、円偏光となる。直線偏光Ｓ波の第三波長レーザ光は、開口制限付広帯域ＱＷＰ５７において、例えば右旋回または左旋回の円偏光になる。直線偏光Ｓ波のレーザ光が開口制限付広帯域ＱＷＰ５７によって円偏光とされた状態の光を、例えば正転状態の円偏光と呼ぶ。
【０１７０】
また、ＣＤ用の波長約７６５〜８３０ｎｍの第三波長レーザ光が、開口制限付広帯域ＱＷＰ５７を通り抜けるときに、第三波長レーザ光の位相補正が行われる。第三波長レーザ
光が開口制限付広帯域ＱＷＰ５７を通過するときに、第三波長レーザ光は、マスクされた状態でＯＢＬ７０に入り、ＯＢＬ７０により絞り込まれる。これにより、第三波長レーザ光は、開口数略０．４５または略０．５のＯＢＬ（図示せず）により絞り込まれるのと同じ状態で、ＯＢＬ７０により絞り込まれる。ＯＢＬ７０の実際の開口数は、略０．６または略０．６５とされているが、光路に開口制限付広帯域ＱＷＰ５７が設けられていれば、第三波長レーザ光は、マスクされた状態でＯＢＬ７０に入るので、開口数略０．４５〜０．５１のＯＢＬ（図示せず）が用いられて絞り込まれるのと同じ状態で、ＣＤ用光ディスクに集光される。開口制限付広帯域ＱＷＰ５７が光路中に装備されることにより、開口数略０．６〜０．６６の一つのＯＢＬ７０が用いられていても、ＯＢＬ７０は、例えば開口数約０．３７〜０．９５、実質的に開口数略０．４５〜０．６６として機能する。
【０１７１】
光路Ｌ５ａを通り、開口制限付広帯域ＱＷＰ５７を透過して位相補正が行われると共に正転状態の円偏光となった第三波長レーザ光は、光路Ｌ５ｂを通り、第二のＯＢＬ７０を通り抜ける。略平行光となっている円偏光の第三波長レーザ光は、ＮＡ略０．６〜０．６６の第二ＯＢＬ７０によって収束光となり、光路Ｌ５ｃを通ってＣＤ規格の光ディスクの信号部に照射される（何れも図示せず）。
【０１７２】
ＣＤ用光ディスクに対し、レンズホルダ（図示せず）に装備された第二ＯＢＬ７０のフォーカシングサーボが行われるときに、第二ＯＢＬ７０を備えるレンズホルダは、フォーカシングコイル１７１（図１）を備える不図示のアクチュエータによりフォーカシング方向Ｄｆ（図２，図３）に沿って動かされる。また、ＣＤ用光ディスクに対し、不図示のレンズホルダに装備された第二ＯＢＬ７０のトラッキングサーボが行われるときに、第二ＯＢＬ７０を備えるレンズホルダは、トラッキングコイル１７２（図１）を備える不図示のアクチュエータによりトラッキング方向Ｄｒ（図２，図３）に沿って動かされる。また、ＣＤ用光ディスクに対し、レンズホルダに装備された第二ＯＢＬ７０のチルト制御が行われるときに、第二ＯＢＬ７０を備えるレンズホルダは、例えばチルトコイル１７３（図１）を備える不図示のアクチュエータにより傾けられつつ揺動される。
【０１７３】
第二ＬＤ２０（図２）から出射された拡大光の直線偏光Ｐ波の第三波長レーザ光は、光路Ｌ２ａと光路Ｌ２ｂとの間に位置するＤＯＥ２５により直線偏光Ｓ波とされる。直線偏光Ｓ波となった第三波長レーザ光は、光路Ｌ２ｂと光路Ｌ２ｅと光路Ｌ２ｄとの境界に位置する偏光性ミラー３５により略直角に反射され、光路Ｌ２ｅと光路Ｌ３ａと光路Ｌ１ｄとの境界に位置する第二ＰＢＳ４０内を略直角に反射して通り抜け、光路Ｌ３ａと光路Ｌ３ｂとの間に位置するＣＬ４５により拡大光から略平行光に変えられ、偏光状態が変化されることなく光路Ｌ３ｂと光路Ｌ３ｃとの間に位置するＬＣＤ５０を通り抜け、光路Ｌ３ｃ，Ｌ３ｄ，Ｌ３ｅ内に位置決め固定された一対のビームエキスパンダレンズ５２，５３を通り抜け、光路Ｌ３ｅと光路Ｌ５ａと光路Ｌ４ａとの境界に位置する偏光性ミラー５５により略直角に反射され、光路Ｌ５ａと光路Ｌ５ｂとの間に位置する開口制限付広帯域ＱＷＰ５７により、位相補正が行われると共に直線偏光Ｓ波から例えば正転状態の円偏光に変えられる。正転状態の円偏光となった第三波長レーザ光は、光路Ｌ５ｂと光路Ｌ５ｃとの間に位置する第二ＯＢＬ７０により収束光とされ、ＣＤ規格の光ディスクの信号部に集光される。第二波長のレーザ光は、このように往路をたどり、第二メディアとされるＣＤ規格の光ディスクに集光される。
【０１７４】
次に、ＣＤ規格の光ディスクに対し反射した第三波長レーザ光の復路について説明する。第三波長レーザ光がＣＤ規格の光ディスクの信号部にて反射されるときに、正転状態の円偏光の第三波長レーザ光は、反転状態の円偏光となる。正転状態の円偏光が反転された状態の光を、例えば反転状態の円偏光と呼ぶ。ＣＤ規格の光ディスクの信号部を反射した反転状態の円偏光の第三波長レーザ光は、拡大光となって光路Ｌ５ｃを通り、第二ＯＢＬ７０を透過して拡大光から略平行光となり、光路Ｌ５ｂを通り、開口制限付広帯域ＱＷＰ
５７に達する。
【０１７５】
反転状態の円偏光の第三波長レーザ光が光路Ｌ５ｂを通って開口制限付広帯域ＱＷＰ５７を透過したときに、反転状態の円偏光の第三波長レーザ光は、直線偏光Ｐ波となる。直線偏光Ｐ波となった第三波長レーザ光は、光路Ｌ５ａを通り、偏光性ミラー５５において略直角に反射する。偏光性ミラー５５の表側面５５ａに、Ｐ波またはＳ波に関わりなく、波長約７６５〜８３０ｎｍのＣＤ用レーザ光（第三波長レーザ光）と、波長約６３０〜６８５ｎｍのＤＶＤ用レーザ光（第二波長レーザ光）とを反射させる特殊偏光性皮膜５５ｃが設けられているので、Ｐ波の第一波長レーザ光は、偏光性ミラー５５を略直角に反射する。偏光性ミラー５５において略直角に反射したＰ波の第三波長レーザ光は、光路Ｌ３ｅを通り、凸レンズ型ビームエキスパンダレンズ５３を透過し、光路Ｌ３ｄを通り、凹レンズ型ビームエキスパンダレンズ５２を透過し、光路Ｌ３ｃを通ってＬＣＤ５０に達する。
【０１７６】
ＣＤ規格の光ディスクのデータが再生されるとき、又は、ＣＤ規格の光ディスクにデータが記録されるときに、ＬＣＤ５０におけるＯＢＬ７０側の光路Ｌ３ｃからＬＣＤ５０に入射された直線偏光Ｐ波の第三波長レーザ光は、例えば偏光状態が変えられることなく、直線偏光Ｐ波の第三波長レーザ光として、ＬＣＤ５０におけるＬＤ２０側の光路Ｌ３ｂに出射される。ＬＣＤ５０を透過した直線偏光Ｐ波の第三波長レーザ光は、光路Ｌ３ｂを通りＣＬ４５に達する。
【０１７７】
略平行光の直線偏光Ｐ波の第三波長レーザ光がＣＬ４５を透過するときに、第三波長レーザ光は、収束光の直線偏光Ｐ波の第三波長レーザ光となる。ＣＬ４５を透過して収束光となった第三波長レーザ光は、光路Ｌ３ａを通り第二ＰＢＳ４０に達する。
【０１７８】
ＰＢＳ４０内に、Ｐ波またはＳ波に関わりなく、波長約７６５〜８３０ｎｍの赤外レーザ光とされるＣＤ用の第三波長レーザ光を略直角に反射させ、波長約６３０〜６８５ｎｍの赤色をしたＤＶＤ用の第二波長レーザ光を略直角に反射させる特殊偏光性皮膜４０ｃが設けられているので、ＰＢＳ４０に入射された大部分の直線偏光Ｐ波の第三波長レーザ光は、ＰＢＳ４０内を略直角に反射してＰＢＳ４０から出射され、光路Ｌ２ｅを通り偏光性ミラー３５に達する。
【０１７９】
偏光性ミラー３５の表側面３５ａに、直線偏光Ｐ波を略直進させて透過させ、直線偏光Ｓ波を略直角に反射させる特殊皮膜３５ｃが設けられているので、偏光性ミラー３５の表側面３５ａに直線偏光Ｐ波の第三波長レーザ光が照射されたときに、直線偏光Ｐ波の第三波長レーザ光は、偏光性ミラー３５の表側面３５ａから偏光性ミラー３５の内部３５ｎを透過し偏光性ミラー３５の裏側面３５ｂからセンサレンズ８２に向けて出射する。偏光性ミラー３５に入射された直線偏光Ｐ波の第三波長レーザ光は、偏光性ミラー３５を通り抜け、光路Ｌ２ｄを通り第二センサレンズ８２に達する。
【０１８０】
直線偏光Ｐ波の第三波長レーザ光がセンサレンズ８２を透過するときに、第三波長レーザ光に非点収差が生じる。センサレンズ８２を透過した第三波長レーザ光は、光路Ｌ２ｃを通ってＰＤＩＣ９２に達する。
【０１８１】
ＣＤ規格の光ディスクの信号部にて反射されて反転状態の円偏光となった拡大光の第三波長レーザ光は、光路Ｌ５ｃと光路Ｌ５ｂとの間に位置する第二ＯＢＬ７０により略平行光とされ、光路Ｌ５ｂと光路Ｌ５ａとの間に位置する開口制限付広帯域ＱＷＰ５７を通り抜けるときに直線偏光Ｐ波とされる。直線偏光Ｐ波となった第三波長レーザ光は、光路Ｌ５ａと光路Ｌ３ｅと光路Ｌ４ａとの境界に位置する偏光性ミラー５５により略直角に反射され、光路Ｌ３ｅ，Ｌ３ｄ，Ｌ３ｃ内に位置決め固定された一対のビームエキスパンダレンズ５３，５２を通り抜け、偏光状態が変化されることなく光路Ｌ３ｃと光路Ｌ３ｂとの
間に位置するＬＣＤ５０を通り抜け、光路Ｌ３ｂと光路Ｌ３ａとの間に位置するＣＬ４５により略平行光から収束光に変えられ、光路Ｌ３ａと光路Ｌ２ｅと光路Ｌ１ｄとの境界に位置する第二ＰＢＳ４０内を略直角に反射して通り抜け、光路Ｌ２ｅと光路Ｌ２ｄと光路Ｌ２ｂとの境界に位置する偏光性ミラー３５を通り抜け、光路Ｌ２ｄと光路Ｌ２ｃとの間に位置するセンサレンズ８２を透過することにより非点収差が生じた光とされて、光路Ｌ２ｃの終端に位置するＰＤＩＣ９２に照射される。ＣＤ規格の光ディスクを反射した第二波長のレーザ光は、このように復路をたどり、第二ＰＤＩＣ９２に照射される。
【０１８２】
ＯＰＵ２の第二ＬＤ２０は、複数種類の波長のレーザ光を出射可能なＬＤ２０として構成されている。詳しく説明すると、ＯＰＵ２の第二ＬＤ２０は、ＤＶＤ用の第二波長レーザ光と、「Blu-ray Disc」用もしくは「ＨＤ  ＤＶＤ」用の第一波長レーザ光と異なる波長とされると共にＤＶＤ用の第二波長レーザ光と異なる波長とされるＣＤ用の第三波長レーザ光とを出射可能な二波長ＬＤ２０とされている。
【０１８３】
二波長ＬＤ２０等に代表される複数種類の波長のレーザ光を出射可能なＬＤ２０が用いられることにより、多種のメディアＭ１０，Ｍ２０等に対応可能なＯＰＵ２が構成されると共に、ＯＰＵ２の部品点数の削減化が図られる。第二ＬＤ２０は、ＤＶＤ用の第二波長レーザ光と、「Blu-ray Disc」用および／または「ＨＤ  ＤＶＤ」用の第一波長レーザ光と異なる波長とされると共にＤＶＤ用の第二波長レーザ光と異なる波長とされるＣＤ用の第三波長レーザ光との二種類の波長光を出射可能な二波長ＬＤ２０として構成されているので、ＯＰＵ２は、多種のメディアＭ１０，Ｍ２０等に対応可能となる。また、これと共に、ＤＶＤ用の第二波長レーザ光を出射可能なＬＤと、ＣＤ用の第三波長レーザ光を出射可能なＬＤとが、一つのＬＤ２０としてまとめられているので、ＯＰＵ２の部品削減化、軽量化、小型化、価格低減化が図られる。従って、多種の光ディスクＭ１０，Ｍ２０等に対応可能とされると共に、部品削減化、軽量化、小型化、軽薄化、価格低減化などが図られたＯＰＵ２の提供が可能となる。
【０１８４】
また、ＯＰＵ２のＤＯＥ２５は、ＤＶＤ用の第二波長レーザ光と、ＣＤ用の第三波長レーザ光との二波長に対応可能なＤＯＥ２５とされている。また、ＯＰＵ２の第二偏光性ミラー３５は、ＤＶＤ用の第二波長レーザ光と、ＣＤ用の第三波長レーザ光との二波長に対応可能な偏光性ミラー３５とされている。また、ＯＰＵ２の第二センサレンズ８２は、ＤＶＤ用の第二波長レーザ光と、ＣＤ用の第三波長レーザ光との二波長に対応可能なセンサレンズ８２とされている。また、ＯＰＵ２の第二ＰＤＩＣ９２は、ＤＶＤ用の第二波長レーザ光と、ＣＤ用の第三波長レーザ光との二波長に対応可能なＰＤＩＣ９２とされている。
【０１８５】
ＤＶＤ用の第二波長レーザ光と、ＣＤ用の第三波長レーザ光との二波長に対応可能なＤＯＥ２５と、偏光性ミラー３５と、センサレンズ８２と、ＰＤＩＣ９２とが用いられることにより、ＯＰＵ２の部品削減化、軽量化、小型化、価格低減化が図られる。
【０１８６】
また、上記不図示のスピンドルモータ、ＬＤ１０，２０、ＦＭＤ４３、液晶補正素子５０、可動側の凸レンズ型ビームエキスパンダレンズ５３を有するビームエキスパンダユニット５１用の可動モータ（図示せず）、ＰＤＩＣ９１，９２などは、フレキシブルプリント回路体（図示せず）などのフレキシブル基板（図示せず）に通電可能に接続されている。フレキシブルプリント回路体（Flexible Printed Circuit）は、「ＦＰＣ」と略称される。ＦＰＣは、複数の回路導体（図示せず）が絶縁シート（図示せず）に印刷されて、例えば銅箔などの金属箔（図示せず）が絶縁シートに並設され、その上に透明もしくは半透明の保護層（図示せず）が設けられて構成される。
【０１８７】
上記ＯＰＵ２（図２）は、上記ＬＤＤと、複数の上記ＬＤ１０，２０と、上記ＤＯＥ２
５と、複数の上記ＰＢＳ３０，４０と、複数の上記偏光性ミラー３５，５５と、上記ＦＭＤ４３と、上記ＣＬ４５と、上記ＬＣＤ５０と、複数の上記エキスパンダレンズ５２，５３並びに上記可動モータを有する上記エキスパンダユニット５１と、上記反射性ミラー５６と、上記開口制限付広帯域ＱＷＰ５７と、複数の上記ＯＢＬ６０，７０と、上記レンズホルダと、複数の上記センサレンズ８１，８２と、複数の上記ＰＤＩＣ９１，９２と、複数の上記フォーカシングコイル１７１（図１）と、複数の上記トラッキングコイル１７２と、複数の上記チルトコイル１７３と、複数の上記ＦＰＣと、これらが備えられる上記ハウジングとを備えて構成される。
【０１８８】
このように上記ＯＰＵ２は、上記各種のものを備えて構成される。上記各種のものは、不図示のハウジングに装備される。ハウジングなどを備えるＯＰＵ２は、図示されたもの以外に、他のもの（図示せず）も備えるものとされているが、図１及び図２においては、便宜上、それらの他のものを省略した。
【０１８９】
また、このＯＰＵ２（図２）は、光ディスクＭ１０の信号面部Ｍ１５や光ディスクＭ２０の信号面部Ｍ２５にレーザ光を照射させて、各種光ディスクＭ１０，Ｍ２０等に記録された音楽データ等の各種データ／情報の読取りが実行可能とされたＯＰＵ２とされている。また、このＯＰＵ２は、光ディスクＭ１０の信号面部Ｍ１５や光ディスクＭ２０の信号面部Ｍ２５にレーザ光を照射させて、各種光ディスクＭ１０，Ｍ２０等への音楽データ等の各種データ／情報の書込み／書換えが実行可能とされたＯＰＵ２とされている。また、このＯＰＵ２は、光ディスクＭ１０の信号面部Ｍ１５や光ディスクＭ２０の信号面部Ｍ２５にレーザ光を照射させて、各種光ディスクＭ１０，Ｍ２０等に記録された音楽データ等の各種データ／情報の消去が実行可能とされたＯＰＵ２とされている。
【０１９０】
ＯＰＵ２に装備されたＬＣＤ５０は、液晶分子を自在にコントロールすることが可能なものとされている。ＬＣＤ５０が用いられることにより、レーザ光が光ディスクＭ１０，Ｍ２０に当てられたときに、光ディスクＭ１０，Ｍ２０におけるコマ収差や球面収差などの収差発生が抑えられる。コマ収差とは、光軸から離された物点から斜めに入った光がレンズを通して結像されるときに、点とならずに広がって例えば彗星状に見える現象を意味する。
【０１９１】
このように、このＯＰＵ２は、第一波長レーザ光が光ディスクＭ１０に当てられて、光ディスクＭ１０の信号部Ｍ１５に集光スポットＳ１が照射形成されたときに、集光スポットＳ１にコマ収差や球面収差などの収差が発生されることを抑制させるＬＣＤ５０を備えて構成されている。また、このＯＰＵ２は、第二波長レーザ光が光ディスクＭ２０に当てられて、光ディスクＭ２０の信号部Ｍ２５に集光スポットＳ２が照射形成されたときに、集光スポットＳ２にコマ収差や球面収差などの収差が発生されることを抑制させるＬＣＤ５０を備えて構成されている。ＬＣＤ５０は、「Blu-ray Disc」用もしくは「ＨＤ  ＤＶＤ」用の青紫色をした波長約３５０〜４５０ｎｍの第一波長レーザ光、及び、ＤＶＤ用の赤色をした波長約６３０〜６８５ｎｍの第二波長レーザ光に対し有効に働く。
【０１９２】
ＬＣＤ５０について詳しく説明すると、このＬＣＤ５０は、光ディスクＭ１０，Ｍ２０に照射されるレーザ光の垂直複屈折または面内複屈折のうち何れか一方または両方を併せて補正させる役割をも果す。
【０１９３】
例えばポリカーボネート（polycarbonate：ＰＣ）系樹脂等の熱可塑性の耐熱／透明性合成樹脂材料が用いられて射出成形法に基づき、光ディスクＭ１０（図２，図３（Ａ））の基板Ｍ１１，Ｍ１２が形成されるときに、光ディスクＭ１０の基板Ｍ１１，Ｍ１２に複屈折が生じることがある。また、例えば、透明性紫外線硬化型樹脂材料、透明性合成樹脂材料などの透明性材料を含む混合液が用いられて、例えばスピンコート法に基づいて光デ
ィスクＭ１０の基板Ｍ１１が形成されたときに、光ディスクＭ１０の基板Ｍ１１に複屈折が生じることがある。また、例えばポリカーボネート系樹脂等の熱可塑性の耐熱／透明性合成樹脂材料が用いられて射出成形法に基づき、光ディスクＭ２０（図２，図３（Ｂ））の基板Ｍ２１，Ｍ２２が形成されるときに、光ディスクＭ２０の基板Ｍ２１，Ｍ２２に複屈折が生じることがある。
【０１９４】
複屈折として、例えば、ディスク成形用金型の温度分布の「ばらつき」などによって生じる熱応力に起因した複屈折が挙げられる。また、ディスク成形用金型のキャビティ内に樹脂材料が流し込まれてディスクＭ１０，Ｍ２０が成形されるときに、樹脂材料の流動残留応力に起因した複屈折が挙げられる。これらは、固有複屈折と呼ばれる。一方、固有複屈折と異なる複屈折として、ディスクＭ１０，Ｍ２０が回転したときに生じる応力によりディスクＭ１０，Ｍ２０に発生する応力複屈折が挙げられる。また、ディスクＭ１０，Ｍ２０に伝えられる熱などによりディスクＭ１０，Ｍ２０に発生する配向屈折率の変化によるものも複屈折に関連するものとして挙げられる。
【０１９５】
このＯＰＵ２（図２）は、「Blu-ray Disc」規格の光ディスクＭ１０を構成する透明樹脂基板Ｍ１１，Ｍ１２に起因したレーザ光の垂直複屈折または面内複屈折のうち、何れか一方または両方を併せて補正させると共に、垂直複屈折が少ない光ディスクＭ１０または垂直複屈折が殆ど生じない光ディスクＭ１０に対して良好に対応可能なＬＣＤ５０を備えている。
【０１９６】
また、このＬＣＤ５０は、「ＨＤ  ＤＶＤ」規格もしくは「ＤＶＤ」規格の光ディスクＭ２０を構成する透明樹脂基板Ｍ２１，Ｍ２２に起因したレーザ光の垂直複屈折または面内複屈折のうち、何れか一方または両方を併せて補正させると共に、垂直複屈折が少ない光ディスクＭ２０または垂直複屈折が殆ど生じない光ディスクＭ２０に対して良好に対応可能なＬＣＤ５０とされている。
【０１９７】
各透明樹脂基板Ｍ１１，Ｍ１２，Ｍ２１，Ｍ２２等を形成する材料として、例えばポリカーボネート系樹脂等の射出成形が可能な熱可塑性の耐熱／透明性合成樹脂材料が挙げられる。例えば「ＡＳＴＭ  Ｄ５４２」に基づく試験が行われて、ポリカーボネート系樹脂等の透明樹脂の屈折率が測定されたときに、ポリカーボネート系樹脂等の透明樹脂の屈折率は、例えば略１．４５〜略１．６５とされる。具体的に説明すると、例えば「ＡＳＴＭ
Ｄ５４２」に基づく試験が行われて、ポリカーボネート樹脂の屈折率が測定されたときに、ポリカーボネート樹脂の屈折率は、例えば略１．５５〜略１．６５とされる。
【０１９８】
より詳しく説明すると、波長が約３５０〜４５０ｎｍ、基準とされる波長が略４０５ｎｍの青紫色レーザ光とされる「ＨＤ  ＤＶＤ」用および／または「Blu-ray Disc」用のレーザ光がポリカーボネート樹脂成形体に照射させられたときの屈折率は、略１．６２とされる。また、波長が約６３０〜６８５ｎｍ、基準とされる波長が略６３５ｎｍまたは６５０ｎｍの赤色レーザ光とされるＤＶＤ用のレーザ光がポリカーボネート樹脂成形体に照射させられたときの屈折率は、略１．５８とされる。また、波長が約７６５〜８３０ｎｍ、基準とされる波長が略７８０ｎｍの赤外レーザ光とされるＣＤ用のレーザ光がポリカーボネート樹脂成形体に照射させられたときの屈折率は、略１．５７とされる。
【０１９９】
光ディスクＭ１０，Ｍ２０に照射されるレーザ光の垂直複屈折または面内複屈折のうち何れか一方または両方を併せて補正させると共に、垂直複屈折が少ない光ディスクＭ１０，Ｍ２０または垂直複屈折が殆ど生じない光ディスクＭ１０，Ｍ２０に対して良好に対応可能なＬＣＤ５０がＯＰＵ２に備えられていれば、各種光ディスクＭ１０，Ｍ２０の信号面部Ｍ１５，Ｍ２５にレーザ光が照射されたときに生じるレーザ光の複屈折は、抑えられる。例えば、「Blu-ray Disc」や、「ＨＤ  ＤＶＤ」などに対応するＯＰＵ２においては
、ＮＡの大きいＯＢＬ６０，７０が用いられている。
【０２００】
ＮＡの大きいＯＢＬ６０によりレーザ光が収束されて「Blu-ray Disc」規格の光ディスクＭ１０の信号面部Ｍ１５にレーザ光が照射されたときに、光ディスクＭ１０の信号面部Ｍ１５に照射形成されるスポットＳ１の収差は、光ディスクＭ１０の透明基板Ｍ１１，Ｍ１２による複屈折により特殊な収差となることがある。「Blu-ray Disc」規格の光ディスクＭ１０の信号面部Ｍ１５に照射形成されるスポットＳ１の収差は、光ディスクＭ１０を構成する透明樹脂基板Ｍ１１，Ｍ１２の複屈折により、光ディスクＭ１０の信号面部Ｍ１５に照射形成されるレーザ光のスポットＳ１の中心部付近と、レーザ光のスポットＳ１の周縁部付近とでは、収差度合いが異なる。
【０２０１】
光ディスクＭ１０を構成する透明樹脂基板Ｍ１１，Ｍ１２に起因して生じる垂直複屈折または面内複屈折のうち何れか一方または両方を併せて補正させるＬＣＤ５０がＯＰＵ２に備えられていれば、光ディスクＭ１０の信号面部Ｍ１５にレーザ光を照射させて光ディスクＭ１０のデータ／情報を読み取るときや、光ディスクＭ１０の信号面部Ｍ１５にレーザ光を照射させて光ディスクＭ１０へデータ／情報を書き込んだり書き換えたりするときや、光ディスクＭ１０の信号面部Ｍ１５にレーザ光を照射させて光ディスクＭ１０のデータ／情報を消去するときに、光ディスクＭ１０を構成する透明樹脂基板Ｍ１１，Ｍ１２に起因して、光ディスクＭ１０の透明樹脂基板Ｍ１１，Ｍ１２に生じるレーザ光の複屈折により、光ディスクＭ１０の信号面部Ｍ１５に照射形成されたレーザ光のスポットＳ１の収差補正に悪影響が及ぼされるということは回避され易くなる。
【０２０２】
また、ＮＡの大きいＯＢＬ７０によりレーザ光が収束されて「ＨＤ  ＤＶＤ」規格もしくは「ＤＶＤ」規格の光ディスクＭ２０の信号面部Ｍ２５にレーザ光が照射されたときに、光ディスクＭ２０の信号面部Ｍ２５に照射形成されるスポットＳ２の収差は、光ディスクＭ２０の透明基板Ｍ２１，Ｍ２２による複屈折により特殊な収差となることがある。「ＨＤ  ＤＶＤ」規格もしくは「ＤＶＤ」規格の光ディスクＭ２０の信号面部Ｍ２５に照射形成されるスポットＳ２の収差は、光ディスクＭ２０を構成する透明樹脂基板Ｍ２１，Ｍ２２の複屈折により、光ディスクＭ２０の信号面部Ｍ２５に照射形成されるレーザ光のスポットＳ２の中心部付近と、レーザ光のスポットＳ２の周縁部付近とでは、収差度合いが異なる。
【０２０３】
光ディスクＭ２０を構成する透明樹脂基板Ｍ２１，Ｍ２２に起因して生じる垂直複屈折または面内複屈折のうち何れか一方または両方を併せて補正させるＬＣＤ５０がＯＰＵ２に備えられていれば、光ディスクＭ２０の信号面部Ｍ２５にレーザ光を照射させて光ディスクＭ２０のデータ／情報を読み取るときや、光ディスクＭ２０の信号面部Ｍ２５にレーザ光を照射させて光ディスクＭ２０へデータ／情報を書き込んだり書き換えたりするときや、光ディスクＭ２０の信号面部Ｍ２５にレーザ光を照射させて光ディスクＭ２０のデータ／情報を消去するときに、光ディスクＭ２０を構成する透明樹脂基板Ｍ２１，Ｍ２２に起因して、光ディスクＭ２０の透明樹脂基板Ｍ２１，Ｍ２２に生じるレーザ光の複屈折により、光ディスクＭ２０の信号面部Ｍ２５に照射形成されたレーザ光のスポットＳ２の収差補正に悪影響が及ぼされるということは回避され易くなる。
【０２０４】
なお、ＬＣＤ５０を備えるＯＰＵ２は、垂直複屈折が少ない光ディスクＭ１０，Ｍ２０または垂直複屈折が殆ど生じない光ディスクＭ１０，Ｍ２０に対しても、問題なく良好に対応する。
【０２０５】
例えば上記光検出器９１，９２（図２）のメイン受光部（５０）（図４（Ｂ），図５（Ａ））に対応して、ＬＣＤ５０が平面視されたときに、ＬＣＤ５０は、少なくとも複数の略矩形に四分割されて、例えば略矩形の四つの領域５０ｉ，５０ii，５０iii，５０ivに
分けられる。また、ＬＣＤ５０が平面視されたときに、ＬＣＤ５０は、複数の径の異なる各同心円状に少なくとも四分割されて、ＬＣＤ５０の各補正パターン（５０ａ），５０ｂ，５０ｃ，５０ｄは、中心が略一致された径の異なる略リング状に形成されている。例えば上記光検出器９１，９２（図２）のメイン受光部（５０）（図４（Ｂ），図５（Ａ））に対応して、ＬＣＤ５０は、例えば少なくとも十二に分割されている。
【０２０６】
詳しく説明すると、例えば上記光検出器９１，９２（図２）のメイン受光部（５０）（図４（Ｂ），図５（Ａ））に対応して、ＬＣＤ５０は、ＬＣＤ５０全体が平面視されたときに略矩形状に複数分割され、且つ、直径が異なる略正円状に複数分割され、各円状輪郭線の中心部が略一致して、少なくとも十六、具体的には二十の領域５０ｉａ，５０iiａ，５０iiiａ，５０ivａ，５０ｉｂ，５０iiｂ，５０iiiｂ，５０ivｂ，５０ｉｃ，５０iiｃ，５０iiiｃ，５０ivｃ，５０ｉｄ，５０iiｄ，５０iiiｄ，５０ivｄ，５０ｉｅ，５０iiｅ，５０iiiｅ，５０ivｅに区画割りされて、少なくとも十六、具体的には二十の領域５０ｉａ，５０iiａ，５０iiiａ，５０ivａ，５０ｉｂ，５０iiｂ，５０iiiｂ，５０ivｂ，５０ｉｃ，５０iiｃ，５０iiiｃ，５０ivｃ，５０ｉｄ，５０iiｄ，５０iiiｄ，５０ivｄ，５０ｉｅ，５０iiｅ，５０iiiｅ，５０ivｅ内の液晶材料が各々分離された状態で仕切られて分割されている。
【０２０７】
平面視略正方形状をしたＬＣＤ５０の略中央部に位置する略正円状または略リング状の第一補正パターン５０ａは、ＬＣＤ５０の略中央部右上に位置する略扇状の第一領域５０ｉａと、第一領域５０ｉａの左側に隣り合う略扇状の第二領域５０iiａと、第二領域５０iiａの下側に隣り合う略扇状の第三領域５０iiiａと、第三領域５０iiiａの右側に隣り合う略扇状の第四領域５０ivａとを備えて構成されている。
【０２０８】
また、略正円状または略リング状の第一補正パターン５０ａの外側に位置する略リング状の第二補正パターン５０ｂは、ＬＣＤ５０の略中央部よりも右上に位置する略扇状の第五領域５０ｉｂと、第五領域５０ｉｂの左側に隣り合う略扇状の第六領域５０iiｂと、第六領域５０iiｂの下側に隣り合う略扇状の第七領域５０iiiｂと、第七領域５０iiiｂの右側に隣り合う略扇状の第八領域５０ivｂとを備えて構成されている。
【０２０９】
また、略リング状の第二補正パターン５０ｂの外側に位置する略リング状の第三補正パターン５０ｃは、ＬＣＤ５０の略中央部よりも右上に位置する略扇状の第九領域５０ｉｃと、第九領域５０ｉｃの左側に隣り合う略扇状の第十領域５０iiｃと、第十領域５０iiｃの下側に隣り合う略扇状の第十一領域５０iiiｃと、第十一領域５０iiiｃの右側に隣り合う略扇状の第十二領域５０ivｃとを備えて構成されている。
【０２１０】
また、略リング状の第三補正パターン５０ｃの外側に位置する略リング状の第四補正パターン５０ｄは、ＬＣＤ５０の略中央部よりも右上に位置する略扇状の第十三領域５０ｉｄと、第十三領域５０ｉｄの左側に隣り合う略扇状の第十四領域５０iiｄと、第十四領域５０iiｄの下側に隣り合う略扇状の第十五領域５０iiiｄと、第十五領域５０iiiｄの右側に隣り合う略扇状の第十六領域５０ivｄとを備えて構成されている。
【０２１１】
また、平面視略正方形状をしたＬＣＤ５０の右上側に位置する略正方形状の第一矩形領域５０ｉは、ＬＣＤ５０の略中央部右上に位置する略扇状の第一領域５０ｉａと、第一領域５０ｉａの外側に位置する略扇状の第五領域５０ｉｂと、第五領域５０ｉｂの外側に位置する略扇状の第九領域５０ｉｃと、第九領域５０ｉｃの外側に位置する略扇状の第十三領域５０ｉｄと、第十三領域５０ｉｄの外側に位置する異形状をした第十七領域５０ｉｅとを備えて構成されている。
【０２１２】
また、平面視略正方形状をしたＬＣＤ５０の左上側に位置する略正方形状の第二矩形領
域５０iiは、ＬＣＤ５０の略中央部左上に位置する略扇状の第二領域５０iiａと、第二領域５０iiａの外側に位置する略扇状の第六領域５０iiｂと、第六領域５０iiｂの外側に位置する略扇状の第十領域５０iiｃと、第十領域５０iiｃの外側に位置する略扇状の第十四領域５０iiｄと、第十四領域５０iiｄの外側に位置する異形状をした第十八領域５０iiｅとを備えて構成されている。
【０２１３】
また、平面視略正方形状をしたＬＣＤ５０の左下側に位置する略正方形状の第三矩形領域５０iiiは、ＬＣＤ５０の略中央部左下に位置する略扇状の第三領域５０iiiａと、第三領域５０iiiａの外側に位置する略扇状の第七領域５０iiiｂと、第七領域５０iiiｂの外側に位置する略扇状の第十一領域５０iiiｃと、第十一領域５０iiiｃの外側に位置する略扇状の第十五領域５０iiiｄと、第十五領域５０iiiｄの外側に位置する異形状をした第十九領域５０iiiｅとを備えて構成されている。
【０２１４】
また、平面視略正方形状をしたＬＣＤ５０の右下側に位置する略正方形状の第四矩形領域５０ivは、ＬＣＤ５０の略中央部右下に位置する略扇状の第四領域５０ivａと、第四領域５０ivａの外側に位置する略扇状の第八領域５０ivｂと、第八領域５０ivｂの外側に位置する略扇状の第十二領域５０ivｃと、第十二領域５０ivｃの外側に位置する略扇状の第十六領域５０ivｄと、第十六領域５０ivｄの外側に位置する異形状をした第二十領域５０ivｅとを備えて構成されている。
【０２１５】
なお、この明細書における「上」、「下」、「左」、「右」の定義は、ＬＣＤ５０や、ＯＰＵ２（図２）や、光ディスク装置１（図１）等を説明するための便宜上の定義とされている。
【０２１６】
光ディスクＭ１０（図２，図３（Ａ））の信号面部Ｍ１５にレーザ光が照射されて光ディスクＭ１０の信号面部Ｍ１５に照射形成される略円状のスポットＳ１の収差補正は、中心が略一致された径の異なる略リング状の複数の補正パターン５０ａ，５０ｂ，５０ｃ，５０ｄ（図４（Ｂ），図５（Ａ））を備えるＬＣＤ５０により良好に行われる。また、光ディスクＭ２０（図２，図３（Ｂ））の信号面部Ｍ２５にレーザ光が照射されて光ディスクＭ２０の信号面部Ｍ２５に照射形成される略円状のスポットＳ２の収差補正は、中心が略一致された径の異なる略リング状の複数の補正パターン５０ａ，５０ｂ，５０ｃ，５０ｄ（図４（Ｂ），図５（Ａ））を備えるＬＣＤ５０により良好に行われる。
【０２１７】
略円状のスポットＳ１又はＳ２（図２，図３）の収差補正は、図４（Ｂ）および図５（Ａ）に示す平面視少なくとも十二、好ましくは十六に分割された領域５０ｉａ，５０iiａ，５０iiiａ，５０ivａ，５０ｉｂ，５０iiｂ，５０iiiｂ，５０ivｂ，５０ｉｃ，５０iiｃ，５０iiiｃ，５０ivｃ，５０ｉｄ，５０iiｄ，５０iiiｄ，５０ivｄを備えるＬＣＤ５０により良好に行われる。
【０２１８】
図４（Ｂ）に示すＬＣＤ５０によってレーザ光のスポット補正が行われるときに、例えば図４（Ａ）の如く、波形が複数に分けられる。レーザ光のスポットの球面収差補正が行われる前の波形（図４（Ａ））は、図４（Ｂ）および図５（Ａ）に示すＬＣＤ５０によって、レーザ光のスポットの球面収差補正および複屈折補正が同時に行われることにより、例えば図５（Ｂ）の如く、波面の最大−最小値ＰＶｃが小さくされた鋭利な波形となる。
【０２１９】
光ディスクＭ１０（図２，図３（Ａ））を構成する透明樹脂基板Ｍ１１，Ｍ１２に起因した複屈折量に対応して、ＬＣＤ５０（図２）に印加される電圧を調整させて、光ディスクＭ１０に照射されるレーザ光の垂直複屈折または面内複屈折のうち何れか一方または両方を併せて補正させる。
【０２２０】
ＬＣＤ５０の印加電圧を調整することにより、光ディスクＭ１０の信号面部Ｍ１５にレーザ光が照射されて光ディスクＭ１０の信号面部Ｍ１５に照射形成されるスポットＳ１の収差補正は、良好に行われる。光ディスクＭ１０を構成する透明樹脂基板Ｍ１１，Ｍ１２に起因したレーザ光の複屈折量に対応して、ＬＣＤ５０に印加される電圧が調整されることにより、光ディスクＭ１０を構成する透明樹脂基板Ｍ１１，Ｍ１２に起因するレーザ光の垂直複屈折または面内複屈折のうち何れか一方または両方の補正が併せて行われる。
【０２２１】
また、光ディスクＭ２０（図２，図３（Ａ））を構成する透明樹脂基板Ｍ２１，Ｍ２２に起因した複屈折量に対応して、ＬＣＤ５０（図２）に印加される電圧を調整させて、光ディスクＭ２０に照射されるレーザ光の垂直複屈折または面内複屈折のうち何れか一方または両方を併せて補正させる。
【０２２２】
ＬＣＤ５０の印加電圧を調整することにより、光ディスクＭ２０の信号面部Ｍ２５にレーザ光が照射されて光ディスクＭ２０の信号面部Ｍ２５に照射形成されるスポットＳ２の収差補正は、良好に行われる。光ディスクＭ２０を構成する透明樹脂基板Ｍ２１，Ｍ２２に起因したレーザ光の複屈折量に対応して、ＬＣＤ５０に印加される電圧が調整されることにより、光ディスクＭ２０を構成する透明樹脂基板Ｍ２１，Ｍ２２に起因するレーザ光の垂直複屈折または面内複屈折のうち何れか一方または両方の補正が併せて行われる。
【０２２３】
例えばスポットＳ１（図３（Ａ）），Ｓ２（図３（Ｂ））の球面収差補正が行われるときに、平面視略正方形状をしたＬＣＤ５０（図４（Ｂ），図５（Ａ））の略中央部に位置する略正円リング状の第一補正パターン５０ａに印加させる電圧と、第一補正パターン５０ａの外側に位置する略リング状の第二補正パターン５０ｂに印加させる電圧と、第二補正パターン５０ｂの外側に位置する略リング状の第三補正パターン５０ｃに印加させる電圧と、第三補正パターン５０ｃの外側に位置する略リング状の第四補正パターン５０ｄに印加させる電圧とを各々変化させる。
【０２２４】
このときに、ディスク基板Ｍ１１（図３（Ａ）），Ｍ２１（図３（Ｂ））に、例えばフォーカシング方向Ｄｆに略沿ったレーザ光の垂直複屈折が生じているときには、例えば、略正円状の第一補正パターン５０ａ（図４（Ｂ），図５（Ａ））に印加させる電圧と、略リング状の第二補正パターン５０ｂに印加させる電圧と、略リング状の第三補正パターン５０ｃに印加させる電圧と、略リング状の第四補正パターン５０ｄに印加させる電圧とをさらに各々微調整させて、レーザ光の垂直複屈折に対応させる。
【０２２５】
また、ディスク基板Ｍ１１（図３（Ａ）），Ｍ２１（図３（Ｂ））に、例えばメディア半径方向Ｄｒいわゆるトラッキング方向Ｄｒに略沿ったレーザ光の面内複屈折が生じているときには、例えば、平面視略正方形状をしたＬＣＤ５０（図４（Ｂ），図５（Ａ））の右上側に位置する略正方形状の第一矩形領域５０ｉおよび第一矩形領域５０ｉの下側に位置する略正方形状の第四矩形領域５０ivに印加させる電圧と、第一矩形領域５０ｉの左側に位置する略正方形状の第二矩形領域５０iiおよび第二矩形領域５０iiの下側に位置する略正方形状の第三矩形領域５０iiiに印加させる電圧とを各々微調整させて、メディア半径方向Ｄｒに略沿ったレーザ光の面内複屈折に対応させる。
【０２２６】
また、ディスク基板Ｍ１１（図３（Ａ）），Ｍ２１（図３（Ｂ））に、例えばフォーカシング方向Ｄｆおよびメディア半径方向Ｄｒに対し略直交する方向とされるタンジェンシャル方向Ｄｔに略沿ったレーザ光の面内複屈折が生じているときには、例えば、平面視略正方形状をしたＬＣＤ５０（図４（Ｂ），図５（Ａ））の右上側に位置する略正方形状の第一矩形領域５０ｉおよび第一矩形領域５０ｉの対角下側に位置する略正方形状の第三矩形領域５０iiiに印加させる電圧や、第一矩形領域５０ｉの左側に位置する略正方形状の
第二矩形領域５０iiおよび第二矩形領域５０iiの対角下側に位置する略正方形状の第四矩形領域５０ivに印加させる電圧を各々微調整させて、タンジェンシャル方向Ｄｔに略沿ったレーザ光の面内複屈折に対応させる。
【０２２７】
具体的に説明すると、ディスク基板Ｍ１１（図３（Ａ）），Ｍ２１（図３（Ｂ））に、例えばフォーカシング方向Ｄｆおよびメディア半径方向Ｄｒに対し略直交する方向とされるタンジェンシャル方向Ｄｔに略沿ったレーザ光の面内複屈折が生じているときには、例えば、平面視略正方形状をしたＬＣＤ５０（図４（Ｂ），図５（Ａ））の略中央部に位置する略扇状の第一領域５０ｉａおよび第一領域５０ｉａの略対角上に位置する略扇状の第三領域５０iiiａに印加させる電圧と、第一領域５０ｉａの外側に位置する略扇状の第五領域５０ｉｂおよび第五領域５０ｉｂの略対角上に位置する略扇状の第七領域５０iiiｂに印加させる電圧と、第五領域５０ｉｂの外側に位置する略扇状の第九領域５０ｉｃおよび第九領域５０ｉｃの略対角上に位置する略扇状の第十一領域５０iiiｃに印加させる電圧と、第九領域５０ｉｃの外側に位置する略扇状の第十三領域５０ｉｄおよび第十三領域５０ｉｄの略対角上に位置する略扇状の第十五領域５０iiiｄに印加させる電圧とを各々微調整させて、タンジェンシャル方向Ｄｔに略沿ったレーザ光の面内複屈折に対応させる。
【０２２８】
また、ディスク基板Ｍ１１（図３（Ａ）），Ｍ２１（図３（Ｂ））に、例えばフォーカシング方向Ｄｆおよびメディア半径方向Ｄｒに対し略直交する方向とされるタンジェンシャル方向Ｄｔに略沿ったレーザ光の面内複屈折が生じているときには、例えば、平面視略正方形状をしたＬＣＤ５０（図４（Ｂ），図５（Ａ））の略中央部に位置する略扇状の第二領域５０iiａおよび第二領域５０iiａの略対角上に位置する略扇状の第四領域５０ivａに印加させる電圧と、第二領域５０iiａの外側に位置する略扇状の第六領域５０iiｂおよび第六領域５０iiｂの略対角上に位置する略扇状の第八領域５０ivｂに印加させる電圧と、第六領域５０iiｂの外側に位置する略扇状の第十領域５０iiｃおよび第十領域５０iiｃの略対角上に位置する略扇状の第十二領域５０ivｃに印加させる電圧と、第十領域５０iiｃの外側に位置する略扇状の第十四領域５０iiｄおよび第十四領域５０iiｄの略対角上に位置する略扇状の第十六領域５０ivｄに印加させる電圧とを各々微調整させて、タンジェンシャル方向Ｄｔに略沿ったレーザ光の面内複屈折に対応させる。
【０２２９】
このように、このＯＰＵ２の複屈折補正方法は、ＬＣＤ５０を用いてレーザ光のスポットＳ１，Ｓ２の球面収差補正を行うのと同時に、ＬＣＤ５０の印加電圧を調整させて、光ディスクＭ１０，Ｍ２０の内面複屈折と垂直複屈折とを補正させるＯＰＵ２の複屈折補正方法とされる。
【０２３０】
ＬＣＤを用いてレーザ光のスポット（Ｓ１，Ｓ２）の球面収差補正のみを単に行うＯＰＵの複屈折補正方法に対し、上記ＯＰＵ２の複屈折補正方法においては、上記ＬＣＤ５０を用い、ＬＣＤ５０の印加電圧を調整させて、レーザ光のスポットＳ１，Ｓ２の球面収差補正を行うと共に、光ディスクＭ１０，Ｍ２０に照射されるレーザ光の垂直複屈折または面内複屈折のうち何れか一方または両方の補正を併せて行う。
【０２３１】
ＬＣＤを用いてレーザ光のスポット（Ｓ１，Ｓ２）の球面収差のみを単に補正するスポット補正方法に対し、上記ＯＰＵ２の複屈折補正方法を行うことにより、光のスポット補正が行われたのちのスポット補正波形／形状（図５（Ｂ），図８（Ｂ））や、光のスポットの球面収差補正が行われた後の波面の最大−最小値ＰＶｃ（図５（Ｂ）），ＰＶｂ（図８（Ｂ））等が変化する。ＬＣＤを用いてレーザ光のスポット（Ｓ１，Ｓ２）の球面収差のみを単に補正するスポット補正方法に対し、上記ＯＰＵ２の複屈折補正方法を行うことにより、レーザ光のスポットＳ１，Ｓ２の波形、形状の補正効果が異なる。
【０２３２】
上記ＬＣＤ５０を備えるＯＰＵ２を用いて、上記ＯＰＵ２の複屈折補正方法を行うことにより、レーザ光の垂直複屈折または面内複屈折のうち何れか一方または両方の補正が行われ、レーザ光のスポットＳ１，Ｓ２における球面収差値などの収差値が例えば略０．０７５λｒｍｓ以下に抑えられやすくなる。具体的に説明すると、レーザ光のスポットＳ１，Ｓ２における球面収差値などの収差値が、例えば略０〜０．０５λｒｍｓ内に収められやすくなる。
【０２３３】
複屈折の影響を数値計算にて見積もるときには、例えば図６に示す複屈折楕円体Ｇからジョーンズ行列を用いて計算する。ジョーンズ行列とは、偏光子や位相板などの特性を現す２行２列のマトリックスである。図６においては、光学軸Ｊａに対し、波面法線Ｊｎが傾けられた状態が示されている。
【０２３４】
ここで、例えば、メディア半径方向Ｄｒ（図２，図３（Ａ）（Ｂ））いわゆるディスク半径方向Ｄｒに略沿った軸をＸ軸と定め、タンジェンシャル方向Ｄｔに略沿った軸をＹ軸と定め、フォーカシング方向Ｄｆに略沿った軸をＺ軸と定める。このときに、光ディスクＭ１０（図２，図３（Ａ））の基板Ｍ１１のジョーンズ行列や、光ディスクＭ２０（図２，図３（Ｂ））の基板Ｍ２１又は基板Ｍ２２のジョーンズ行列を例えば「Ｔ」と定義する。また、例えば光が進む方向は、Ｚ軸いわゆる光学軸Ｊａ（図６）とされる。
【０２３５】
例えば結晶の光学弾性軸（例えば屈折率楕円体の切断面の長軸、短軸）が例えば右回りにθほど回転させられる。θは、例えば二つの光学弾性軸のうちＦ軸からの角度とされる。Ｆ軸とは、例えば速度の速い光の振動方向とされ、例えばｆａｓｔ軸と呼ばれている。また、例えばＸ軸方向の位相がαだけ進められている場合を仮定する。このときに、例えば結晶のＦ軸がＸ軸よりθの角度をなし、Ｆ軸方向に振動する波の位相が結晶を透過しαほど進む。これらのことを例えば式を用いて示すと、例えば下記（１）式に基づいたジョーンズ行列Ｔとして示される。
【０２３６】
【数１】
2008210501.tif 000003
但し、上の式（１）に示されるφは、下記（２）式に基づいて求められる。
【０２３７】
【数２】
2008210501.tif 000004
式（１）中のθ＋φおよびαは、例えば、Ｘ，Ｙの関数とされている。
【０２３８】
赤外光、濃い赤色の光、赤色の光等の比較的波長の長い光の屈折率は小さく、紫外光、紫色の光、青紫色の光、青色の光等の比較的波長の短い光の屈折率は大きいことから、こ
のＯＰＵ２および光ディスク装置１は、波長略３５０〜４５０ｎｍ、基準とされる波長が略４０５ｎｍの青紫色レーザ光を少なくとも出射可能な「ＨＤ  ＤＶＤ」規格および／または「Blu-ray Disc」規格に対応するＯＰＵ２およびそれを備える光ディスク装置１に適用されるとよい。
【０２３９】
上記ＯＰＵ２（図２）は、例えば、「ＣＤ−ＲＯＭ」，「ＤＶＤ−ＲＯＭ」，「ＨＤ  ＤＶＤ−ＲＯＭ」，「ＢＤ−ＲＯＭ」などの読出し専用の光ディスクや、「ＣＤ−Ｒ」，「ＤＶＤ−Ｒ」，「ＤＶＤ＋Ｒ」，「ＨＤ  ＤＶＤ−Ｒ」，「ＢＤ−Ｒ」などの追記型の光ディスクや、「ＣＤ−ＲＷ」，「ＤＶＤ−ＲＷ」，「ＤＶＤ＋ＲＷ」，「ＤＶＤ−ＲＡＭ」，「ＨＤ  ＤＶＤ−ＲＷ」，「ＨＤ  ＤＶＤ−ＲＡＭ」，「ＢＤ−ＲＥ」などの書込み／消去や書換え可能なタイプの光ディスクに対応したものとされる。
【０２４０】
次に、上記ＯＰＵ２を備える光ディスク装置１（図１）について主に説明する。
【０２４１】
この光ディスク装置１は、ＯＰＵ２（図２）に装備されたＰＤＩＣ９１又は９２において検出された信号が入力され、ＰＤＩＣ９１又は９２において検出された信号を高い周波数の信号とされる例えばＲＦ信号として出力させる光出力信号処理回路１０２（図１）を備える。ＲＦ信号とは、例えば電波と略同じ高い周波数に変換された信号を意味する。また、「ＲＦ」は、「radio frequency」の略称である。
【０２４２】
ＯＰＵ２（図２）に装備されたＰＤＩＣ９１，９２によって光信号から電気信号に変換された信号は、光出力信号処理回路１０２（図１）いわゆるフロントエンド処理部１０２に入力される。フロントエンド処理部１０２は、光ディスクＭ１０又はＭ２０に記録された信号の再生信号とされるＲＦ信号などの高い周波数の信号と、フォーカシングエラー信号と、トラッキングエラー信号とを生成して出力するものとして構成されている。
【０２４３】
フォーカシングエラー（focusing error）とは、光ディスクＭ１０（図２，図３（Ａ））のピットＭ１５ｔまたはグルーブ（図示せず）に対し、光軸方向Ｄｆなどの信号部Ｍ１５に略直交する方向Ｄｆに沿って、ＯＢＬ６０により絞られた光Ｌの焦点が位置ずれを起こすことや、光ディスクＭ２０（図２，図３（Ｂ））のピットＭ２５ｔまたはグルーブ（図示せず）に対し、光軸方向Ｄｆなどの信号部Ｍ２５に略直交する方向Ｄｆに沿って、ＯＢＬ７０により絞られた光Ｌの焦点が位置ずれを起こすことを意味する。
【０２４４】
また、トラッキングエラー（tracking error）とは、光ディスクＭ１０（図２，図３（Ａ））のピットＭ１５ｔまたはグルーブに対し、径方向Ｄｒなどの信号部Ｍ１５に略沿った方向Ｄｒに、ＯＢＬ６０により絞られた光Ｌの焦点が位置ずれを起こすことや、光ディスクＭ２０（図２，図３（Ｂ））のピットＭ２５ｔまたはグルーブに対し、径方向Ｄｒなどの信号部Ｍ２５に略沿った方向Ｄｒに、ＯＢＬ７０により絞られた光Ｌの焦点が位置ずれを起こすことを意味する。
【０２４５】
また、この光ディスク装置１（図１）は、ＰＤＩＣ９１，９２（図２）で検出され光出力信号処理回路１０２（図１）にて高い周波数の信号に変換された信号を増幅させると共に、高い周波数のアナログ信号をデジタル信号に変換させる信号処理回路１０４を備える。詳しく説明すると、この光ディスク装置１は、ＰＤＩＣ９１又は９２（図２）で検出されフロントエンド処理部１０２（図１）にてＲＦ信号に変換された信号を増幅させると共に、アナログ信号とされるＲＦ信号をデジタル信号に変換させるＲＦ信号増幅／処理回路１０４を備える。アナログ（analog）とは、物質やシステムなどの状態を連続的に変化する物理量などによって表現することを意味する。また、これに対するデジタル（digital）とは、物質やシステムなどの状態を離散的な数字や文字などの信号により表現することを意味する。
【０２４６】
フロントエンド処理部１０２にて生成された再生信号とされるＲＦ信号などの高い周波数の信号は、ＲＦ信号増幅／処理回路１０４などの信号処理回路１０４に入力される。ＲＦ信号増幅／処理回路１０４などの信号処理回路１０４にてＲＦ信号などの高い周波数の信号が増幅される。また、ＲＦ信号増幅／処理回路１０４などの信号処理回路１０４は、入力されたアナログ信号を２値化された信号いわゆるデジタル信号として出力するものとして構成されている。ＲＦ信号増幅／処理回路１０４などの信号処理回路１０４から出力された信号に基づいて、ジッタ値の検出が良好に行われる。
【０２４７】
また、この光ディスク装置１は、ＲＦ信号増幅／処理回路１０４などの信号処理回路１０４から出力されたデジタル信号の復調を行うデジタル信号処理回路１０６を備える。ＲＦ信号増幅／処理回路１０４などの信号処理回路１０４から出力されたデジタル信号は、デジタル信号処理回路１０６に入力される。デジタル信号処理回路１０６は、各種信号の復調動作を行うものとして構成されている。
【０２４８】
また、この光ディスク装置１は、ＯＢＬ６０，７０（図２）を有するＯＰＵ２のＰＤＩＣ９１，９２により光ディスクＭ１０，Ｍ２０から読み出された信号に基づいて、信号の揺らぎ値とされるジッタ値を検出するジッタ値検出回路１０８（図１）を備える。具体的に説明すると、この光ディスク装置１は、ＲＦ信号増幅／処理回路１０４などの信号処理回路１０４を通りデジタル信号処理回路１０６から得られた信号に基づいて、信号の揺らぎ値とされるジッタ値を検出するジッタ値検出回路１０８いわゆるジッタ計測回路１０８を有する。
【０２４９】
デジタル信号処理回路１０６にて生成された信号は、ジッタ計測回路１０８に入力される。例えば光ディスクがＣＤ規格の光ディスクの場合には、ジッタ計測回路１０８にて、３Ｔから１１Ｔまでの長さの信号が検出され、基準クロック信号に基づいて、再生信号の周波数の時間ばらつき即ちジッタ値が検出される。ジッタ計測回路１０８にて検出されたジッタ値が小さいほど、時間ばらつきが少なく、再生特性が良いものとされる。
【０２５０】
ＲＦ信号などの高い周波数の信号から同期系のものが検出されてゆくときに、基準クロックにて、周波数Ｆの時間ばらつきが検出される。この時間ばらつきが小さい数値とされているほど、時間ばらつきが少なく、性能が良いものとされている。基準クロックは、例えば基準ＣＬＫと略称されて用いられる。同期系の信号長さについて説明すると、例えば、ＣＤ系列のものでは、３Ｔ〜１１Ｔ、ＤＶＤ系列のものでは、一部３Ｔ〜１１Ｔ、主に３Ｔ〜１４Ｔ、「ＨＤ  ＤＶＤ」系列のものでは、２Ｔ〜１１Ｔ、「Blu-ray Disc」系列のものでは、２Ｔ〜８Ｔとされている。
【０２５１】
また、この光ディスク装置１は、ジッタ計測回路１０８から出力された信号が入力され、光ディスク装置１全体の制御を行うシステム制御回路１１０を備える。光ディスク装置１やＯＰＵ２の各種の制御／動作は、システム制御回路１１０にて行われる。システム制御回路１１０は、マイクロコンピュータにて構成されている。マイクロコンピュータ（micro computer）とは、超小型コンピュータを意味するものとされている。
【０２５２】
システム制御用マイクロコンピュータは、例えば中央演算装置を意味するＣＰＵ（Central Processing Unit）、ＭＰＵ（Micro Processing Unit）、システムコントローラ、マイクロプロセッサ、マイクロコンピュータなどとされ、光ディスク装置１全般のシステム制御を司る制御部とされる。ＣＰＵ１１０が備える各機能は、ソフトウェアいわゆるプログラムにより実現される。
【０２５３】
また、この光ディスク装置１は、ＣＰＵ１１０に各種制御を行わせるプログラムが記憶
された第一メモリ回路１１１を備える。ソフトウェアにより実施される各機能は、ＣＰＵ１１０がアクセス可能な第一メモリ回路１１１に格納されている。システム制御回路１１０は、フラッシュＲＯＭなどの第一メモリ回路１１１に記憶されたプログラムに基づいて、各種の制御／動作を行わせるものとして構成されている。「ＲＯＭ」は、「read-only memory」の略称である。第一メモリ回路１１１として、例えばフラッシュメモリ（flash memory）が用いられた。
【０２５４】
第一メモリ回路１１１について詳しく説明すると、第一メモリ回路１１１として、例えばＥＥＰＲＯＭなどのＲＯＭが挙げられる。ＲＯＭとは、読出し専用メモリを意味する。ＥＥＰＲＯＭとは、電気的に内容を書き換えることが可能なＲＯＭを意味する。ＥＥＰＲＯＭは、いわゆる不揮発性メモリである。ＥＥＰＲＯＭの変更が行われるときには、通常の電圧よりも高い電圧により行われる。また、ＥＥＰＲＯＭは、記憶された情報を電気的に消去可能なものとされている。「ＥＥＰＲＯＭ」は、「Electronically Erasable and Programmable Read Only Memory」の略称である。
【０２５５】
また、第一メモリ回路１１１として、例えばＥＰＲＯＭなどのＲＯＭが挙げられる。ＥＰＲＯＭとは、記憶の消去・書込みを何度でも行うことが可能とされるＲＯＭを意味する。ＥＰＲＯＭは、記憶が消去されるときに、読出し時と異なる特殊な方法で行われるものとされている。「ＥＰＲＯＭ」は、「Erasable Programmable Read Only Memory」の略称である。
【０２５６】
また、この光ディスク装置１は、ＣＰＵ１１０に入力された上記ジッタ値等の各種値を記憶・消去可能な第二メモリ回路１１２を備える。第二メモリ回路１１２として、例えばＲＡＭが用いられた。ＲＡＭとは、記憶場所や順序に関係することなく略同一時間でデータにアクセスできる記憶装置を意味する。「ＲＡＭ」は、「random access memory」の略称である。システム制御回路１１０により、ＲＡＭなどの第二メモリ回路１１２の動作が制御される。第二メモリ回路１１２は、例えばＣＰＵ１１０にてジッタ値等に関する信号データの複雑な計算が行われる場合に、ジッタ値等に関する各種信号データを一時的に保存するときに用いられる。
【０２５７】
また、この光ディスク装置１は、ジッタ計測回路１０８とＣＰＵ１１０とを経由した信号に基づいて、光ディスクＭ１０（図２，図３（Ａ））の信号面部Ｍ１５に対するＯＰＵ２（図２）のＯＢＬ６０の焦点合せを行わせるときに、ＯＢＬ６０をＯＢＬ６０の光軸方向Ｄｆに沿って動かすために用いるデフォーカス値を調整させると共に、設定調整されたデフォーカス値に基づいて、フォーカシングサーボ回路１３１（図１）に対しデフォーカス調整等を行わせたり、ジッタ計測回路１０８とＣＰＵ１１０とを経由した信号に基づいて、光ディスクＭ２０（図２，図３（Ｂ））の信号面部Ｍ２５に対するＯＰＵ２（図２）のＯＢＬ７０の焦点合せを行わせるときに、ＯＢＬ７０をＯＢＬ７０の光軸方向Ｄｆに沿って動かすために用いるデフォーカス値を調整させると共に、設定調整されたデフォーカス値に基づいて、フォーカシングサーボ回路１３１（図１）に対しデフォーカス調整等を行わせたりするフォーカシング制御回路１２１を備える。
【０２５８】
また、この光ディスク装置１は、フロントエンド処理部１０２にて生成されたフォーカシングエラー信号に基づいて、ＯＢＬ６０及び７０（図２，図３）を備えるレンズホルダ（図示せず）のフォーカシングサーボ動作を実行可能とさせるフォーカシングサーボ回路１３１（図１）を備える。
【０２５９】
詳しく説明すると、この光ディスク装置１は、ＰＤＩＣ９１（図２）において検出された信号に基づいてフロントエンド処理部１０２（図１）で生成されたフォーカシングエラー信号が入力されると共に、光ディスクＭ１０（図２，図３（Ａ））の表面Ｍ１０ｆに対
して直交する方向とされるＯＢＬ６０の光軸方向Ｄｆに略沿って、ＯＰＵ２（図２）に装備されたＯＢＬ６０を変位させる制御信号を生成させたり、ＰＤＩＣ９２（図２）において検出された信号に基づいてフロントエンド処理部１０２（図１）で生成されたフォーカシングエラー信号が入力されると共に、光ディスクＭ２０（図２，図３（Ｂ））の表面Ｍ２０ｆに対して直交する方向とされるＯＢＬ７０の光軸方向Ｄｆに略沿って、ＯＰＵ２（図２）に装備されたＯＢＬ７０を変位させる制御信号を生成させたりするフォーカシングサーボ回路１３１（図１）を備える。
【０２６０】
フロントエンド処理部１０２にて生成されたのちに、フロントエンド処理部１０２から出力されたフォーカシングエラー信号は、フォーカシングサーボ回路１３１に入力される。フォーカシングサーボ回路１３１は、イコライザが用いられて構成されている。フォーカシングサーボ回路１３１は、デジタル信号に対応可能なデジタルイコライザとして構成されている。イコライザ（equalizer）とは、音声信号などの信号の全体的な周波数特性を加工したり調整したりするための電気回路とされる。また、イコライザは、「ＥＱ」と略称される。
【０２６１】
また、この光ディスク装置１は、ジッタ計測回路１０８とＣＰＵ１１０とを経由した信号に基づいて、光ディスクＭ１０（図２，図３（Ａ））の信号面部Ｍ１５に対するＯＰＵ２（図２）のＯＢＬ６０の焦点合せを行わせるときに、ＯＢＬ６０を光ディスクＭ１０の径方向Ｄｒに沿って動かすために用いるデトラック値を調整させると共に、設定調整されたデトラック値に基づいて、トラッキングサーボ回路１３２（図１）に対しデトラック調整等を行わせたり、ジッタ計測回路１０８とＣＰＵ１１０とを経由した信号に基づいて、光ディスクＭ２０（図２，図３（Ｂ））の信号面部Ｍ２５に対するＯＰＵ２（図２）のＯＢＬ７０の焦点合せを行わせるときに、ＯＢＬ７０を光ディスクＭ２０の径方向Ｄｒに沿って動かすために用いるデトラック値を調整させると共に、設定調整されたデトラック値に基づいて、トラッキングサーボ回路１３２（図１）に対しデトラック調整等を行わせたりするトラッキング制御回路１２２を備える。
【０２６２】
また、この光ディスク装置１は、フロントエンド処理部１０２にて生成されたトラッキングエラー信号に基づいて、ＯＢＬ６０及び７０（図２，図３）を備えるレンズホルダ（図示せず）のトラッキングサーボ動作を実行可能とさせるトラッキングサーボ回路１３２（図１）を備える。
【０２６３】
詳しく説明すると、この光ディスク装置１は、ＰＤＩＣ９１（図２）において検出された信号に基づいてフロントエンド処理部１０２（図１）で生成されたトラッキングエラー信号が入力されると共に、光ディスクＭ１０（図２，図３（Ａ））の径方向Ｄｒに略沿って、ＯＰＵ２（図２）に装備されたＯＢＬ６０を変位させる制御信号を生成させたり、ＰＤＩＣ９２（図２）において検出された信号に基づいてフロントエンド処理部１０２（図１）で生成されたトラッキングエラー信号が入力されると共に、光ディスクＭ２０（図２，図３（Ｂ））の径方向Ｄｒに略沿って、ＯＰＵ２（図２）に装備されたＯＢＬ７０を変位させる制御信号を生成させたりするトラッキングサーボ回路１３２（図１）を備える。
【０２６４】
フロントエンド処理部１０２にて生成されたのちに、フロントエンド処理部１０２から出力されたトラッキングエラー信号は、トラッキングサーボ回路１３２に入力される。トラッキングサーボ回路１３２は、イコライザが用いられて構成されている。トラッキングサーボ回路１３２は、デジタル信号に対応可能なデジタルイコライザとして構成されている。
【０２６５】
また、この光ディスク装置１は、ジッタ計測回路１０８とＣＰＵ１１０とを経由した信号に基づいて、光ディスクＭ１０（図２，図３（Ａ））の信号面部Ｍ１５に対するＯＰＵ
２（図２）のＯＢＬ６０の焦点合せを行わせるときに、光ディスクＭ１０の信号面部Ｍ１５に対するＯＢＬ６０の角度ずれを補正するために用いるチルト値を調整させると共に、設定調整されたチルト値に基づいて、チルト調整等を行わせたり、ジッタ計測回路１０８とＣＰＵ１１０とを経由した信号に基づいて、光ディスクＭ２０（図２，図３（Ｂ））の信号面部Ｍ２５に対するＯＰＵ２（図２）のＯＢＬ７０の焦点合せを行わせるときに、光ディスクＭ２０の信号面部Ｍ２５に対するＯＢＬ７０の角度ずれを補正するために用いるチルト値を調整させると共に、設定調整されたチルト値に基づいて、チルト調整等を行わせたりするチルト制御回路１２３（図１）を備える。
【０２６６】
また、この光ディスク装置１は、例えばフォーカシングサーボ回路１３１から出力されたフォーカシング制御信号ＦＤＯが入力され、フォーカシング制御信号ＦＤＯに基づいて、光ディスクＭ１０又はＭ２０の回転周期Ｃｆに対応した信号を抽出するフォーカシングチルトバンドパスフィルタ回路１４１を備える。この明細書におけるＦＤＯとは、「focus drive out」の略称とされる。また、バンドパスフィルタ（band pass filter）は、「ＢＰＦ」と略称される。ＢＰＦは、予め定められた範囲の周波数信号だけを通過させ、定められた範囲の周波数信号以外の信号を減衰させるフィルタを意味する。ディスク再生時またはディスク記録時に光ディスクＭ１０又はＭ２０に面振れが生じると、面振れ成分がＦＤＯ信号となる。ＦＤＯ信号が流されることにより、フォーカシングサーボ動作が実行される。
【０２６７】
また、この光ディスク装置１は、例えばトラッキングサーボ回路１３２から出力されたトラッキング制御信号ＴＤＯが入力され、トラッキング制御信号ＴＤＯに基づいて、光ディスクＭ１０又はＭ２０の回転周期Ｃｔに対応した信号を抽出するトラッキングチルトバンドパスフィルタ回路１４２を備える。この明細書におけるＴＤＯとは、「tracking drive out」の略称とされる。ディスク再生時またはディスク記録時に光ディスクＭ１０又はＭ２０に偏心が生じると、偏心成分がＴＤＯ信号となる。ＴＤＯ信号が流されることにより、トラッキングサーボ動作が実行される。
【０２６８】
光ディスク装置１やＯＰＵ２の設計／仕様等により、例えば、フォーカシングチルトバンドパスフィルタ回路１４１や、トラッキングチルトバンドパスフィルタ回路１４２等が設けられることなく省略された光ディスク装置１も使用可能とされる。
【０２６９】
また、この光ディスク装置１は、光ディスクＭ１０（図２，図３（Ａ））の信号部Ｍ１５に対し、ＯＰＵ２（図２）のＯＢＬ６０に角度ずれが生じようとされたときに、ジッタ計測回路１０８（図１）にて検出されたジッタに基づいて、ＯＢＬ６０（図２）の角度ずれをチルト調整させたり、光ディスクＭ２０（図２，図３（Ｂ））の信号部Ｍ２５に対し、ＯＰＵ２（図２）のＯＢＬ７０に角度ずれが生じようとされたときに、ジッタ計測回路１０８（図１）にて検出されたジッタに基づいて、ＯＢＬ７０（図２）の角度ずれをチルト調整させたりするフォーカシングチルト信号調整回路１５１（図１）を備える。フォーカシングチルト信号調整回路１５１は、フォーカシングチルトバンドパスフィルタ回路１４１にて抽出された信号のレベルを調整可能なものとされている。フォーカシングチルト信号調整回路１５１として、例えばアンプが用いられた。アンプは、アンプリファイア（amplifier）の略称とされ、増幅器を意味する。
【０２７０】
また、この光ディスク装置１は、光ディスクＭ１０（図２，図３（Ａ））の信号部Ｍ１５に対し、ＯＰＵ２（図２）のＯＢＬ６０に角度ずれが生じようとされたときに、ジッタ計測回路１０８（図１）にて検出されたジッタに基づいて、ＯＢＬ６０（図２）の角度ずれをチルト調整させたり、光ディスクＭ２０（図２，図３（Ｂ））の信号部Ｍ２５に対し、ＯＰＵ２（図２）のＯＢＬ７０に角度ずれが生じようとされたときに、ジッタ計測回路１０８（図１）にて検出されたジッタに基づいて、ＯＢＬ７０（図２）の角度ずれをチル
ト調整させたりするトラッキングチルト信号調整回路１５２（図１）を備える。トラッキングチルト信号調整回路１５２は、トラッキングチルトバンドパスフィルタ回路１４２にて抽出された信号のレベルを調整可能なものとされている。トラッキングチルト信号調整回路１５２として、例えばアンプが用いられた。
【０２７１】
また、この光ディスク装置１は、各チルト信号調整回路１５１，１５２から出力されるチルト調整用信号に、チルト制御回路１２３から出力されるチルト値設定調整信号を加算させる加算回路１５３を備える。詳しく説明すると、この光ディスク装置１は、フォーカシングチルト信号調整回路１５１から出力されるフォーカシングチルト調整用信号と、トラッキングチルト信号調整回路１５２から出力されるトラッキングチルト調整用信号と、チルト制御回路１２３から出力されるチルト値設定調整信号とを加算させる加算回路１５３を備える。フォーカシングチルト信号調整回路１５１からフォーカシングチルト調整用信号が出力される。また、トラッキングチルト信号調整回路１５２からトラッキングチルト調整用信号が出力される。また、チルト制御回路１２３から最適なチルト値に設定されたチルト値設定調整信号が出力される。これらの信号は、加算回路１５３によって合わせられる。
【０２７２】
また、この光ディスク装置１は、フォーカシングサーボ回路１３１から出力されたフォーカシング制御信号が入力され、ＯＰＵ２に装備されたフォーカシングコイル１７１に駆動信号を供給するフォーカシングコイル駆動回路１６１を備える。フォーカシングサーボ回路１３１は、入力されたフォーカシングエラー信号に基づいて、フォーカシングエラー信号のレベルを小さくするためのフォーカシング制御信号をフォーカシングコイル駆動回路１６１に出力する。フォーカシングサーボ回路１３１から出力されたフォーカシング制御信号は、フォーカシングコイル駆動回路１６１に入力される。フォーカシングコイル駆動回路１６１は、フォーカシングコイル１７１にフォーカシングコイル駆動信号を供給する。
【０２７３】
光ディスクＭ１０（図２，図３（Ａ））のピットＭ１５ｔに対し、ＯＢＬ６０によって絞られたレーザ光Ｌの焦点が、ＯＢＬ６０のフォーカシング方向Ｄｆに沿ってずらされようとされたときに、ＯＰＵ２（図２）のＯＢＬ６０をフォーカシング調整するために、フォーカシングコイル駆動回路１６１（図１）からＯＰＵ２のフォーカシングコイル１７１にフォーカシング駆動信号が送られる。
【０２７４】
また、光ディスクＭ２０（図２，図３（Ｂ））のピットＭ２５ｔに対し、ＯＢＬ７０によって絞られたレーザ光Ｌの焦点が、ＯＢＬ７０のフォーカシング方向Ｄｆに沿ってずらされようとされたときに、ＯＰＵ２（図２）のＯＢＬ７０をフォーカシング調整するために、フォーカシングコイル駆動回路１６１（図１）からＯＰＵ２のフォーカシングコイル１７１にフォーカシング駆動信号が送られる。駆動回路は、ドライバ等と呼ばれている。
【０２７５】
また、この光ディスク装置１は、トラッキングサーボ回路１３２から出力されたトラッキング制御信号が入力され、ＯＰＵ２に装備されたトラッキングコイル１７２に駆動信号を供給するトラッキングコイル駆動回路１６２を備える。トラッキングサーボ回路１３２は、入力されたトラッキングエラー信号に基づいて、トラッキングエラー信号のレベルを小さくするためのトラッキング制御信号をトラッキングコイル駆動回路１６２に出力する。トラッキングサーボ回路１３２から出力されたトラッキング制御信号は、トラッキングコイル駆動回路１６２に入力される。トラッキングコイル駆動回路１６２は、トラッキングコイル１７２にトラッキングコイル駆動信号を供給する。
【０２７６】
光ディスクＭ１０（図２，図３（Ａ））のピットＭ１５ｔに対し、ＯＢＬ６０によって絞られたレーザ光Ｌの焦点が、ＯＢＬ６０のトラッキング方向Ｄｆに沿ってずらされよう
とされたときに、ＯＰＵ２（図２）のＯＢＬ６０をトラッキング調整するために、トラッキングコイル駆動回路１６２（図１）からＯＰＵ２のトラッキングコイル１７２にトラッキング駆動信号が送られる。
【０２７７】
また、光ディスクＭ２０（図２，図３（Ｂ））のピットＭ２５ｔに対し、ＯＢＬ７０によって絞られたレーザ光Ｌの焦点が、ＯＢＬ７０のトラッキング方向Ｄｆに沿ってずらされようとされたときに、ＯＰＵ２（図２）のＯＢＬ７０をトラッキング調整するために、トラッキングコイル駆動回路１６２（図１）からＯＰＵ２のトラッキングコイル１７２にトラッキング駆動信号が送られる。
【０２７８】
また、この光ディスク装置１は、加算回路１５３から出力された加算信号が入力されるチルトコイル駆動回路１６３を備える。詳しく説明すると、この光ディスク装置１は、加算回路１５３から出力されたチルト制御信号が入力され、ＯＰＵ２に装備されたチルトコイル１７３に駆動信号を供給するチルトコイル駆動回路１６３を備える。ＯＰＵ２のＯＢＬ６０又は７０の角度をチルト調整するために、加算回路１５３にて生成された加算信号に基づいて、ＯＰＵ２のチルトコイル１７３に送られる駆動信号が、チルトコイル駆動回路１６３にて生成される。チルトコイル駆動回路１６３は、チルトコイル１７３にチルトコイル駆動信号を供給する。
【０２７９】
光ディスクＭ１０（図２，図３（Ａ））のピットＭ１５ｔに対し、ＯＢＬ６０によって絞られたレーザ光Ｌの焦点がずらされようとされたときに、ＯＰＵ２（図２）のＯＢＬ６０をチルト調整するために、チルトコイル駆動回路１６３（図１）からＯＰＵ２のチルトコイル１７３にチルト駆動信号が送られる。
【０２８０】
また、光ディスクＭ２０（図２，図３（Ｂ））のピットＭ２５ｔに対し、ＯＢＬ７０によって絞られたレーザ光Ｌの焦点がずらされようとされたときに、ＯＰＵ２（図２）のＯＢＬ７０をチルト調整するために、チルトコイル駆動回路１６３（図１）からＯＰＵ２のチルトコイル１７３にチルト駆動信号が送られる。
【０２８１】
また、この光ディスク装置１は、ジッタ計測回路１０８とＣＰＵ１１０とを経由した信号に基づいて、光ディスクＭ１０（図２，図３（Ａ））の信号面部Ｍ１５に対するＯＰＵ２（図２）のＯＢＬ６０の焦点合せを行わせるときに、ＣＰＵ１１０（図１）から送信される信号に基づいて、ＬＣＤ５０と通電可能に接続されている液晶補正素子駆動回路１６５いわゆるＬＣＤ駆動回路１６５を駆動させたり、ジッタ計測回路１０８とＣＰＵ１１０とを経由した信号に基づいて、光ディスクＭ２０（図２，図３（Ｂ））の信号面部Ｍ２５に対するＯＰＵ２（図２）のＯＢＬ７０の焦点合せを行わせるときに、ＣＰＵ１１０（図１）から送信される信号に基づいて、ＬＣＤ５０と通電可能に接続されているＬＣＤ駆動回路１６５を駆動させたりする液晶補正素子制御回路１２５いわゆるＬＣＤ制御回路１２５を備える。
【０２８２】
また、この光ディスク装置１は、ジッタ計測回路１０８とＣＰＵ１１０とを経由した信号に基づいて、光ディスクＭ１０（図２，図３（Ａ））の信号面部Ｍ１５に対するＯＰＵ２（図２）のＯＢＬ６０の焦点合せを行わせるときに、ＣＰＵ１１０（図１）から送信されＬＣＤ制御回路１２５に入力されると共にＬＣＤ制御回路１２５から出力される信号に基づいて、ＬＣＤ５０を駆動させたり、ジッタ計測回路１０８とＣＰＵ１１０とを経由した信号に基づいて、光ディスクＭ２０（図２，図３（Ｂ））の信号面部Ｍ２５に対するＯＰＵ２（図２）のＯＢＬ７０の焦点合せを行わせるときに、ＣＰＵ１１０（図１）から送信されＬＣＤ制御回路１２５に入力されると共にＬＣＤ制御回路１２５から出力される信号に基づいて、ＬＣＤ５０を駆動させたりする液晶補正素子駆動回路１６５いわゆるＬＣＤ駆動回路１６５を備える。
【０２８３】
詳しく説明すると、図１に示す光ディスク装置１は、上記ＬＣＤ５０等を有する上記ＯＰＵ２と、上記光出力信号処理回路１０２と、上記信号処理回路１０４と、上記デジタル信号処理回路１０６と、上記ジッタ値検出回路１０８と、上記システム制御回路１１０と、上記第一メモリ回路１１１と、上記第二メモリ回路１１２と、上記フォーカシング制御回路１２１と、上記トラッキング制御回路１２２と、上記チルト制御回路１２３と、上記ＬＣＤ制御回路１２５と、上記フォーカシングサーボ回路１３１と、上記トラッキングサーボ回路１３２と、上記フォーカシングチルトバンドパスフィルタ回路１４１と、上記トラッキングチルトバンドパスフィルタ回路１４２と、上記フォーカシングチルト信号調整回路１５１と、上記トラッキングチルト信号調整回路１５２と、上記加算回路１５３と、上記フォーカシングコイル駆動回路１６１と、上記トラッキングコイル駆動回路１６２と、上記チルトコイル駆動回路１６３と、上記ＬＣＤ駆動回路１６５とを備えて構成されている。光ディスク装置１の複屈折調整回路は、このように構成されている。また、例えば光ディスク装置１を構成する上記各「……」回路は、例えば各「……」部または各「……」手段とされる。
【０２８４】
なお、光ディスク装置１やＯＰＵ２の設計／仕様等により、例えばＯＰＵ２のフォーカシングコイル１７１および／またはトラッキングコイル１７２が、ＯＰＵ２のチルトコイル１７３を兼ねたものとして構成されたＯＰＵ２や光ディスク装置１も使用可能とされている。詳しく説明すると、ＯＰＵ２にチルト調整専用のチルトコイル１７３が装備されることなく、光ディスク装置１のチルトコイル駆動回路１６３から延設された導体が、例えばＯＰＵ２のフォーカシングコイル１７１および／またはトラッキングコイル１７２に通電可能に接続されて、ＯＰＵ２のフォーカシングコイル１７１および／またはトラッキングコイル１７２がチルト調整をも実行可能なコイル１７１／１７２として構成されたＯＰＵ２や光ディスク装置１も使用可能とされる。具体的に説明すると、ＯＰＵ２にチルト調整専用のチルトコイル１７３が装備されることなく、光ディスク装置１のチルトコイル駆動回路１６３から延設された導体が、例えばＯＰＵ２のフォーカシングコイル１７１に通電可能に接続されて、ＯＰＵ２のフォーカシングコイル１７１がＯＰＵ２のチルトコイル１７３を兼ねたものとして構成され、フォーカシングコイル１７１をフォーカシング調整時および／またはチルト調整時に機能する例えばフォーカス・チルトコイル１７１として構成させてもよい。
【０２８５】
また、この光ディスク装置１は、例えば上記デジタル信号処理回路１０６を含むデジタル信号処理装置いわゆるデジタル・シグナル・プロセッサを備えて構成される。デジタル・シグナル・プロセッサとは、例えば主にデジタル信号処理に特化されたマイクロプロセッサを意味する。デジタル・シグナル・プロセッサ（digital signal processor）は、「ＤＳＰ」と略称されている。ＤＳＰを構成するデジタル信号処理回路１０６を含んだチップが装備されている。デジタル信号処理回路１０６を含むＤＳＰが用いられることにより、例えばＣＰＵ１１０等における高速演算処理が実行可能となる。ＤＳＰが用いられることにより、信号処理が行われるときに、例えばＳＮ（signal／noise）比が略９０ｄＢ（デシベル）以上とされ、ノイズの影響が回避され易くなり、また、周辺の雰囲気温度などによる影響も抑制され易くなる。このようなことから、ＤＳＰが用いられることにより精度の高い演算処理等が高速で行われる。
【０２８６】
例えば光ディスク装置１のＤＳＰは、上記デジタル信号処理回路１０６と、上記ジッタ値検出回路１０８と、上記システム制御回路１１０と、上記フォーカシング制御回路１２１と、上記トラッキング制御回路１２２と、上記チルト制御回路１２３と、上記液晶補正素子制御回路１２５と、上記フォーカシングサーボ回路１３１と、上記トラッキングサーボ回路１３２とを備えて構成される。また、例えば上記システム制御回路１１０に、上記フォーカシング制御回路１２１、上記トラッキング制御回路１２２、上記チルト制御回路
１２３、上記液晶補正素子制御回路１２５等が含まれたものも使用可能とされる。また、例えば、上記光出力信号処理回路１０２と、上記信号処理回路１０４と、上記デジタル信号処理回路１０６と、上記ジッタ値検出回路１０８と、上記システム制御回路１１０と、上記第一メモリ回路１１１と、上記第二メモリ回路１１２と、上記フォーカシング制御回路１２１と、上記トラッキング制御回路１２２と、上記チルト制御回路１２３と、上記液晶補正素子制御回路１２５と、上記フォーカシングサーボ回路１３１と、上記トラッキングサーボ回路１３２と、上記フォーカシングチルトバンドパスフィルタ回路１４１と、上記トラッキングチルトバンドパスフィルタ回路１４２とは、複雑な回路が一つのパッケージ等にまとめられたチップを構成するものとされている。
【０２８７】
ＯＰＵ２を備える光ディスク装置１は、上記各種光ディスクＭ１０，Ｍ２０にデータ／情報／信号等を記録させたり、上記各種光ディスクＭ１０，Ｍ２０のデータ／情報／信号等を再生させたりする記録・再生装置に使用可能とされる。また、ＯＰＵ２を備える光ディスク装置１は、上記各種光ディスクＭ１０，Ｍ２０のデータ／情報／信号等を再生させる再生専用装置にも使用可能とされる。
【０２８８】
また、上記ＯＰＵ２は、例えば、コンピュータ、音響／映像機器、ゲーム機、車載機（何れも図示せず）などに組み付けられる光ディスク装置１に装備される。また、上記ＯＰＵ２を備える光ディスク装置１は、例えば、ノート型パーソナルコンピュータ（ＰＣ：personal computer）や、ラップトップ型ＰＣや、デスクトップ型ＰＣ車載用コンピュータなどのコンピュータや、コンピュータゲーム機などのゲーム機や、ＣＤプレーヤ／ＣＤレコーダ、ＤＶＤプレーヤ／ＤＶＤレコーダなどの音響および／または映像機器などに装備可能とされる（何れも図示せず）。また、上記ＯＰＵ２を備える光ディスク装置１は、例えば、ＣＤ系光ディスクや、ＤＶＤ系光ディスクや、「Blu-ray Disc」系光ディスク等の複数のメディアＭ１０，Ｍ２０に対応可能なものとされる。ＯＰＵ２を備える光ディスク装置１は、「ＣＤ」、「ＤＶＤ」、「ＨＤ−ＤＶＤ」、「Blu ray Disc」などの各種光ディスクＭ１０，Ｍ２０に対応したコンピュータ、音響および／または映像機器、ゲーム機、車載機などに装備可能とされている（何れも図示せず）。
【０２８９】
本発明に係るピックアップ装置およびディスク装置は、図示されたものに限定されるものではない。例えばＬＤ１０内に回折格子が装備されることなく省略され、光路（Ｌ１ａ）に、上記ＤＯＥ２５と略同じ特性および／または構造を備えもち、上記ＤＯＥ２５に類似した他のＤＯＥもしくは回折格子が装備されていてもよい。また、例えば、図２に示すＯＰＵ２において、光路（Ｌ５ａ）と光路（Ｌ５ｂ）との間にＱＷＰ（５７）が介在されず省略されてもよい。また、例えば、光ディスクＭ１０，Ｍ２０等に記録されたデータ／情報の再生のみを行うＯＰＵ（２）においては、ＦＭＤ（４３）が装備されることなく省略されてもよい。また、光路（Ｌ３ａ），（Ｌ３ｂ）間にＣＬ（４５）が装備されることなく省略され、光路（Ｌ３ｄ），（Ｌ３ｅ）上において可動側の凸レンズ型ビームエキスパンダレンズ（５３）がビームエキスパンダレンズ（５２），（５３）の光軸方向に沿って移動可能なＣＬを兼ねていてもよい。また、光路（Ｌ３ａ），（Ｌ３ｂ）間にＣＬ（４５）が装備されることなく省略され、一対のビームエキスパンダレンズ５２，５３を備えるビームエキスパンダユニット５１に代えて、光路（Ｌ３ｃ），（Ｌ３ｄ），（Ｌ３ｅ）に略沿った光軸方向に移動可能なＣＬ（４５）が装備されてもよい。
【０２９０】
また、例えば、Blu-ray Disc用の第一ＯＢＬ６０に代えて、例えば、第一メディアＭ１０に照射される第一波長レーザ光の光軸方向に沿って配列された一対のＯＢＬ（図示せず）が、重ね合わせられるようにBlu-ray Disc用のＯＢＬとしてＯＰＵ（２）に配備されてもよい。すなわち、Blu-ray Disc用の第一ＯＢＬ６０に代えて、例えば、フォーカシング方向Ｄｆに沿って直列に配置された一対の不図示のＯＢＬが、Blu-ray Disc用のＯＢＬとしてＯＰＵ（２）に配備されてもよい。また、例えば、上記一つのＬＤＤに代えて、上記
第一ＬＤ１０に対応した第一ＬＤＤ（図示せず）と、上記第二ＬＤ２０に対応した第二ＬＤＤ（図示せず）とが、個別にＯＰＵ２に装備されてもよい。また、例えば、直線偏光の第一波長レーザ光を円偏光の第一波長レーザ光に変えたり、円偏光の第一波長レーザ光を直線偏光の第一波長レーザ光に変えたりするＱＷＰ（５７）が用いられてもよい。また、例えば、Blu-ray Disc用の反射性ミラー５６と、Blu-ray Disc用の第一ＯＢＬ６０との間の光路（Ｌ４ｂ）に、さらにBlu-ray Disc用のＱＷＰ（図示せず）が設けられてもよい。
【０２９１】
また、上記光ディスク装置１においては、メディアＭ１０／Ｍ２０から得られる信号のジッタ値等を利用して、集光スポットＳ１／Ｓ２にコマ収差や球面収差などの収差が発生されることを抑制させると共に、光ディスクＭ１０／Ｍ２０に照射されるレーザ光Ｌの垂直複屈折または面内複屈折のうち何れか一方または両方を併せて補正させているが、例えば「ＨＤ  ＤＶＤ」用のメディアＭ２０に対する集光スポットＳ２の焦点合せを行うとき等に、上記ジッタ値に代えて、例えばＰＲＳＮＲ（Partial Response Signal-to-Noise Ratio）またはＳｂＥＲ（Simulated bit Error Rate）の何れか一方または両方を利用してもよい。また、例えば「ＨＤ  ＤＶＤ」用のメディアＭ２０に対する集光スポットＳ２の焦点合せを行うとき等に、例えば上記ジッタ値と共に、ＰＲＳＮＲまたはＳｂＥＲの何れか一方または両方をも併せて利用してもよい。
【０２９２】
また、例えばＣＤ用のメディアに対する集光スポットの焦点合せを行うとき等に、上記ジッタ値に代えて、例えば上記ＲＦ信号またはアシンメトリ値βの何れか一方または両方を利用してもよい。また、例えばＣＤ用のメディアに対する集光スポットの焦点合せを行うとき等に、例えば上記ジッタ値と共に、ＲＦ信号またはアシンメトリ値βの何れか一方または両方をも併せて利用してもよい。
【０２９３】
以上、本発明の実施形態について説明したが、前述した発明の実施形態は、本発明の理解を容易にするためのものであり、本発明を限定して解釈するためのものではない。本発明は、その趣旨を逸脱することなく、変更、改良され得るとともに、本発明にはその等価物も含まれる。
【図面の簡単な説明】
【０２９４】
【図１】本発明に係るディスク装置の一実施の形態を示す構成図である。
【図２】本発明に係るピックアップ装置の一実施の形態を示す概略図である。
【図３】（Ａ）は第一メディアに第一波長光が照射される状態を示す説明図、（Ｂ）は第二メディアに第二波長光が照射される状態を示す説明図である。
【図４】（Ａ）は補正素子における光学軸に平行な方向の偏光成分と光学軸に垂直な方向の偏光成分との位相差の計算例を示す説明図、（Ｂ）は補正素子を示す平面図である。
【図５】（Ａ）は同じく補正素子を示す平面図、（Ｂ）は補正素子により光のスポットの補正が行われた後の波形を示す説明図である。
【図６】回転楕円体における１軸結晶の屈折率楕円体、常光線、異常光線の振動方向を示す説明図である。
【図７】従来のピックアップ装置に装備される複屈折補正素子の一形態を示す平面図である。
【図８】（Ａ）は光のスポットの球面収差補正が行われる前の波形を示す説明図、（Ｂ）は、光のスポットの球面収差補正が行われた後の波形を示す説明図、（Ｃ）は、球面収差補正が行われた光のスポットを示す平面図である。
【符号の説明】
【０２９５】
１              光ディスク装置（ディスク装置）
２              ＯＰＵ（ピックアップ装置）
１０，２０      ＬＤ（発光素子）
２５            ＤＯＥ（回折光学素子）
３０，４０      ＰＢＳ（偏光部材）
３０ａ，４０ａ  第一部材
３０ｂ，４０ｂ  第二部材
３０ｃ，３５ｃ，４０ｃ，５５ｃ，５６ｃ  皮膜（膜）
３５，５５      ミラー（偏光部材）
３５ａ，５５ａ  表側面（面）
３５ｂ，５５ｂ  裏側面（面）
３５ｎ，５５ｎ  内部
４３            ＦＭＤ（受光素子）
４５            ＣＬ（コリメータレンズ）
５０            ＬＣＤ（補正素子）
５０ａ，５０ｂ，５０ｃ，５０ｄ  補正パターン（パターン）
５０ｉ，５０ii，５０iii，５０iv  矩形領域（領域）
５０ｉａ，５０ｉｂ，５０ｉｃ，５０ｉｄ，５０ｉｅ，５０iiａ，５０iiｂ，５０iiｃ，５０iiｄ，５０iiｅ，５０iiiａ，５０iiiｂ，５０iiiｃ，５０iiiｄ，５０iiiｅ，５０ivａ，５０ivｂ，５０ivｃ，５０ivｄ，５０ivｅ，５１１ａ，５１１ｂ，５１１ｃ，５１１ｄ，５１２ａ，５１２ｂ，５１２ｃ，５１２ｄ，５１３ａ，５１３ｂ，５１３ｃ，５１３ｄ，５１４ａ，５１４ｂ，５１４ｃ，５１４ｄ  領域
５１            ビームエキスパンダユニット（エキスパンダユニット）
５２，５３      ビームエキスパンダレンズ（エキスパンダレンズ）
５６            反射性ミラー（ミラー）
５７            ＱＷＰ（１／４波長板）
６０，７０      ＯＢＬ（対物レンズ）
８１，８２      アナモレンズ（センサレンズ）
９１，９２      ＰＤＩＣ（光検出器）
１０２          フロントエンド処理部（光出力信号処理回路）
１０４          ＲＦ信号増幅／処理回路（信号処理回路）
１０６          デジタル信号処理回路
１０８          ジッタ計測回路（ジッタ値検出回路）
１１０          ＣＰＵ（システム制御回路）
１１１          ＲＯＭ（メモリ回路）
１１２          ＲＡＭ（メモリ回路）
１２１          フォーカシング制御回路（制御回路）
１２２          トラッキング制御回路（制御回路）
１２３          チルト制御回路（制御回路）
１２５          ＬＣＤ制御回路（制御回路）
１３１          ＥＱ（フォーカシングサーボ回路）
１３２          ＥＱ（トラッキングサーボ回路）
１４１          フォーカシングチルトバンドパスフィルタ回路（バンドパスフィルタ回路）
１４２          トラッキングチルトバンドパスフィルタ回路（バンドパスフィルタ回路）
１５１          フォーカシングチルト信号調整回路（チルト信号調整回路）
１５２          トラッキングチルト信号調整回路（チルト信号調整回路）
１５３          加算回路
１６１          ドライバ（フォーカシングコイル駆動回路）
１６２          ドライバ（トラッキングコイル駆動回路）
１６３          ドライバ（チルトコイル駆動回路）
１６５          ドライバ（液晶補正素子駆動回路）
１７１          フォーカシングコイル（コイル）
１７２          トラッキングコイル（コイル）
１７３          チルトコイル（コイル）
５０５ａ        複屈折補正素子
Ｄｆ            フォーカシング方向（方向）
Ｄｒ            トラッキング方向（方向）
Ｄｔ            タンジェンシャル方向（方向）
Ｅａ，Ｅｂ      有効径
Ｇ              複屈折楕円体（楕円体）
Ｊａ            光学軸
Ｊｎ            波面法線
Ｌ              レーザ光（光）
Ｌａ１，Ｌａ２  光軸
Ｌ１ａ，Ｌ１ｂ，Ｌ１ｃ，Ｌ１ｄ，Ｌ２ａ，Ｌ２ｂ，Ｌ２ｃ，Ｌ２ｄ，Ｌ２ｅ，Ｌ３ａ，Ｌ３ｂ，Ｌ３ｃ，Ｌ３ｄ，Ｌ３ｅ，Ｌ３ｆ，Ｌ４ａ，Ｌ４ｂ，Ｌ４ｃ，Ｌ５ａ，Ｌ５ｂ，Ｌ５ｃ        光路
Ｍ１０，Ｍ２０  光ディスク（メディア）
Ｍ１０ｆ，Ｍ２０ｆ  表面（面）
Ｍ１１，Ｍ１２，Ｍ２１，Ｍ２２  透明樹脂基板（基板）
Ｍ１１ｔ，Ｍ１２ｔ，Ｍ２１ｔ，Ｍ２２ｔ  厚さ
Ｍ１５，Ｍ２５  信号面部（信号部）
Ｍ１５ｔ，Ｍ２５ｔ  ピット
ＰＶａ，ＰＶｂ，ＰＶｃ  最大−最小値
Ｓ１，Ｓ２      集光スポット（スポット）
ＳＡｍ          最も球面収差が大きくなる部分（部分）
ＷＤｂ，ＷＤｄ  ワーキングディスタンス（作動距離）
【図１】
2008210501.tif 000005
【図２】
2008210501.tif 000006
【図３】
2008210501.tif 000007
【図４】
2008210501.tif 000008
【図５】
2008210501.tif 000009
【図６】
2008210501.tif 000010
【図７】
2008210501.tif 000011
【図８】
2008210501.tif 000012